(57)【要約】      （修正有）【課題】共有無線周波数スペクトル帯域にアクセスする複数の無線アクセス技術（ＲＡＴ）を管理するための方法を提供する。【解決手段】ワイヤレス通信のための方法は、共有無線周波数スペクトル帯域を占有する第１のＲＡＴのインジケーションを検知することと、検知することに応答して、共有無線周波数スペクトル帯域へのアクセスを求めて競合するためにデバイスによって使用される第２のＲＡＴの少なくとも１つのパラメータを構成することと、デバイスによって使用される少なくとも１つのＬＢＴパラメータ（基地局、１つ又は複数のＵＥによって使用されるＣＣＡプロシージャ若しくはＥＣＣＡプロシージャのパラメータ）を構成することと、を備える。【選択図】図２０
2020036348.tif 000002
【特許請求の範囲】
【請求項１】
共有無線周波数スペクトル帯域を占有する第１の無線アクセス技術（ＲＡＴ）通信のインジケーションを検知することと、
前記検知することに応答して、前記共有無線周波数スペクトル帯域へのアクセスを求めて競合するためにデバイスによって使用される第２のＲＡＴの少なくとも１つのパラメータを構成することと
を備える、ワイヤレス通信のための方法。
【請求項２】
前記第１のＲＡＴは、Ｗｉ−Ｆｉ（登録商標）  ＲＡＴを備え、前記第２のＲＡＴは、セルラーＲＡＴを備える、
請求項１に記載の方法。
【請求項３】
前記第２のＲＡＴの前記少なくとも１つのパラメータを構成することは、
数の範囲を構成することを備え、前記数の範囲からランダム数が選択され、前記ランダム数は、前記デバイスが拡張クリアチャネルアセスメント（ＣＣＡ）プロシージャを実行するＣＣＡスロットの数を決定する、
請求項１に記載の方法。
【請求項４】
前記数の範囲を構成することは、前記数の範囲の下限を増加させること、または前記数の範囲の上限を増加させること、またはそれらの組合せのうちの少なくとも１つを備える、
請求項３に記載の方法。
【請求項５】
前記第２のＲＡＴの前記少なくとも１つのパラメータを構成することは、
前記デバイスが前記共有無線周波数スペクトル帯域へのアクセスを求める競合に勝つ前に、前記共有無線周波数スペクトル帯域が利用可能である連続ＣＣＡスロットの数を識別することを備える、
請求項１に記載の方法。
【請求項６】
ＣＣＡスロットの前記識別された数は、前記デバイスが前記共有無線周波数スペクトル帯域へのアクセスを求める競合に勝っていないとき、拡張ＣＣＡプロシージャが実行されるＣＣＡスロットの最後の数である、
請求項５に記載の方法。
【請求項７】
前記第２のＲＡＴの前記少なくとも１つのパラメータを構成することは、
少なくとも１つのＣＣＡプロシージャが実行される少なくとも１つのＣＣＡスロットのためのＣＣＡエネルギー検出しきい値を構成することを備える、
請求項１に記載の方法。
【請求項８】
前記共有無線周波数スペクトル帯域が占有される期間に続いて前記共有無線周波数スペクトル帯域のエネルギーレベルを検知するように前記デバイスを構成することをさらに備える、
請求項１に記載の方法。
【請求項９】
前記第２のＲＡＴの前記少なくとも１つのパラメータを構成することは、
前記検知されたエネルギーに少なくとも部分的に基づいて、ＣＣＡエネルギー検出しきい値を構成することと、
前記ＣＣＡエネルギー検出しきい値に少なくとも部分的に基づいて、ある数のＣＣＡプロシージャを実行するように前記デバイスを構成すること、ここにおいて、前記数のＣＣＡプロシージャがＣＣＡスロットのセット中で実行される、と、
前記共有無線周波数スペクトル帯域が、ＣＣＡスロットの前記セット中に含まれるＣＣＡスロットのサブセットのために利用可能であると決定されたとき、前記共有無線周波数スペクトル帯域へのアクセスを求める競合に勝つように前記デバイスを構成することと
を備える、請求項８に記載の方法。
【請求項１０】
前記第２のＲＡＴの前記少なくとも１つのパラメータを構成することは、
拡張ＣＣＡプロシージャが実行される最後のＣＣＡスロットの持続時間を増加させることを備える、
請求項１に記載の方法。
【請求項１１】
前記第２のＲＡＴの前記少なくとも１つのパラメータを構成することは、
前記共有無線周波数スペクトル帯域へのアクセスを求めて競合するために、複数の拡張ＣＣＡプロシージャを実行するように前記デバイスを構成することを備える、
請求項１に記載の方法。
【請求項１２】
前記複数の拡張ＣＣＡプロシージャは、第１の拡張ＣＣＡプロシージャと、それに続く第２の拡張ＣＣＡプロシージャとを備える、
請求項１１に記載の方法。
【請求項１３】
前記第１の拡張ＣＣＡプロシージャは、第１の数のＣＣＡスロットにわたって実行されるように構成され、前記第２の拡張ＣＣＡプロシージャは、第２の数のＣＣＡスロットにわたって実行されるように構成された、
請求項１２に記載の方法。
【請求項１４】
前記第２のＲＡＴの前記少なくとも１つのパラメータを構成することは、
前記共有無線周波数スペクトル帯域が利用不可能であると決定すると、前記デバイスが追加の数のＣＣＡプロシージャを実行する前に待つべき延期期間を構成することと、
前記共有無線周波数スペクトル帯域が、前記追加の数のＣＣＡプロシージャの各々のために利用可能であると決定すると、前記共有無線周波数スペクトル帯域へのアクセスを求める競合に勝つように前記デバイスを構成することと
を備える、請求項１に記載の方法。
【請求項１５】
第１のＲＡＴ通信の前記インジケーションは、前記デバイスのエネルギー検出範囲内で検出された送信機の数に少なくとも部分的に基づく、
請求項１に記載の方法。
【請求項１６】
第１のＲＡＴ通信の前記インジケーションは、フィードバックが報告される送信の失敗率に少なくとも部分的に基づく、
請求項１に記載の方法。
【請求項１７】
第１のＲＡＴ通信の前記インジケーションは、エラーが報告されない送信についての消去率に少なくとも部分的に基づく、
請求項１に記載の方法。
【請求項１８】
第１のＲＡＴ通信の前記インジケーションは、サポートされる変調およびコーディング方式（ＭＣＳ）と、実際に使用されるＭＣＳとの間の相違に少なくとも部分的に基づく、
請求項１に記載の方法。
【請求項１９】
前記デバイスは、基地局またはユーザ機器（ＵＥ）の一方を備え、前記識別することおよび前記構成することは、前記基地局または前記ＵＥの前記一方によって実行される、
請求項１に記載の方法。
【請求項２０】
共有無線周波数スペクトル帯域を占有する第１の無線アクセス技術（ＲＡＴ）通信のインジケーションを検知するための手段と、
前記検知することに応答して、前記共有無線周波数スペクトル帯域へのアクセスを求めて競合するためにデバイスによって使用される第２のＲＡＴの少なくとも１つのパラメータを構成するための手段と
を備える、ワイヤレス通信のための装置。
【請求項２１】
前記第２のＲＡＴの前記少なくとも１つのパラメータを前記構成するための手段は、
数の範囲を構成するための手段を備え、前記数の範囲からランダム数が選択され、前記ランダム数は、前記デバイスが拡張クリアチャネルアセスメント（ＣＣＡ）プロシージャを実行するＣＣＡスロットの数を決定する、
請求項２０に記載の装置。
【請求項２２】
前記第２のＲＡＴの前記少なくとも１つのパラメータを前記構成するための手段は、
前記デバイスが前記共有無線周波数スペクトル帯域へのアクセスを求める競合に勝つ前に、前記共有無線周波数スペクトル帯域が利用可能である連続ＣＣＡスロットの数を識別するための手段を備える、
請求項２０に記載の装置。
【請求項２３】
前記第２のＲＡＴの前記少なくとも１つのパラメータを前記構成するための手段が、
少なくとも１つのＣＣＡプロシージャが実行される少なくとも１つのＣＣＡスロットのためのＣＣＡエネルギー検出しきい値を構成するための手段を備える、
請求項２０に記載の装置。
【請求項２４】
前記第２のＲＡＴの前記少なくとも１つのパラメータを前記構成するための手段は、
拡張ＣＣＡプロシージャが実行される最後のＣＣＡスロットの持続時間を増加させるための手段を備える、
請求項２０に記載の装置。
【請求項２５】
前記第２のＲＡＴの前記少なくとも１つのパラメータを前記構成するための手段は、
前記共有無線周波数スペクトル帯域へのアクセスを求めて競合するために、複数の拡張ＣＣＡプロシージャを実行するように前記デバイスを構成するための手段を備える、
請求項２０に記載の装置。
【請求項２６】
前記複数の拡張ＣＣＡプロシージャは、第１の拡張ＣＣＡプロシージャと、それに続く第２の拡張ＣＣＡプロシージャとを備える、
請求項２５に記載の装置。
【請求項２７】
前記第２のＲＡＴの前記少なくとも１つのパラメータを前記構成するための手段は、
前記共有無線周波数スペクトル帯域が利用不可能であると決定すると、前記デバイスが追加の数のＣＣＡプロシージャを実行する前に待つべき延期期間を構成するための手段と、
前記共有無線周波数スペクトル帯域が、前記追加の数のＣＣＡプロシージャの各々のために利用可能であると決定すると、前記共有無線周波数スペクトル帯域へのアクセスを求める競合に勝つように前記デバイスを構成するための手段と
を備える、請求項２０に記載の装置。
【請求項２８】
下限と上限との間に及ぶ数の範囲から数をランダムに選択することと、
複数のクリアチャネルアセスメント（ＣＣＡ）スロットにわたって拡張ＣＣＡプロシージャを実行することによって、共有無線周波数スペクトル帯域へのアクセスを求めて競合すること、前記複数のＣＣＡスロットは、前記上限に等しい第１の数のＣＣＡスロットを備える、と、
前記拡張ＣＣＡプロシージャを実行しながら、前記共有無線周波数スペクトル帯域が、前記ランダムに選択された数に等しい第２の数のＣＣＡスロットのために利用可能であると決定した後に、前記共有無線周波数スペクトル帯域へのアクセスを求める競合に勝つことと
を備える、ワイヤレス通信のための方法。
【請求項２９】
前記拡張ＣＣＡプロシージャを実行しながら、前記共有無線周波数スペクトル帯域が、前記第１の数のＣＣＡスロット−前記ランダムに選択された数＋１に等しい第３の数のＣＣＡスロットのために利用不可能であると決定した後に、前記拡張ＣＣＡプロシージャを中止し、前記共有無線周波数スペクトル帯域へのアクセスを求める競合に勝つことに失敗することをさらに備える、
請求項２８に記載の方法。
【請求項３０】
下限と上限との間に及ぶ数の範囲から数をランダムに選択するための手段と、
複数のクリアチャネルアセスメント（ＣＣＡ）スロットにわたって拡張ＣＣＡプロシージャを実行することによって、共有無線周波数スペクトル帯域へのアクセスを求めて競合するための手段と、前記複数のＣＣＡスロットが、前記上限に等しい第１の数のＣＣＡスロットを備える、
前記拡張ＣＣＡプロシージャを実行しながら、前記共有無線周波数スペクトル帯域が、前記ランダムに選択された数に等しい第２の数のＣＣＡスロットのために利用可能であると決定した後に、前記共有無線周波数スペクトル帯域へのアクセスを求める競合に勝つための手段と
を備える、ワイヤレス通信のための装置。
【発明の詳細な説明】
【相互参照】
【０００１】
[0001]本特許出願は、各々が本出願の譲受人に譲渡された、２０１６年２月９日に出願された、「Techniques for Managing a Plurality of Radio Access Technologies Accessing a Shared Radio Frequency Spectrum Band」と題する、Ｙｅｒｒａｍａｌｌｉらによる米国特許出願第１５／０１９，７６７号、および２０１５年２月１１日に出願された、「Techniques for Managing a Plurality of Radio Access Technologies Accessing a Shared Radio Frequency Spectrum Band」と題する、Ｙｅｒｒａｍａｌｌｉらによる米国仮特許出願第６２／１１４，９１２号の優先権を主張する。
【技術分野】
【０００２】
[0002]本開示は、たとえば、ワイヤレス通信システムに関し、より詳細には、共有無線周波数スペクトル帯域にアクセスする複数の無線アクセス技術（ＲＡＴ）を管理するための技法に関する。
【背景技術】
【０００３】
[0003]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、シングルキャリア周波数分割多元接続（ＳＣ−ＦＤＭＡ）システム、および直交周波数分割多元接続（ＯＦＤＭＡ）システムがある。
【０００４】
[0004]例として、ワイヤレス多元接続通信システムは、各々が、場合によってはユーザ機器（ＵＥ）として知られる、複数の通信デバイスのための通信を同時にサポートする、いくつかの基地局を含み得る。基地局は、（たとえば、基地局からＵＥへの送信のために）ダウンリンクチャネル、および（たとえば、ＵＥから基地局への送信のために）アップリンクチャネル上で、ＵＥと通信し得る。
【０００５】
[0005]いくつかの通信モードは、セルラーネットワークの共有無線周波数スペクトル帯域（たとえば、Ｗｉ−Ｆｉ（登録商標）ノードと共有される無線周波数スペクトル帯域）上での、または異なる無線周波数スペクトル帯域（たとえば、専用無線周波数スペクトル帯域および共有無線周波数スペクトル帯域）上での基地局とＵＥとの間の通信を可能にし得る。専用（たとえば、認可）無線周波数スペクトル帯域を使用するセルラーネットワークにおけるデータトラフィックの増加とともに、少なくとも一部のデータトラフィックの、共有無線周波数スペクトル帯域へのオフローディングは、セルラー事業者に拡張データ送信容量のための機会を与え得る。共有無線周波数スペクトル帯域はまた、専用無線周波数スペクトル帯域へのアクセスが利用不可能であるエリア中でサービスを与え得る。
【０００６】
[0006]共有無線周波数スペクトル帯域へのアクセスを獲得し、共有無線周波数スペクトル帯域上で通信するより前に、基地局またはＵＥは、共有無線周波数スペクトル帯域へのアクセスを求めて競合するために、リッスンビフォアトーク（ＬＢＴ：listen before talk）プロシージャを実行し得る。ＬＢＴプロシージャは、共有無線周波数スペクトル帯域のチャネルが利用可能であるかどうかを決定するために、クリアチャネルアセスメント（ＣＣＡ：clear channel assessment）プロシージャまたは拡張ＣＣＡ（ＥＣＣＡ：extended CCA）プロシージャを実行することを含み得る。共有無線周波数スペクトル帯域のチャネルが利用可能であると決定されたとき、基地局またはＵＥは、チャネルを予約するために、チャネル上で１つまたは複数のチャネル予約信号（たとえば、１つまたは複数のチャネル使用ビーコン信号（ＣＵＢＳ：channel usage beacon signal））を送信し得る。いくつかの例では、（１つまたは複数の）チャネル予約信号は、データまたは制御送信がチャネル上でそのときに行われ得る次のサブフレーム境界まで、チャネル上で送信され得る。
【発明の概要】
【０００７】
[0007]本開示は、たとえば、共有無線周波数スペクトル帯域にアクセスする複数のＲＡＴを管理するための１つまたは複数の技法に関する。いくつかの例では、本技法は、ワイヤレスワイドエリアネットワーク（ＷＷＡＮ）ＲＡＴ（たとえば、セルラーＲＡＴ）を使用して共有無線周波数スペクトル帯域上で通信する基地局およびＵＥと、ワイヤレスローカルエリアネットワーク（ＷＬＡＮ）ＲＡＴ（たとえば、Ｗｉ−Ｆｉ  ＲＡＴ）を使用して共有無線周波数スペクトル帯域上で通信するＷｉ−ＦｉアクセスポイントおよびＷｉ−Ｆｉ局との共存を管理することに関係し得る。Ｗｉ−Ｆｉ  ＲＡＴを使用するノードは、共有無線周波数スペクトル帯域へのアクセスを求めて競合するために、セルラーＲＡＴを使用するノードとは異なる技法を使用し得るので、共存管理が必要であり得る。たとえば、Ｗｉ−Ｆｉノード（たとえば、Ｗｉ−ＦｉアクセスポイントおよびＷｉ−Ｆｉ局）は、共有無線周波数スペクトル帯域へのアクセスを求めて競合するために、キャリア検知多重アクセス／衝突回避（ＣＳＭＡ／ＣＡ：Carrier Sense Multiple Access with Collision Avoidance）技法を使用し得るが、セルラーノード（たとえば、基地局およびＵＥ）は、共有無線周波数スペクトル帯域へのアクセスを求めて競合するために、負荷ベース機器（ＬＢＥ：load-based equipment）のためのＬＢＴプロシージャを使用し得る。アクセス条件に応じて、これらの異なるアクセス技術の使用は、Ｗｉ−Ｆｉノードまたはセルラーノードにアクセス優位性を与え得る。セルラーノードがＷｉ−Ｆｉノードに対して有し得る１つの優位性は、指数バックオフメカニズムのそれらの不使用である。すなわち、Ｗｉ−Ｆｉノードが共有無線周波数スペクトル帯域へのアクセスを求める競合に成功することに失敗したとき、またはＷｉ−Ｆｉノードのインプロセス通信が中断されたとき、指数バックオフメカニズム（たとえば、Ｗｉ−Ｆｉノードが、共有無線周波数スペクトル帯域へのアクセスを求めて再び競合する前の待ち時間の長さを増加させることを引き起こすメカニズム）がＷｉ−Ｆｉノードにおいてトリガされ得る。本開示で説明される技法は、セルラーノードが、いくつかの条件下で、Ｗｉ−Ｆｉノードの指数バックオフメカニズムをトリガすることを回避することを可能にし得る。
【０００８】
[0008]一例では、ワイヤレス通信のための方法が説明される。本方法は、共有無線周波数スペクトル帯域を占有する第１のＲＡＴ通信のインジケーションを検知することと、検知することに応答して、共有無線周波数スペクトル帯域へのアクセスを求めて競合するためにデバイスによって使用される第２のＲＡＴの少なくとも１つのパラメータを構成することとを含み得る。
【０００９】
[0009]本方法のいくつかの例では、第１のＲＡＴはＷｉ−Ｆｉ  ＲＡＴを含み得、第２のＲＡＴはセルラーＲＡＴを含み得る。本方法のいくつかの例では、第２のＲＡＴの少なくとも１つのパラメータを構成することは、数の範囲を構成することを含み得、数の範囲からランダム数が選択され、ここで、ランダム数は、デバイスが拡張ＣＣＡプロシージャを実行するＣＣＡスロットの数を決定する。いくつかの例では、数の範囲を構成することは、数の範囲の下限を増加させること、または数の範囲の上限を増加させること、またはそれらの組合せのうちの少なくとも１つを含み得る。
【００１０】
[0010]本方法のいくつかの例では、第２のＲＡＴの少なくとも１つのパラメータを構成することは、デバイスが共有無線周波数スペクトル帯域へのアクセスを求める競合に勝つ前に、共有無線周波数スペクトル帯域が利用可能である連続ＣＣＡスロットの数を識別することを含み得る。これらの例のうちのいくつかでは、ＣＣＡスロットの識別された数は、デバイスが共有無線周波数スペクトル帯域へのアクセスを求める競合に勝っていないとき、拡張ＣＣＡプロシージャが実行されるＣＣＡスロットの最後の数であり得る。
【００１１】
[0011]本方法のいくつかの例では、第２のＲＡＴの少なくとも１つのパラメータを構成することは、少なくとも１つのＣＣＡプロシージャが実行される少なくとも１つのＣＣＡスロットのためのＣＣＡエネルギー検出しきい値を構成することを含み得る。いくつかの例では、本方法は、共有無線周波数スペクトル帯域が占有される期間に続いて共有無線周波数スペクトル帯域のエネルギーレベルを検知するようにデバイスを構成することを含み得る。これらの後者の例では、第２のＲＡＴの少なくとも１つのパラメータを構成することは、検知されたエネルギーに少なくとも部分的に基づいて、ＣＣＡエネルギー検出しきい値を構成することと、ＣＣＡエネルギー検出しきい値に少なくとも部分的に基づいて、ある数のＣＣＡプロシージャを実行するようにデバイスを構成することと、ここで、上記数のＣＣＡプロシージャがＣＣＡスロットのセット中で実行され得る、共有無線周波数スペクトル帯域が、ＣＣＡスロットのセット中に含まれるＣＣＡスロットのサブセットのために利用可能であると決定されたとき、共有無線周波数スペクトル帯域へのアクセスを求める競合に勝つようにデバイスを構成することとを含み得る。
【００１２】
[0012]本方法のいくつかの例では、第２のＲＡＴの少なくとも１つのパラメータを構成することは、拡張ＣＣＡプロシージャが実行される最後のＣＣＡスロットの持続時間を増加させることを含み得る。本方法のいくつかの例では、第２のＲＡＴの少なくとも１つのパラメータを構成することは、共有無線周波数スペクトル帯域へのアクセスを求めて競合するために複数の拡張ＣＣＡプロシージャを実行するようにデバイスを構成することを含み得る。本方法のいくつかの例では、複数の拡張ＣＣＡプロシージャは、第１の拡張ＣＣＡプロシージャと、それに続く第２の拡張ＣＣＡプロシージャとを含み得る。いくつかの例では、第１の拡張ＣＣＡプロシージャは、第１の数のＣＣＡスロットにわたって実行されるように構成され得、第２の拡張ＣＣＡプロシージャは、第２の数のＣＣＡスロットにわたって実行されるように構成され得る。
【００１３】
[0013]本方法のいくつかの例では、第２のＲＡＴの少なくとも１つのパラメータを構成することは、共有無線周波数スペクトル帯域が利用不可能であると決定すると、デバイスが追加の数のＣＣＡプロシージャを実行する前に待つべき延期期間を構成することと、共有無線周波数スペクトル帯域が、追加の数のＣＣＡプロシージャの各々のために利用可能であると決定すると、共有無線周波数スペクトル帯域へのアクセスを求める競合に勝つようにデバイスを構成することとを含み得る。
【００１４】
[0014]本方法のいくつかの例では、第１のＲＡＴ通信のインジケーションは、デバイスのエネルギー検出範囲内で検出された送信機の数に少なくとも部分的に基づき得る。いくつかの例では、第１のＲＡＴ通信のインジケーションは、フィードバックが報告される送信の失敗率に少なくとも部分的に基づき得る。いくつかの例では、第１のＲＡＴ通信のインジケーションは、エラー報告されない送信についての消去率に少なくとも部分的に基づき得る。いくつかの例では、第１のＲＡＴ通信のインジケーションは、サポートされる変調およびコーディング方式（ＭＣＳ）と、実際に使用されるＭＣＳとの間の相違に少なくとも部分的に基づき得る。本方法のいくつかの例では、デバイスは基地局またはＵＥの一方を含み得、識別することおよび構成することは、基地局またはＵＥの一方によって実行され得る。
【００１５】
[0015]一例では、ワイヤレス通信のための装置が説明される。一構成では、本装置は、共有無線周波数スペクトル帯域を占有する第１のＲＡＴ通信のインジケーションを検知するための手段と、検知することに応答して、共有無線周波数スペクトル帯域へのアクセスを求めて競合するためにデバイスによって使用される第２のＲＡＴの少なくとも１つのパラメータを構成するための手段とを含み得る。いくつかの例では、本装置は、例示的な例の第１のセットに関して上記で説明されたワイヤレス通信のための方法の１つまたは複数の態様を実装するための手段をさらに含み得る。
【００１６】
[0016]一例では、ワイヤレス通信のための装置が説明される。一構成では、本装置は、プロセッサと、プロセッサと電子通信しているメモリと、メモリに記憶された命令とを含み得る。命令は、共有無線周波数スペクトル帯域を占有する第１のＲＡＴ通信のインジケーションを検知することと、検知することに応答して、共有無線周波数スペクトル帯域へのアクセスを求めて競合するためにデバイスによって使用される第２のＲＡＴの少なくとも１つのパラメータを構成することとを行うためにプロセッサによって実行可能であり得る。いくつかの例では、命令はまた、例示的な例の第１のセットに関して上記で説明されたワイヤレス通信のための方法の１つまたは複数の態様を実装するためにプロセッサによって実行可能であり得る。
【００１７】
[0017]一例では、ワイヤレス通信のためのコンピュータ実行可能コードを記憶する非一時的コンピュータ可読媒体が説明される。一構成では、コードは、共有無線周波数スペクトル帯域を占有する第１のＲＡＴ通信のインジケーションを検知することと、検知することに応答して、共有無線周波数スペクトル帯域へのアクセスを求めて競合するためにデバイスによって使用される第２のＲＡＴの少なくとも１つのパラメータを構成することとを行うためにプロセッサによって実行可能であり得る。いくつかの例では、本非一時的コンピュータ可読媒体はまた、例示的な例の第１のセットに関して上記で説明されたワイヤレス通信のための方法の１つまたは複数の態様を実装するためのコードを含み得る。
【００１８】
[0018]一例では、ワイヤレス通信のための方法が説明される。一構成では、本方法は、下限と上限との間に及ぶ数の範囲から数をランダムに選択することと、複数のＣＣＡスロットにわたって拡張ＣＣＡプロシージャを実行することによって、共有無線周波数スペクトル帯域へのアクセスを求めて競合することと、ここで、複数のＣＣＡスロットが、上限に等しい第１の数のＣＣＡスロットを含む、拡張ＣＣＡプロシージャを実行しながら、共有無線周波数スペクトル帯域が、ランダムに選択された数に等しい第２の数のＣＣＡスロットのために利用可能であると決定した後に、共有無線周波数スペクトル帯域へのアクセスを求める競合に勝つこととを含み得る。
【００１９】
[0019]いくつかの例では、本方法は、拡張ＣＣＡプロシージャを実行しながら、共有無線周波数スペクトル帯域が、第１の数のＣＣＡスロット−ランダムに選択された数＋１に等しい第３の数のＣＣＡスロットのために利用不可能であると決定した後に、拡張ＣＣＡプロシージャを中止し、共有無線周波数スペクトル帯域へのアクセスを求める競合に勝つことに失敗することを含み得る。
【００２０】
[0020]一例では、ワイヤレス通信のための別の装置が説明される。一構成では、本装置は、下限と上限との間に及ぶ数の範囲から数をランダムに選択するための手段と、複数のＣＣＡスロットにわたって拡張ＣＣＡプロシージャを実行することによって、共有無線周波数スペクトル帯域へのアクセスを求めて競合するための手段と、ここで、複数のＣＣＡスロットが、上限に等しい第１の数のＣＣＡスロットを含む、拡張ＣＣＡプロシージャを実行しながら、共有無線周波数スペクトル帯域が、ランダムに選択された数に等しい第２の数のＣＣＡスロットのために利用可能であると決定した後に、共有無線周波数スペクトル帯域へのアクセスを求める競合に勝つための手段とを含み得る。いくつかの例では、本装置は、例示的な例の第５のセットに関して上記で説明されたワイヤレス通信のための方法の１つまたは複数の態様を実装するための手段をさらに含み得る。
【００２１】
[0021]一例では、ワイヤレス通信のための別の装置が説明される。一構成では、本装置は、プロセッサと、プロセッサと電子通信しているメモリと、メモリに記憶された命令とを含み得る。命令は、下限と上限との間に及ぶ数の範囲から数をランダムに選択することと、複数のＣＣＡスロットにわたって拡張ＣＣＡプロシージャを実行することによって、共有無線周波数スペクトル帯域へのアクセスを求めて競合することと、ここで、複数のＣＣＡスロットが、上限に等しい第１の数のＣＣＡスロットを含む、拡張ＣＣＡプロシージャを実行しながら、共有無線周波数スペクトル帯域が、ランダムに選択された数に等しい第２の数のＣＣＡスロットのために利用可能であると決定した後に、共有無線周波数スペクトル帯域へのアクセスを求める競合に勝つこととを行うためにプロセッサによって実行可能であり得る。いくつかの例では、命令はまた、例示的な例の第５のセットに関して上記で説明されたワイヤレス通信のための方法の１つまたは複数の態様を実装するためにプロセッサによって実行可能であり得る。
【００２２】
[0022]一例では、ワイヤレス通信のためのコンピュータ実行可能コードを記憶する別の非一時的コンピュータ可読媒体が説明される。一構成では、コードは、下限と上限との間に及ぶ数の範囲から数をランダムに選択することと、複数のＣＣＡスロットにわたって拡張ＣＣＡプロシージャを実行することによって、共有無線周波数スペクトル帯域へのアクセスを求めて競合することと、ここで、複数のＣＣＡスロットが、上限に等しい第１の数のＣＣＡスロットを含む、拡張ＣＣＡプロシージャを実行しながら、共有無線周波数スペクトル帯域が、ランダムに選択された数に等しい第２の数のＣＣＡスロットのために利用可能であると決定した後に、共有無線周波数スペクトル帯域へのアクセスを求める競合に勝つこととを行うためにプロセッサによって実行可能であり得る。いくつかの例では、本非一時的コンピュータ可読媒体はまた、例示的な例の第１のセットに関して上記で説明されたワイヤレス通信のための方法の１つまたは複数の態様を実装するためのコードを含み得る。
【００２３】
[0023]上記では、以下の発明を実施するための形態がより良く理解され得るように、本開示による例の特徴および技術的利点についてやや広く概説した。以下で、追加の特徴および利点が説明される。開示される概念および具体例は、本開示の同じ目的を実行するための他の構造を変更または設計するための基礎として容易に利用され得る。そのような等価な構成は、添付の特許請求の範囲から逸脱しない。本明細書で開示される概念の特徴、それらの編成と動作方法の両方は、関連する利点とともに、添付の図に関連して以下の説明を検討するとより良く理解されよう。図の各々は、例示および説明の目的で与えられるものであり、特許請求の範囲の制限の定義として与えられるものではない。
【図面の簡単な説明】
【００２４】
[0024]以下の図面を参照すれば、本発明の性質および利点のさらなる理解が得られ得る。添付の図では、同様のコンポーネントまたは特徴は同じ参照ラベルを有し得る。さらに、同じタイプの様々なコンポーネントは、参照ラベルの後に、ダッシュと、それらの同様のコンポーネントの間で区別する第２のラベルとを続けることによって区別され得る。第１の参照ラベルのみが本明細書において使用される場合、説明は、第２の参照ラベルにかかわらず、同じ第１の参照ラベルを有する同様のコンポーネントのいずれにも適用可能である。
【図１】本開示の様々な態様による、ワイヤレス通信システムの一例を示す図。
【図２】本開示の様々な態様による、ＬＴＥ（登録商標）／ＬＴＥ−Ａが、共有無線周波数スペクトル帯域を使用して異なるシナリオの下で展開され得るワイヤレス通信システムを示す図。
【図３】本開示の様々な態様による、共有無線周波数スペクトル帯域上でのワイヤレス通信の一例を示す図。
【図４Ａ】本開示の様々な態様による、共有無線周波数スペクトル帯域へのアクセスを求めて競合するときに送信装置によって実行されるＣＣＡプロシージャの一例を示す図。
【図４Ｂ】本開示の様々な態様による、無認可無線周波数スペクトル帯域へのアクセスを求めて競合するときに送信装置によって実行されるＥＣＣＡプロシージャの一例を示す図。
【図５】本開示の様々な態様による、基地局の近傍におけるＷｉ−ＦｉアクセスポイントとＷｉ−Ｆｉ局との間の通信を示す図。
【図６】本開示の様々な態様による、Ｗｉ−ＦｉアクセスポイントとＷｉ−Ｆｉ局とに関与する様々なＷｉ−Ｆｉ送信フォーマットを示す図。
【図７】本開示の様々な態様による、装置（たとえば、基地局またはＵＥ）が共有無線周波数スペクトル帯域へのアクセスを求めて競合するときの、Ｗｉ−ＦｉアクセスポイントとＷｉ−Ｆｉ局との間の、共有無線周波数スペクトル帯域上での通信の例示的なタイムラインを示す図。
【図８】本開示の様々な態様による、装置（たとえば、基地局またはＵＥ）が共有無線周波数スペクトル帯域へのアクセスを求めて競合するときの、Ｗｉ−ＦｉアクセスポイントとＷｉ−Ｆｉ局との間の、共有無線周波数スペクトル帯域上での通信の例示的なタイムラインを示す図。
【図９】本開示の様々な態様による、装置（たとえば、基地局またはＵＥ）が共有無線周波数スペクトル帯域へのアクセスを求めて競合するときの、Ｗｉ−ＦｉアクセスポイントとＷｉ−Ｆｉ局との間の、共有無線周波数スペクトル帯域上での通信の例示的なタイムラインを示す図。
【図１０】本開示の様々な態様による、共有無線周波数スペクトル帯域へのアクセスを求めて競合する装置（たとえば、基地局またはＵＥ）によってＥＣＣＡプロシージャが実行され得るＣＣＡスロットの例示的なタイムラインを示す図。
【図１１】本開示の様々な態様による、共有無線周波数スペクトル帯域へのアクセスを求めて競合する装置（たとえば、基地局またはＵＥ）によって第１のＥＣＣＡプロシージャと第２のＥＣＣＡプロシージャとが実行され得るＣＣＡスロットの例示的なタイムラインを示す図。
【図１２】本開示の様々な態様による、装置（たとえば、基地局またはＵＥ）が共有無線周波数スペクトル帯域へのアクセスを求めて競合するときの、Ｗｉ−ＦｉアクセスポイントとＷｉ−Ｆｉ局との間の、共有無線周波数スペクトル帯域上での通信の例示的なタイムラインを示す図。
【図１３】本開示の様々な態様による、共有無線周波数スペクトル帯域へのアクセスを求めて競合する装置（たとえば、基地局またはＵＥ）によってＥＣＣＡプロシージャが実行され得るＣＣＡスロットの例示的なタイムラインを示す図。
【図１４】本開示の様々な態様による、ワイヤレス通信において使用するための装置のブロック図。
【図１５】本開示の様々な態様による、ワイヤレス通信において使用するための装置のブロック図。
【図１６】本開示の様々な態様による、ワイヤレス通信において使用するための装置のブロック図。
【図１７】本開示の様々な態様による、ワイヤレス通信において使用するための装置のブロック図。
【図１８】本開示の様々な態様による、ワイヤレス通信において使用するための基地局（たとえば、ｅＮＢの一部または全部を形成する基地局）のブロック図。
【図１９】本開示の様々な態様による、ワイヤレス通信において使用するためのＵＥのブロック図。
【図２０】本開示の様々な態様による、ワイヤレス通信のための例示的な方法を示すフローチャート。
【図２１】本開示の様々な態様による、ワイヤレス通信のための例示的な方法を示すフローチャート。
【図２２】本開示の様々な態様による、ワイヤレス通信のための例示的な方法を示すフローチャート。
【図２３】本開示の様々な態様による、ワイヤレス通信のための例示的な方法を示すフローチャート。
【発明を実施するための形態】
【００２５】
[0049]共有無線周波数スペクトル帯域がワイヤレス通信システム上での通信の少なくとも一部分のために使用される技法が説明される。いくつかの例では、共有無線周波数スペクトル帯域はＬＴＥ／ＬＴＥ−Ａ通信のために使用され得る。共有無線周波数スペクトル帯域は、専用無線周波数スペクトル帯域と組み合わせて、またはそれとは無関係に使用され得る。専用無線周波数スペクトル帯域は、ＬＴＥ／ＬＴＥ−Ａ通信のために使用可能な認可無線周波数スペクトル帯域など、無線周波数スペクトル帯域が特定のユーザに認可されているので、送信装置がアクセスを求めて競合しないことがある、無線周波数スペクトル帯域であり得る。共有無線周波数スペクトル帯域は、デバイスがアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）であり得る。
【００２６】
[0050]専用無線周波数スペクトル帯域を使用するセルラーネットワークにおけるデータトラフィックの増加とともに、少なくとも一部のデータトラフィックの、共有無線周波数スペクトル帯域へのオフローディングは、セルラー事業者（たとえば、パブリックランドモバイルネットワーク（ＰＬＭＮ）またはＬＴＥ／ＬＴＥ−Ａネットワークなどのセルラーネットワークを画定する基地局の協調セットの事業者）に拡張データ送信容量のための機会を与え得る。共有無線周波数スペクトル帯域の使用はまた、専用無線周波数スペクトル帯域へのアクセスが利用不可能であるエリア中でサービスを与え得る。上述のように、共有無線周波数スペクトル帯域上で通信する前に、送信装置は、媒体へのアクセスを獲得するためにＬＢＴプロシージャを実行し得る。そのようなＬＢＴプロシージャは、共有無線周波数スペクトル帯域のチャネルが利用可能であるかどうかを決定するために、ＣＣＡプロシージャ（またはＥＣＣＡプロシージャ）を実行することを含み得る。共有無線周波数スペクトル帯域のチャネルが利用可能であると決定されたとき、ＣＵＢＳが、チャネルを予約するために送信され得る。チャネルが利用可能でないと決定されたとき、そのチャネルのためのＣＣＡプロシージャ（またはＥＣＣＡプロシージャ）が、後で再び実行され得る。
【００２７】
[0051]いくつかのシナリオの下で、セルラーノード（たとえば、基地局およびＵＥ）による指数バックオフメカニズムの不使用は、共有無線周波数スペクトル帯域へのアクセスを求めて競合するとき、セルラーノードに不当な優位性を与え得る。本開示で説明される技法は、セルラーノードが、いくつかの条件下で、Ｗｉ−Ｆｉノードの指数バックオフメカニズムをトリガすることを回避することを可能にし得る。
【００２８】
[0052]いくつかのシナリオの下で、Ｗｉ−Ｆｉアクセスポイントと（１つまたは複数の）Ｗｉ−Ｆｉ局との間の通信は、ショートフレーム間隔（ＳＩＦＳ：short interframe spacing）によって分離され得る。Ｗｉ−Ｆｉ通信がその上で搬送される共有無線周波数スペクトル帯域へのアクセスを求めて競合する基地局またはＵＥは、共有無線周波数スペクトル帯域が利用可能である（たとえば、占有されない）というインジケーションとしてＳＩＦＳを解釈し得る。また、Ｗｉ−Ｆｉアクセスポイントまたは１つまたは複数のＷｉ−Ｆｉ局が、基地局またはＵＥのエネルギー検出範囲外にあるとき、基地局またはＵＥは、Ｗｉ−Ｆｉ通信を完了したものとして解釈し得、共有無線周波数スペクトル帯域がＷｉ−Ｆｉ通信の完了のためにまだ必要とされるときに、共有無線周波数スペクトル帯域が利用可能であると仮定し得る。本明細書で説明される技法は、セルラーノードによって実装され得るＣＣＡの改善された構成を含み得る。
【００２９】
[0053]以下の説明は、例を与えるものであり、特許請求の範囲に記載された範囲、適用可能性、または例を限定するものではない。本開示の範囲から逸脱することなく、説明される要素の機能および構成において変更が行われ得る。様々な例は、適宜に様々なプロシージャまたはコンポーネントを省略、置換、または追加し得る。たとえば、説明される方法は、説明される順序とは異なる順序で実行され得、様々なステップが追加、省略、または組み合わせられ得る。また、いくつかの例に関して説明される特徴は、他の例において組み合わせられ得る。
【００３０】
[0054]図１は、本開示の様々な態様による、ワイヤレス通信システム１００の一例を示す。ワイヤレス通信システム１００は、基地局１０５と、ＵＥ１１５と、コアネットワーク１３０とを含み得る。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク１３２（たとえば、Ｓ１など）を通してコアネットワーク１３０とインターフェースし得、ＵＥ１１５との通信のための無線構成およびスケジューリングを実行し得るか、または基地局コントローラ（図示せず）の制御下で動作し得る。様々な例では、基地局１０５は、ワイヤードまたはワイヤレス通信リンクであり得るバックホールリンク１３４（たとえば、Ｘ１など）を介して互いと直接または間接的に（たとえば、コアネットワーク１３０を通して）通信し得る。
【００３１】
[0055]基地局１０５は、１つまたは複数の基地局アンテナを介してＵＥ１１５とワイヤレス通信し得る。基地局１０５のサイトの各々は、それぞれの地理的カバレージエリア１１０に通信カバレージを与え得る。いくつかの例では、基地局１０５は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語で呼ばれることがある。基地局１０５のための地理的カバレージエリア１１０は、カバレージエリアの一部分を構成するセクタに分割され得る（図示せず）。ワイヤレス通信システム１００は、異なるタイプの基地局１０５（たとえば、マクロ基地局またはスモールセル基地局）を含み得る。異なる技術のための重複する地理的カバレージエリア１１０があり得る。
【００３２】
[0056]いくつかの例では、ワイヤレス通信システム１００はＬＴＥ／ＬＴＥ−Ａネットワークを含み得る。ＬＴＥ／ＬＴＥ−Ａネットワークでは、発展型ノードＢ（ｅＮＢ）という用語は、基地局１０５を表すために使用され得、ＵＥという用語は、ＵＥ１１５を表すために使用され得る。ワイヤレス通信システム１００は、異なるタイプのｅＮＢが様々な地理的領域にカバレージを与える、異種ＬＴＥ／ＬＴＥ−Ａネットワークであり得る。たとえば、各ｅＮＢまたは基地局１０５は、マクロセル、スモールセル、または他のタイプのセルに通信カバレージを与え得る。「セル」という用語は、コンテキストに応じて、基地局、基地局に関連するキャリアまたはコンポーネントキャリア、あるいはキャリアまたは基地局のカバレージエリア（たとえば、セクタなど）を表すために使用され得る３ＧＰＰ（登録商標）用語である。
【００３３】
[0057]マクロセルは、比較的大きい地理的エリア（たとえば、半径数キロメートル）をカバーし得、ネットワークプロバイダのサービスに加入しているＵＥによる無制限アクセスを可能にし得る。スモールセルは、マクロセルと比較して、同じまたは異なる（たとえば、専用、共有などの）無線周波数スペクトル帯域内でマクロセルとして動作し得る低電力基地局であり得る。スモールセルは、様々な例によれば、ピコセルとフェムトセルとマイクロセルとを含み得る。ピコセルは、比較的小さい地理的エリアをカバーし得、ネットワークプロバイダのサービスに加入しているＵＥによる無制限アクセスを可能にし得る。フェムトセルは、比較的小さい地理的エリア（たとえば、自宅）を同じくカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（たとえば、２つ、３つ、４つなどの）セル（たとえば、コンポーネントキャリア）をサポートし得る。
【００３４】
[0058]ワイヤレス通信システム１００は同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明される技法は、同期動作または非同期動作のいずれかのために使用され得る。
【００３５】
[0059]様々な開示される例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ：Packet Data Convergence Protocol）レイヤにおける通信はＩＰベースであり得る。無線リンク制御（ＲＬＣ：Radio Link Control）レイヤが、論理チャネルを介して通信するためにパケットセグメンテーションおよびリアセンブリを実行し得る。媒体アクセス制御（ＭＡＣ：Medium Access Control）レイヤが、優先度ハンドリングと、トランスポートチャネルへの論理チャネルの多重化とを実行し得る。ＭＡＣレイヤはまた、リンク効率を改善するためにＭＡＣレイヤにおいて再送信を行うためにハイブリッドＡＲＱ（ＨＡＲＱ）を使用し得る。制御プレーンでは、無線リソース制御（ＲＲＣ）プロトコルレイヤが、ユーザプレーンデータのための無線ベアラをサポートする、ＵＥ１１５と基地局１０５またはコアネットワーク１３０との間のＲＲＣ接続の確立と構成と保守とを行い得る。物理（ＰＨＹ）レイヤにおいて、トランスポートチャネルは物理チャネルにマッピングされ得る。
【００３６】
[0060]ＵＥ１１５は、ワイヤレス通信システム１００全体にわたって分散され得、各ＵＥ１１５は固定または移動であり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語を含むか、またはそのように当業者によって呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む、様々なタイプの基地局およびネットワーク機器と通信することが可能であり得る。
【００３７】
[0061]ワイヤレス通信システム１００に示された通信リンク１２５は、基地局１０５からＵＥ１１５へのダウンリンク（ＤＬ）送信、またはＵＥ１１５から基地局１０５へのアップリンク（ＵＬ）送信を含み得る。ダウンリンク送信は順方向リンク送信と呼ばれることもあり、アップリンク送信は逆方向リンク送信と呼ばれることもある。
【００３８】
[0062]いくつかの例では、各通信リンク１２５は１つまたは複数のキャリアを含み得、ここで、各キャリアは、上記で説明された様々な無線技術に従って変調された複数のサブキャリア（たとえば、異なる周波数の波形信号）からなる信号であり得る。各被変調信号は、異なるサブキャリア上で送られ得、制御情報（たとえば、基準信号、制御チャネルなど）、オーバーヘッド情報、ユーザデータなどを搬送し得る。通信リンク１２５は、周波数領域複信（ＦＤＤ）動作を使用して（たとえば、対スペクトルリソースを使用して）、または時間領域複信（ＴＤＤ）動作を使用して（たとえば、不対スペクトルリソースを使用して）双方向通信を送信し得る。ＦＤＤ動作のためのフレーム構造（たとえば、フレーム構造タイプ１）とＴＤＤ動作のためのフレーム構造（たとえば、フレーム構造タイプ２）とが定義され得る。
【００３９】
[0063]ワイヤレス通信システム１００のいくつかの例では、基地局１０５またはＵＥ１１５は、基地局１０５とＵＥ１１５との間の通信品質と信頼性とを改善するために、アンテナダイバーシティ方式を採用するために複数のアンテナを含み得る。追加または代替として、基地局１０５またはＵＥ１１５は、同じまたは異なるコード化データを搬送する複数の空間レイヤを送信するために、マルチパス環境を利用し得る多入力多出力（ＭＩＭＯ）技法を採用し得る。
【００４０】
[0064]ワイヤレス通信システム１００は、複数のセルまたはキャリア上での動作、すなわち、キャリアアグリゲーション（ＣＡ）またはデュアル接続性動作と呼ばれることがある特徴をサポートし得る。キャリアは、コンポーネントキャリア（ＣＣ）、レイヤ、チャネルなどと呼ばれることもある。「キャリア」、「コンポーネントキャリア」、「セル」、および「チャネル」という用語は、本明細書では互換的に使用されることがある。ＵＥ１１５は、キャリアアグリゲーションのために、複数のダウンリンクＣＣと１つまたは複数のアップリンクＣＣとで構成され得る。キャリアアグリゲーションは、ＦＤＤコンポーネントキャリアとＴＤＤコンポーネントキャリアの両方とともに使用され得る。
【００４１】
[0065]いくつかの例では、ワイヤレス通信システム１００は、専用無線周波数スペクトル（たとえば、ＬＴＥ／ＬＴＥ−Ａ通信のために使用可能な認可無線周波数スペクトル帯域など、無線周波数スペクトル帯域が、特定の使用のために特定のユーザに認可されているので、送信装置がアクセスを求めて競合しないことがある、無線周波数スペクトル帯域）または共有無線周波数スペクトル帯域（たとえば、送信装置がアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域））上での動作をサポートし得る。
【００４２】
[0066]共有無線周波数スペクトル帯域は、Ｗｉ−Ｆｉ  ＲＡＴに従って通信するＷｉ−Ｆｉノードなど、異なるＲＡＴに従って通信するノードと共有され得る。例として、図１は、Ｗｉ−Ｆｉアクセスポイント１３５といくつかのＷｉ−Ｆｉ局１４５とを含むＷｉ−Ｆｉネットワーク１４０を示す。Ｗｉ−Ｆｉアクセスポイント１３５とＷｉ−Ｆｉ局１４５とは、基地局１０５およびＵＥ１１５の近傍において互いと通信し得、いくつかのシナリオの下で、Ｗｉ−Ｆｉアクセスポイント１３５とＷｉ−Ｆｉ局１４５との間の通信は、基地局１０５とＵＥ１１５との間の通信に干渉するか、または基地局１０５とＵＥ１１５との間の通信に干渉され得る。
【００４３】
[0067]図２は、本開示の様々な態様による、ＬＴＥ／ＬＴＥ−Ａが、共有無線周波数スペクトル帯域を使用して異なるシナリオの下で展開され得るワイヤレス通信システム２００を示す。より詳細には、図２は、ＬＴＥ／ＬＴＥ−Ａが共有無線周波数スペクトル帯域を使用して展開される、（認可支援アクセスモードとも呼ばれる）補足ダウンリンクモードと、キャリアアグリゲーションモードと、スタンドアロンモードとの例を示す。ワイヤレス通信システム２００は、図１を参照しながら説明されたワイヤレス通信システム１００の部分の一例であり得る。その上、第１の基地局２０５および第２の基地局２０５−ａは、図１を参照しながら説明された基地局１０５のうちの１つまたは複数の態様の例であり得、第１のＵＥ２１５、第２のＵＥ２１５−ａ、第３のＵＥ２１５−ｂ、および第４のＵＥ２１５−ｃは、図１を参照しながら説明されたＵＥ１１５のうちの１つまたは複数の態様の例であり得る。
【００４４】
[0068]ワイヤレス通信システム２００における補足ダウンリンクモード（たとえば、認可支援アクセスモード）の例では、第１の基地局２０５は、ダウンリンクチャネル２２０を使用して第１のＵＥ２１５にＯＦＤＭＡ波形を送信し得る。ダウンリンクチャネル２２０は、共有無線周波数スペクトル帯域における周波数Ｆ１に関連し得る。第１の基地局２０５は、第１の双方向リンク２２５を使用して第１のＵＥ２１５にＯＦＤＭＡ波形を送信し得、第１の双方向リンク２２５を使用して第１のＵＥ２１５からＳＣ−ＦＤＭＡ波形を受信し得る。第１の双方向リンク２２５は、専用無線周波数スペクトル帯域における周波数Ｆ４に関連し得る。共有無線周波数スペクトル帯域におけるダウンリンクチャネル２２０と専用無線周波数スペクトル帯域における第１の双方向リンク２２５とは同時に動作し得る。ダウンリンクチャネル２２０は第１の基地局２０５にダウンリンク容量オフロードを与え得る。いくつかの例では、ダウンリンクチャネル２２０は、（たとえば、１つのＵＥに宛てられた）ユニキャストサービスのために、または（たとえば、いくつかのＵＥに宛てられた）マルチキャストサービスのために使用され得る。このシナリオは、専用無線周波数スペクトル帯域を使用し、トラフィックまたはシグナリング輻輳の一部を軽減する必要がある、サービスプロバイダ（たとえば、モバイルネットワーク事業者（ＭＮＯ））に関して発生し得る。
【００４５】
[0069]ワイヤレス通信システム２００におけるキャリアアグリゲーションモードの一例では、第１の基地局２０５は、第２の双方向リンク２３０を使用して第２のＵＥ２１５−ａにＯＦＤＭＡ波形を送信し得、第２の双方向リンク２３０を使用して第２のＵＥ２１５−ａからＯＦＤＭＡ波形、ＳＣ−ＦＤＭＡ波形、またはリソースブロックインターリーブＦＤＭＡ波形を受信し得る。第２の双方向リンク２３０は、共有無線周波数スペクトル帯域における周波数Ｆ１に関連し得る。第１の基地局２０５はまた、第３の双方向リンク２３５を使用して第２のＵＥ２１５−ａにＯＦＤＭＡ波形を送信し得、第３の双方向リンク２３５を使用して第２のＵＥ２１５−ａからＳＣ−ＦＤＭＡ波形を受信し得る。第３の双方向リンク２３５は、専用無線周波数スペクトル帯域における周波数Ｆ２に関連し得る。第２の双方向リンク２３０は、第１の基地局２０５にダウンリンクおよびアップリンク容量オフロードを与え得る。上記で説明された補足ダウンリンク（たとえば、認可支援アクセスモード）のように、このシナリオは、専用無線周波数スペクトル帯域を使用し、トラフィックまたはシグナリング輻輳の一部を軽減する必要がある、任意のサービスプロバイダ（たとえば、ＭＮＯ）に関して発生し得る。
【００４６】
[0070]ワイヤレス通信システム２００におけるキャリアアグリゲーションモードの別の例では、第１の基地局２０５は、第４の双方向リンク２４０を使用して第３のＵＥ２１５−ｂにＯＦＤＭＡ波形を送信し得、第４の双方向リンク２４０を使用して第３のＵＥ２１５−ｂからＯＦＤＭＡ波形、ＳＣ−ＦＤＭＡ波形、またはリソースブロックインターリーブ波形を受信し得る。第４の双方向リンク２４０は、共有無線周波数スペクトル帯域における周波数Ｆ３に関連し得る。第１の基地局２０５はまた、第５の双方向リンク２４５を使用して第３のＵＥ２１５−ｂにＯＦＤＭＡ波形を送信し得、第５の双方向リンク２４５を使用して第３のＵＥ２１５−ｂからＳＣ−ＦＤＭＡ波形を受信し得る。第５の双方向リンク２４５は、専用無線周波数スペクトル帯域における周波数Ｆ２に関連し得る。第４の双方向リンク２４０は、第１の基地局２０５にダウンリンクおよびアップリンク容量オフロードを与え得る。この例および上記で与えられた例は説明の目的で提示され、容量オフロードのために、専用無線周波数スペクトル帯域におけるＬＴＥ／ＬＴＥ−Ａを組み合わせ、共有無線周波数スペクトル帯域を使用する他の同様の動作モードまたは展開シナリオがあり得る。
【００４７】
[0071]上記で説明されたように、共有無線周波数スペクトル帯域におけるＬＴＥ／ＬＴＥ−Ａを使用することによって提供される容量オフロードから恩恵を受け得る１つのタイプのサービスプロバイダは、専用無線周波数スペクトル帯域ＬＴＥ／ＬＴＥ−Ａへのアクセス権利を有する旧来のＭＮＯである。これらのサービスプロバイダの場合、動作例は、専用無線周波数スペクトル帯域上のＬＴＥ／ＬＴＥ−Ａ１次コンポーネントキャリア（ＰＣＣ）と共有無線周波数スペクトル帯域上の少なくとも１つの２次コンポーネントキャリア（ＳＣＣ）とを使用するブートストラップモード（たとえば、補足ダウンリンク（たとえば、認可支援アクセス）、キャリアアグリゲーション）を含み得る。
【００４８】
[0072]キャリアアグリゲーションモードでは、データおよび制御は、たとえば、専用無線周波数スペクトル帯域中で（たとえば、第１の双方向リンク２２５、第３の双方向リンク２３５、および第５の双方向リンク２４５を介して）通信され得るが、データは、たとえば、共有無線周波数スペクトル帯域中で（たとえば、第２の双方向リンク２３０および第４の双方向リンク２４０を介して）通信され得る。共有無線周波数スペクトル帯域を使用するときにサポートされるキャリアアグリゲーションメカニズムは、ハイブリッド周波数分割複信−時分割複信（ＦＤＤ−ＴＤＤ）キャリアアグリゲーションまたはコンポーネントキャリアにわたる異なる対称性を伴うＴＤＤ−ＴＤＤキャリアアグリゲーションに入り得る。
【００４９】
[0073]ワイヤレス通信システム２００におけるスタンドアロンモードの一例では、第２の基地局２０５−ａは、双方向リンク２５０を使用して第４のＵＥ２１５−ｃにＯＦＤＭＡ波形を送信し得、双方向リンク２５０を使用して第４のＵＥ２１５−ｃからＯＦＤＭＡ波形、ＳＣ−ＦＤＭＡ波形、またはリソースブロックインターリーブＦＤＭＡ波形を受信し得る。双方向リンク２５０は、共有無線周波数スペクトル帯域における周波数Ｆ３に関連し得る。スタンドアロンモードは、スタジアム内アクセス（たとえば、ユニキャスト、マルチキャスト）など、非旧来型ワイヤレスアクセスシナリオにおいて使用され得る。この動作モードのためのサービスプロバイダのタイプの一例は、専用無線周波数スペクトル帯域へのアクセスを有しない、スタジアム所有者、ケーブル会社、イベント主催者、ホテル、企業、または大企業であり得る。
【００５０】
[0074]いくつかの例では、図１または図２を参照しながら説明された基地局１０５、２０５、または２０５−ａのうちの１つ、あるいは図１または図２を参照しながら説明されたＵＥ１１５、２１５、２１５−ａ、２１５−ｂ、または２１５−ｃのうちの１つなどの送信装置は、共有無線周波数スペクトル帯域のチャネルへの（たとえば、共有無線周波数スペクトル帯域の物理チャネルへの）アクセスを獲得するためにゲーティング間隔を使用し得る。いくつかの例では、ゲーティング間隔は周期的であり得る。たとえば、周期的ゲーティング間隔は、ＬＴＥ／ＬＴＥ−Ａ無線間隔の少なくとも１つの境界と同期され得る。ゲーティング間隔は、欧州通信規格協会（ＥＴＳＩ：European Telecommunications Standards Institute）（ＥＮ３０１  ８９３）において指定されているＬＢＴプロトコルに基づくＬＢＴプロトコルなど、競合ベースプロトコルの適用を定義し得る。ＬＢＴプロトコルの適用を定義するゲーティング間隔を使用するとき、ゲーティング間隔は、送信装置が、クリアチャネルアセスメント（ＣＣＡ）プロシージャなどの競合プロシージャ（たとえば、ＬＢＴプロシージャ）をいつ実行する必要があるかを示し得る。ＣＣＡプロシージャの結果は、共有無線周波数スペクトル帯域のチャネルが（ＬＢＴ無線フレームとも呼ばれる）ゲーティング間隔のために利用可能であるのか使用中であるのかを送信装置に示し得る。チャネルが、対応するＬＢＴ無線フレームのために利用可能（たとえば、使用のために「クリア」）であることをＣＣＡプロシージャが示すとき、送信装置は、ＬＢＴ無線フレームの一部または全部中に共有無線周波数スペクトル帯域のチャネルを予約または使用し得る。チャネルが利用可能でないこと（たとえば、チャネルが別の送信装置によって使用中または予約済みであること）をＣＣＡプロシージャが示すとき、送信装置は、ＬＢＴ無線フレーム中にチャネルを使用することを妨げられ得る。
【００５１】
[0075]図３は、本開示の様々な態様による、共有無線周波数スペクトル帯域上でのワイヤレス通信３１０の一例３００を示す。いくつかの例では、ワイヤレス通信３１０は、１つまたは複数のコンポーネントキャリアを含み得、その（１つまたは複数の）コンポーネントキャリアは、たとえば、図２を参照しながら説明された補足ダウンリンクモード（たとえば、認可支援アクセスモード）、キャリアアグリゲーションモード、またはスタンドアロンモードに従って行われる送信の一部として、送信され得る。
【００５２】
[0076]いくつかの例では、ワイヤレス通信３１０のＬＢＴ無線フレーム３１５は、１０ミリ秒の持続時間を有し、いくつかのダウンリンク（Ｄ）サブフレーム３２０と、いくつかのアップリンク（Ｕ）サブフレーム３２５と、２つのタイプのスペシャルサブフレーム、Ｓサブフレーム３３０およびＳ’サブフレーム３３５とを含み得る。Ｓサブフレーム３３０は、ダウンリンクサブフレーム３２０とアップリンクサブフレーム３２５との間の遷移を与え得るが、Ｓ’サブフレーム３３５は、アップリンクサブフレーム３２５とダウンリンクサブフレーム３２０との間の遷移、いくつかの例では、ＬＢＴ無線フレーム間の遷移を与え得る。
【００５３】
[0077]Ｓ’サブフレーム３３５中に、ダウンリンククリアチャネルアセスメント（ＤＣＣＡ：downlink clear channel assessment）プロシージャ３４５が、ある時間期間の間、ワイヤレス通信３１０が行われる共有無線周波数スペクトル帯域のチャネルを予約するために、図１または図２を参照しながら説明された基地局１０５、２０５、または２０５−ａのうちの１つまたは複数など、１つまたは複数の基地局によって実行され得る。基地局による成功したＤＣＣＡプロシージャ３４５に続いて、基地局は、基地局がチャネルを予約したというインジケーションを他の基地局または装置（たとえば、ＵＥ、Ｗｉ−Ｆｉアクセスポイントなど）に与えるために、チャネル使用ビーコン信号（ＣＵＢＳ）（たとえば、ダウンリンクＣＵＢＳ（Ｄ−ＣＵＢＳ３５０））を送信し得る。いくつかの例では、Ｄ−ＣＵＢＳ３５０は、複数のインターリーブリソースブロックを使用して送信され得る。このようにしてＤ−ＣＵＢＳ３５０を送信することは、Ｄ−ＣＵＢＳ３５０が、共有無線周波数スペクトル帯域の利用可能な周波数帯域幅の少なくともある割合を占有し、１つまたは複数の規制上の要件（たとえば、共有無線周波数スペクトル帯域上の送信が利用可能な周波数帯域幅の少なくとも８０％を占有するという要件）を満たすことを可能にし得る。Ｄ−ＣＵＢＳ３５０は、いくつかの例では、ＬＴＥ／ＬＴＥ−Ａセル固有基準信号（ＣＲＳ）またはチャネル状態情報基準信号（ＣＳＩ−ＲＳ）の形態と同様の形態をとり得る。ＤＣＣＡプロシージャ３４５が失敗したとき、Ｄ−ＣＵＢＳ３５０は送信されないことがある。
【００５４】
[0078]Ｓ’サブフレーム３３５は、複数のＯＦＤＭシンボル期間（たとえば、１４個のＯＦＤＭシンボル期間）を含み得る。Ｓ’サブフレーム３３５の第１の部分は、短縮されたアップリンク（Ｕ）期間として、いくつかのＵＥによって使用され得る。Ｓ’サブフレーム３３５の第２の部分は、ＤＣＣＡプロシージャ３４５のために使用され得る。Ｓ’サブフレーム３３５の第３の部分は、ダウンリンクパイロットタイムスロット（ＤｗＰＴＳ：downlink pilot time slot）としてまたはＤ−ＣＵＢＳ３５０を送信するために、共有無線周波数スペクトル帯域のチャネルへのアクセスを求める競合に成功した１つまたは複数の基地局によって使用され得る。
【００５５】
[0079]Ｓサブフレーム３３０中に、アップリンクＣＣＡ（ＵＣＣＡ）プロシージャ３６５が、ある時間期間の間、ワイヤレス通信３１０が行われるチャネルを予約するために、図１または図２を参照しながら上記で説明されたＵＥ１１５、２１５、２１５−ａ、２１５−ｂ、または２１５−ｃのうちの１つまたは複数など、１つまたは複数のＵＥによって実行され得る。ＵＥによる成功したＵＣＣＡプロシージャ３６５に続いて、ＵＥは、ＵＥがチャネルを予約したというインジケーションを他のＵＥまたは装置（たとえば、基地局、Ｗｉ−Ｆｉアクセスポイントなど）に与えるために、アップリンクＣＵＢＳ（Ｕ−ＣＵＢＳ３７０）を送信し得る。いくつかの例では、Ｕ−ＣＵＢＳ３７０は、複数のインターリーブリソースブロックを使用して送信され得る。このようにしてＵ−ＣＵＢＳ３７０を送信することは、Ｕ−ＣＵＢＳ３７０が、共有無線周波数スペクトル帯域の利用可能な周波数帯域幅の少なくとも一定の割合を占有し、１つまたは複数の規制上の要件（たとえば、共有無線周波数スペクトル帯域上の送信が利用可能な周波数帯域幅の少なくとも８０％を占有するという要件）を満たすことを可能にし得る。Ｕ−ＣＵＢＳ３７０は、いくつかの例では、ＬＴＥ／ＬＴＥ−Ａ  ＣＲＳまたはＣＳＩ−ＲＳの形態と同様の形態をとり得る。ＵＣＣＡプロシージャ３６５が失敗したとき、Ｕ−ＣＵＢＳ３７０は送信されないことがある。
【００５６】
[0080]Ｓサブフレーム３３０は、複数のＯＦＤＭシンボル期間（たとえば、１４個のＯＦＤＭシンボル期間）を含み得る。Ｓサブフレーム３３０の第１の部分は、短縮されたダウンリンク（Ｄ）期間３５５として、いくつかの基地局によって使用され得る。Ｓサブフレーム３３０の第２の部分は、ガード期間（ＧＰ）３６０として使用され得る。Ｓサブフレーム３３０の第３の部分は、ＵＣＣＡプロシージャ３６５のために使用され得る。Ｓサブフレーム３３０の第４の部分は、アップリンクパイロットタイムスロット（ＵｐＰＴＳ：uplink pilot time slot）としてまたはＵ−ＣＵＢＳ３７０を送信するために、共有無線周波数スペクトル帯域のチャネルへのアクセスを求める競合に成功した１つまたは複数のＵＥによって使用され得る。
【００５７】
[0081]いくつかの例では、ＤＣＣＡプロシージャ３４５またはＵＣＣＡプロシージャ３６５は、単一のＣＣＡスロット中のＣＣＡプロシージャの実行を含み得る。他の例では、ＤＣＣＡプロシージャ３４５またはＵＣＣＡプロシージャ３６５は、拡張ＣＣＡ（ＥＣＣＡ）プロシージャの実行を含み得る。ＥＣＣＡプロシージャは、複数のＣＣＡスロットにわたって実行され得る。したがって、ＤＣＣＡプロシージャおよびＵＣＣＡプロシージャという用語は、ＣＣＡプロシージャまたはＥＣＣＡプロシージャのいずれかの実行をカバーするのに十分広義であるものとする。ＬＢＴ無線フレーム中の基地局またはＵＥによる実行のための、ＣＣＡプロシージャまたはＥＣＣＡプロシージャの選択はＬＢＴルールに基づき得る。いくつかの場合には、ＣＣＡプロシージャという用語は、本開示では、ＣＣＡプロシージャまたはＥＣＣＡプロシージャのいずれかを指すために、一般的な意味で使用されることがある。
【００５８】
[0082]例として、ＬＢＴ無線フレーム３１５は、ＤＤＤＤＤＤＳＵＵＳ’ＴＤＤフレーム構造を有する。他の例では、ＬＢＴ無線フレームは異なるＴＤＤフレーム構造を有し得る。たとえば、ＬＢＴ無線フレームは、拡張干渉緩和およびトラフィック適応（ｅＩＭＴＡ：enhanced interference mitigation and traffic adaptation）において使用されるＴＤＤフレーム構造のうちの１つを有し得る。
【００５９】
[0083]図４Ａは、本開示の様々な態様による、共有無線周波数スペクトル帯域へのアクセスを求めて競合するときに送信装置によって実行されるＣＣＡプロシージャ４１５の一例４００を示す。いくつかの例では、ＣＣＡプロシージャ４１５は、図３を参照しながら説明されたＤＣＣＡプロシージャ３４５またはＵＣＣＡプロシージャ３６５の一例であり得る。ＣＣＡプロシージャ４１５は、単一のＣＣＡスロットにわたって実行され、固定持続時間を有し得る。いくつかの例では、ＣＣＡプロシージャ４１５は、ＬＢＴフレームベース機器（ＬＢＴ−ＦＢＥ：LBT-frame based equipment）プロトコル（たとえば、ＥＮ３０１  ８９３によって記述されるＬＢＴ−ＦＢＥプロトコル）に従って実行され得る。ＣＣＡプロシージャ４１５に続いて、ＣＵＢＳ４２０が送信され、その後にデータ送信（たとえば、アップリンク送信またはダウンリンク送信）が続き得る。例として、データ送信は、３つのサブフレームの意図された持続時間４０５と、３つのサブフレームの実際の持続時間４１０とを有し得る。
【００６０】
[0084]図４Ｂは、本開示の様々な態様による、無認可無線周波数スペクトル帯域へのアクセスを求めて競合するときに送信装置によって実行されるＥＣＣＡプロシージャ４６５の一例４５０を示す。いくつかの例では、ＥＣＣＡプロシージャ４６５は、図３を参照しながら説明されたＤＣＣＡプロシージャ３４５またはＵＣＣＡプロシージャ３６５の一例であり得る。ＥＣＣＡプロシージャ４６５は、複数のｑ個のＣＣＡスロットにわたって実行され得、いくつかの例では、送信装置が共有無線周波数スペクトル帯域へのアクセスを求める競合に勝ち得る前に、共有無線周波数スペクトル帯域が、ｑ個のＣＣＡスロットのうちのランダム数Ｎ個中に利用可能であることを必要とし得る。いくつかの例では、ＥＣＣＡプロシージャ４６５は、（図４Ａを参照しながら説明されたように）ＣＣＡプロシージャ４１５の実行が成功しなかった後に実行され得る。いくつかの例では、ＥＣＣＡプロシージャ４６５は、ＬＢＴ負荷ベース機器（ＬＢＴ−ＬＢＥ：LBT-load based equipment）プロトコル（たとえば、ＥＮ３０１  ８９３によって記述されるＬＢＴ−ＬＢＥプロトコル）に従って実行され得る。ＥＣＣＡプロシージャ４６５は、無認可無線周波数スペクトル帯域にアクセスするための競合に勝つことのより大きい可能性を与え得るが、それは、より短いデータ送信という潜在的な犠牲を払い得る。成功したＥＣＣＡプロシージャ４６５の実行に続いて、ＣＵＢＳ４７０が送信され、その後にデータ送信が続き得る。例として、データ送信は、３つのサブフレームの意図された持続時間４５５と、２つのサブフレームの実際の持続時間４６０とを有し得る。
【００６１】
[0085]図５は、本開示の様々な態様による、基地局５０５の近傍におけるＷｉ−Ｆｉアクセスポイント５３５とＷｉ−Ｆｉ局５４５との間の通信を示す。Ｗｉ−Ｆｉアクセスポイント５３５およびＷｉ−Ｆｉ局５４５は、図１を参照しながら説明されたＷｉ−Ｆｉアクセスポイント１３５およびＷｉ−Ｆｉ局１４５の態様のそれぞれの例であり得る。基地局５０５は、図１または図２を参照しながら説明された基地局１０５、２０５、または２０５−ａのうちの１つまたは複数の態様の一例であり得る。基地局５０５はエネルギー検出範囲５１０を有し得る。
【００６２】
[0086]基地局５０５、Ｗｉ−Ｆｉアクセスポイント５３５、およびＷｉ−Ｆｉ局５４５によって共有される無線周波数スペクトル帯域へのアクセスを求めて競合するとき、基地局５０５は、共有無線周波数スペクトル帯域へのアクセスを求めて競合するために、ＬＢＴプロシージャ（たとえば、ＣＣＡプロシージャまたはＥＣＣＡプロシージャ）を実行し得る。基地局５０５は、Ｗｉ−Ｆｉアクセスポイント５３５がＷｉ−Ｆｉ局５４５と通信しているときにＬＢＴプロシージャを実行し得、基地局５０５は、共有無線周波数スペクトル帯域上でＷｉ−Ｆｉアクセスポイントの送信のエネルギーを検出し、共有無線周波数スペクトル帯域が利用不可能であると決定し得る。しかしながら、基地局５０５は、Ｗｉ−Ｆｉ局５４５がＷｉ−Ｆｉアクセスポイント５３５と通信しているときにＬＢＴプロシージャを実行し得、基地局５０５は、（たとえば、Ｗｉ−Ｆｉ局５４５が基地局５０５のエネルギー検出範囲５１０外にあるので）共有無線周波数スペクトル帯域上でＷｉ−Ｆｉ局の送信のエネルギーを検出しないことがある。したがって、Ｗｉ−Ｆｉアクセスポイント５３５とＷｉ−Ｆｉ局５４５とが、アップリンクモードおよびダウンリンクモードで通信することを順番に行うとき、Ｗｉ−Ｆｉ局５４５が送信している間に、基地局５０５が共有無線周波数スペクトル帯域へのアクセスを求めて競合するシナリオが起こり得、基地局５０５は、Ｗｉ−Ｆｉ局の送信のエネルギーを検出することができないので、基地局５０５は、共有無線周波数スペクトル帯域が利用可能であると決定し、Ｗｉ−Ｆｉアクセスポイント５３５とＷｉ−Ｆｉ局５４５との間の「進行中の」通信に干渉する送信を開始し得る。基地局の送信はまた、Ｗｉ−Ｆｉアクセスポイント５３５またはＷｉ−Ｆｉ局５４５の指数バックオフモードをトリガし得、これは、Ｗｉ−Ｆｉアクセスポイント５３５またはＷｉ−Ｆｉ局５４５が共有無線周波数スペクトル帯域へのアクセスを再獲得することを比較的より困難にし得る。これは、Ｗｉ−Ｆｉノード（たとえば、Ｗｉ−Ｆｉアクセスポイント５３５またはＷｉ−Ｆｉ局５４５）にとって不当であり得、いくつかの条件下では望ましくないことがある。
【００６３】
[0087]図６は、本開示の様々な態様による、Ｗｉ−Ｆｉアクセスポイント（ＡＰ）とＷｉ−Ｆｉ局（ＳＴＡ）とに関与する様々なＷｉ−Ｆｉ送信フォーマットを示す。第１のＷｉ−Ｆｉ送信フォーマット６００では、Ｗｉ−Ｆｉアクセスポイントはデータ（「データ」）を送信し、それは（「ＡＣＫ」を介して）Ｗｉ−Ｆｉ局によって肯定応答される。第２のＷｉ−Ｆｉ送信フォーマット６１０では、Ｗｉ−Ｆｉアクセスポイントは送信要求（ＲＴＳ：request to send）信号を送信し、それは（たとえば、送信可（ＣＴＳ：clear to send）信号を介して）Ｗｉ−Ｆｉ局によって肯定応答される。Ｗｉ−Ｆｉアクセスポイントは、次いで、データ（「データ」）を送信し得、それは「ＡＣＫ」によって肯定応答される。第３のＷｉ−Ｆｉ送信フォーマット６２０では、Ｗｉ−Ｆｉアクセスポイントはヌルデータパケット（ＮＤＰ）告知パケットを送信し、その後にＮＤＰパケットが続く。第１のＷｉ−Ｆｉ局（ＳＴＡ＿１）、第２のＷｉ−Ｆｉ局（ＳＴＡ＿２）、および第３のＷｉ−Ｆｉ局（ＳＴＡ＿３）の各々は、次いで、それぞれの圧縮されたビームフォーミングパケット（「データ」）を順次送信し得、その後に、Ｗｉ−Ｆｉアクセスポイントによって送信されるビームフォーミングポールパケット（「ポール」）が続く。第４のＷｉ−Ｆｉ送信フォーマット６３０では、Ｗｉ−Ｆｉアクセスポイントは、ＤＬマルチユーザＭＩＭＯ（ＭＵ−ＭＩＭＯ）送信の一部として、ＭＵ−ＭＩＭＯデータを複数のＷｉ−Ｆｉ局（たとえば、ＳＴＡ＿１、ＳＴＡ＿２、およびＳＴＡ＿３）に送信し、その後に、ブロックＡＣＫ要求（ＢＡＲ）のシーケンスが続き得る。各ＢＡＲは、それぞれのブロックＡＣＫ（ＢＡ）送信においてＷｉ−Ｆｉ局のうちの１つによって肯定応答され得る。第５のＷｉ−Ｆｉ送信フォーマット６４０では、Ｗｉ−Ｆｉアクセスポイントは、ＤＬトリガを複数のＷｉ−Ｆｉ局（たとえば、ＳＴＡ＿１、ＳＴＡ＿２、およびＳＴＡ＿３）に送信し得、Ｗｉ−Ｆｉ局の各々は、ＵＬ  ＭＵ−ＭＩＭＯ送信の一部としてデータ送信（「データ」）で応答し得る。
【００６４】
[0088]第１のＷｉ−Ｆｉ送信フォーマット６００、第２のＷｉ−Ｆｉ送信フォーマット６１０、第３のＷｉ−Ｆｉ送信フォーマット６２０、第４のＷｉ−Ｆｉ送信フォーマット６３０、および第５のＷｉ−Ｆｉ送信フォーマット６４０の各々では、Ｗｉ−Ｆｉアクセスポイントと（１つまたは複数の）Ｗｉ−Ｆｉ局との間の通信の方向の変化は、ショートフレーム間隔（ＳＩＦＳ）によって分離され得る。Ｗｉ−Ｆｉ通信がその上で搬送される共有無線周波数スペクトル帯域へのアクセスを求めて競合する基地局またはＵＥは、共有無線周波数スペクトル帯域が利用可能（たとえば、アイドル）であるというインジケーションとしてＳＩＦＳを解釈し得る。また、Ｗｉ−Ｆｉアクセスポイントまたは１つまたは複数のＷｉ−Ｆｉ局が、基地局またはＵＥのエネルギー検出範囲外にあるとき、基地局またはＵＥは、Ｗｉ−Ｆｉ通信を完了したものとして解釈し得、共有無線周波数スペクトル帯域がＷｉ−Ｆｉ通信の完了のためにまだ必要とされるときに、共有無線周波数スペクトル帯域が利用可能であると仮定し得る。
【００６５】
[0089]図７は、本開示の様々な態様による、装置７０５（たとえば、基地局（ＢＳ）またはＵＥ）が共有無線周波数スペクトル帯域へのアクセスを求めて競合するときの、Ｗｉ−Ｆｉアクセスポイント（ＡＰ）７３５とＷｉ−Ｆｉ局（ＳＴＡ）７４５との間の、共有無線周波数スペクトル帯域上での通信の例示的なタイムライン７００を示す。Ｗｉ−Ｆｉアクセスポイント７３５またはＷｉ−Ｆｉ局７４５は、図１または図５を参照しながら説明されたように、それぞれ、Ｗｉ−Ｆｉアクセスポイント１３５または５３５あるいはＷｉ−Ｆｉ局１４５または５４５のうちの１つまたは複数の態様の一例であり得る。装置７０５は、図１、図２、または図５を参照しながら説明された、基地局１０５、２０５、２０５−ａ、または５０５のうちの１つまたは複数、あるいはＵＥ１１５、２１５、２１５−ａ、２１５−ｂ、または２１５−ｃのうちの１つまたは複数の態様の一例であり得る。
【００６６】
[0090]Ｗｉ−Ｆｉアクセスポイント７３５とＷｉ−Ｆｉ局７４５との間の通信は、たとえば、図６に示されたＷｉ−Ｆｉ送信フォーマットのいずれかを仮定し得、アップリンク送信とダウンリンク送信との間で１回または複数回切り替わり得る。例として、Ｗｉ−Ｆｉアクセスポイント７３５とＷｉ−Ｆｉ局７４５との間の通信は、図６に示された第１のＷｉ−Ｆｉ送信フォーマット６００を仮定することが示されており、期間７１０中にＷｉ−Ｆｉアクセスポイント７３５からＷｉ−Ｆｉ局７４５にデータが送信され、次いで、ＳＩＦＳ７２０に続く期間７３０中にＷｉ−Ｆｉ局７４５からＷｉ−Ｆｉアクセスポイント７３５にＡＣＫが送信される。
【００６７】
[0091]Ｗｉ−Ｆｉアクセスポイント７３５またはＷｉ−Ｆｉ局７４５が装置７０５のエネルギー検出範囲の外にあるとき（すなわち、Ｗｉ−Ｆｉアクセスポイント７３５またはＷｉ−Ｆｉ局７４５が装置７０５に対して隠れノードであるとき）、装置７０５は隠れノードの送信を検出しないことがある。例として、図７は、Ｗｉ−Ｆｉアクセスポイント７３５が装置７０５のエネルギー検出範囲内にあり、Ｗｉ−Ｆｉ局７４５が装置７０５に対して隠れノードであると仮定し、したがって、装置７０５は、期間７１０中のデータ送信を検出し、共有無線周波数スペクトル帯域が期間７４０中に占有されると決定し得るが、期間７３０中のＷｉ−Ｆｉ局７４５によるＡＣＫ送信を検出しないことがある。その結果、装置７０５が期間７５０中にＥＣＣＡプロシージャを正常に完了したとき、装置７０５は、共有無線周波数スペクトル帯域が利用可能であると決定し、期間７６０中にデータを送信することを開始し得る。期間７６０中のデータの装置の送信は、期間７３０中のＡＣＫのＷｉ−Ｆｉ局の送信と衝突し、ＡＣＫのＷｉ−Ｆｉアクセスポイントの受信に干渉し得る。Ｗｉ−ＦｉアクセスポイントがＡＣＫを受信することまたは適切に復号することに失敗することは、Ｗｉ−Ｆｉアクセスポイント７３５による指数バックオフの開始または継続をトリガし得る。指数バックオフモードにあるとき、Ｗｉ−Ｆｉアクセスポイント７３５は、延長された時間期間にわたって、共有無線周波数スペクトル帯域へのアクセスを求めて競合することを控え、その時間期間は、Ｗｉ−Ｆｉアクセスポイント７３５において指数バックオフがトリガされるたびに指数関数的に長くなる。
【００６８】
[0092]装置がＷｉ−Ｆｉアクセスポイントによる指数バックオフをトリガすることの別の例として、図６に示された第４のＷｉ−Ｆｉ送信フォーマット６３０（たとえば、ＤＬ  ＭＵ−ＭＩＭＯフォーマット）に従うＷｉ−Ｆｉアクセスポイントと複数のＷｉ−Ｆｉ局との間の通信について考える。Ｗｉ−Ｆｉ局のうちのいずれか１つが装置に対して隠れノードとして動作する場合、（たとえば、装置は、Ｗｉ−ＦｉアクセスポイントのＢＡＲ送信に続く共有無線周波数スペクトル帯域上の送信の不在を検出するので）装置は、共有無線周波数スペクトル帯域が利用可能であると間違って決定し、Ｗｉ−Ｆｉ局のうちの１つからのＢＡ送信のＷｉ−Ｆｉアクセスポイントの受信に干渉するデータを送信し得る。装置の送信が、Ｗｉ−ＦｉアクセスポイントにＢＡ送信を受信させないかまたは適切に復号させないとき、Ｗｉ−Ｆｉアクセスポイントにおいて指数バックオフがトリガされ得る。
【００６９】
[0093]いくつかのシナリオの下で、Ｗｉ−Ｆｉノードによる指数バックオフは、共有無線周波数スペクトル帯域へのアクセスを不当にする様式でトリガされ得る。たとえば、Ｗｉ−Ｆｉノードによる指数バックオフのトリガリングは、装置がＷｉ−Ｆｉノードよりも頻繁に共有無線周波数スペクトル帯域にアクセスすることを可能にし得る。また、装置によって実装されるメカニズム（たとえば、ＨＡＲＱ）は、装置がＷｉ−Ｆｉノードよりも効果的にそれの送信を完了することを可能にし得る。
【００７０】
[0094]たとえば、エネルギー検出範囲内の第１のＷｉ−Ｆｉノードと、装置に対して隠れノードとして動作する第２のＷｉ−Ｆｉノードとの間の送信における知覚されるギャップ中に、共有無線周波数スペクトル帯域にアクセスする複数のＲＡＴ（たとえば、ＷＷＡＮ  ＲＡＴおよびＷＬＡＮ  ＲＡＴ）を管理するための１つの技法は、基地局またはＵＥが共有無線周波数スペクトル帯域へのアクセスを求める競合に勝ち得る前に、装置によってＥＣＣＡが実行されるとき、共有無線周波数スペクトル帯域が利用可能である必要があるランダム数のＮ個のＣＣＡスロットを決定するＮの値を増加させることである。Ｎのより低い値（たとえば、Ｎ＝１または２）は、共有無線周波数スペクトル帯域がｑ−Ｎ個のＣＣＡスロットのために利用不可能である（たとえば、ｑ＝３２であるとき、３０個または３１個のスロットのために利用不可能である）にもかかわらず、共有無線周波数スペクトル帯域が１つまたは２つのＣＣＡスロットのために利用可能であると決定した後にＥＣＣＡプロシージャが成功することを可能にし得る。Ｎ：ｑのそのような低い比は、装置が、第１のＷｉ−Ｆｉノードと第２のＷｉ−Ｆｉノードとの間のＷｉ−Ｆｉ送信における間違って知覚されるギャップを表す少数のＣＣＡスロット中の共有無線周波数スペクトル帯域の利用可能性に基づいて、共有無線周波数スペクトル帯域が利用可能であると決定することを可能にし得る。
【００７１】
[0095]Ｎの値を効果的に増加させる１つの方法は、数の範囲を構成し、数の範囲からランダム数Ｎが選択されることである。数の範囲を構成することは、たとえば、数の範囲の下限を増加させること、数の範囲の上限を増加させること、または数の範囲の下限と上限の両方を増加させることを含み得る。たとえば、［１，ｑ］の範囲内のランダム数としてＮを選択することの代わりに、Ｎは、Ｎmin＞１である［Ｎmin，ｑ＋Ｎmin］の範囲内のランダム数として選択され得る。そのような構成は、セルごとにまたはＵＥごとに行われ得、（１つまたは複数のＵＥのために）基地局によって、またはＵＥによって構成され得る。
【００７２】
[0096]たとえば、エネルギー検出範囲内の第１のＷｉ−Ｆｉノードと、装置に対して隠れノードとして動作する第２のＷｉ−Ｆｉノードとの間の送信における知覚されるギャップ中に、共有無線周波数スペクトル帯域にアクセスする複数のＲＡＴ（たとえば、ＷＷＡＮ  ＲＡＴおよびＷＬＡＮ  ＲＡＴ）を管理するための別の技法は、図８を参照しながらさらに説明されるように、共有無線周波数スペクトル帯域へのアクセスを求める競合に勝つ前に、共有無線周波数スペクトル帯域が利用可能である連続ＣＣＡスロットの数を識別するように装置を構成することである。
【００７３】
[0097]図８は、本開示の様々な態様による、装置８０５（たとえば、基地局（ＢＳ）またはＵＥ）が共有無線周波数スペクトル帯域へのアクセスを求めて競合するときの、Ｗｉ−Ｆｉアクセスポイント（ＡＰ）８３５とＷｉ−Ｆｉ局（ＳＴＡ）８４５との間の、共有無線周波数スペクトル帯域上での通信の例示的なタイムライン８００を示す。Ｗｉ−Ｆｉアクセスポイント８３５またはＷｉ−Ｆｉ局８４５は、図１、図５、または図７を参照しながら説明されたように、それぞれ、Ｗｉ−Ｆｉアクセスポイント１３５、５３５、または７３５あるいはＷｉ−Ｆｉ局１４５、５４５、または７４５のうちの１つまたは複数の態様の一例であり得る。装置８０５は、図１、図２、または図５を参照しながら説明された、基地局１０５、２０５、２０５−ａ、または５０５のうちの１つまたは複数、あるいはＵＥ１１５、２１５、２１５−ａ、２１５−ｂ、または２１５−ｃのうちの１つまたは複数の態様の一例であり得る。装置８０５は、同じくまたは代替的に、図７を参照しながら説明された装置７０５の態様の一例であり得る。
【００７４】
[0098]Ｗｉ−Ｆｉアクセスポイント８３５とＷｉ−Ｆｉ局８４５との間の通信は、たとえば、図６に示されたＷｉ−Ｆｉ送信フォーマットのいずれかを仮定し得、アップリンク送信とダウンリンク送信との間で１回または複数回切り替わり得る。たとえば、Ｗｉ−Ｆｉアクセスポイント８３５とＷｉ−Ｆｉ局８４５との間の通信は、図６に示された第２のＷｉ−Ｆｉ送信フォーマット６１０を仮定することが示されており、期間８１０中にＷｉ−Ｆｉアクセスポイント８３５からＷｉ−Ｆｉ局８４５にＣＴＳ送信が送信され、第１のＳＩＦＳ８２０に続く期間８３０中にＷｉ−Ｆｉ局８４５からＷｉ−Ｆｉアクセスポイント８３５にＲＴＳ送信が送信され、第２のＳＩＦＳ８４０に続く期間８５０中にＷｉ−Ｆｉアクセスポイント８３５からＷｉ−Ｆｉ局８４５にデータが送信され、第３のＳＩＦＳ８６０に続く期間８６５中にＷｉ−Ｆｉ局８４５からＷｉ−Ｆｉアクセスポイント８３５にＡＣＫが送信される。
【００７５】
[0099]例として、図８は、Ｗｉ−Ｆｉ局８４５が装置８０５に対して隠れノードであると仮定し、したがって、装置８０５は、期間８１０中のＣＴＳ送信と期間８５０中のデータ送信とを検出し、共有無線周波数スペクトル帯域が、期間８７０、ＣＣＡスロット８９０、および期間８９５中に占有されると決定し得るが、期間８３０中のＲＴＳ送信または期間８６５中のＡＣＫ送信を検出しないことがある。その結果、装置８０５が、ＣＣＡスロット８７５、８８０、８８５、または８９０のうちの１つ中にＥＣＣＡプロシージャを正常に完了したとき、装置８０５は、共有無線周波数スペクトル帯域が利用可能であると決定し、Ｗｉ−Ｆｉアクセスポイント８３５またはＷｉ−Ｆｉ局８４５によるＲＴＳ送信、データ送信、またはＡＣＫ送信の受信に干渉するデータを送信することを開始し得る。Ｗｉ−ＦｉアクセスポイントまたはＷｉ−Ｆｉ局が送信を受信することまたは適切に復号することに失敗することは、Ｗｉ−Ｆｉアクセスポイント８３５またはＷｉ−Ｆｉ局８４５による指数バックオフの開始または継続をトリガし得る。
【００７６】
[0100]Ｗｉ−Ｆｉアクセスポイント８３５とＷｉ−Ｆｉ局８４５との間の送信における知覚されるギャップ中に装置８０５がＥＣＣＡプロシージャを正常に完了することになる見込みを減少させるために、装置８０５は、共有無線周波数スペクトル帯域へのアクセスを求める競合に勝つ前に、共有無線周波数スペクトル帯域が利用可能である連続ＣＣＡスロットの数（たとえば、第１のＣＣＡスロット８７５、第２のＣＣＡスロット８８０、第３のＣＣＡスロット８８５、および第４のＣＣＡスロット８９０を含む、４つのＣＣＡスロット）を識別するように構成され得る。いくつかの例では、連続する上記数のＣＣＡスロットは、装置８０５が共有無線周波数スペクトル帯域上で送信することを開始する前の、最後の利用可能なＣＣＡスロットであり得る。共有無線周波数スペクトル帯域へのアクセスを求めて競合するためのＥＣＣＡプロシージャが占有期間８７０の前または間に開始されたとき、連続ＣＣＡスロット（たとえば、第１のＣＣＡスロット８７５、第２のＣＣＡスロット８８０、第３のＣＣＡスロット８８５、および第４のＣＣＡスロット８９０）の数は、拡張ＣＣＡプロシージャが実行されるＣＣＡスロットの最後の利用可能な数であり得る。代替的に、および共有無線周波数スペクトル帯域へのアクセスを求めて競合するＥＣＣＡプロシージャが占有期間８７０の前または間に開始されたとき、連続ＣＣＡスロット（たとえば、第１のＣＣＡスロット８７５、第２のＣＣＡスロット８８０、第３のＣＣＡスロット８８５、および第４のＣＣＡスロット８９０）の数は、拡張ＣＣＡプロシージャが実行されるＣＣＡスロットの最後の数、または拡張ＣＣＡプロシージャが実行される最後のＣＣＡスロットに続く少なくとも１つのＣＣＡスロットと組み合わせた、拡張ＣＣＡプロシージャが実行されるＣＣＡスロットの数のうちの少なくとも１つを含み得る（たとえば、第１のＣＣＡスロット８７５および第２のＣＣＡスロット８８０は、拡張ＣＣＡプロシージャが実行されるＣＣＡスロットであり得、ＥＣＣＡプロシージャは、共有無線周波数スペクトル帯域が、識別された数の連続スロット中で利用可能であると決定される前に終わるので、第３のＣＣＡスロット８８５および第４のＣＣＡスロット８９０中で、ＥＣＣＡプロシージャが継続され得るか、または１つまたは複数の追加のＣＣＡプロシージャが実行され得る。
【００７７】
[0101]共有無線周波数スペクトル帯域へのアクセスを求めて競合するためのＥＣＣＡプロシージャがすでに実行されており、装置８０５が共有無線周波数スペクトル帯域に関してアイドル状態にあるとき、装置８０５は、共有無線周波数スペクトル帯域上での送信を開始する前に、ある数の連続ＣＣＡスロット中で１つまたは複数のＣＣＡプロシージャを実行し、共有無線周波数スペクトル帯域がＣＣＡスロットの各々中で利用可能であると決定するように構成され得る。
【００７８】
[0102]図８に示されているように、１つまたは複数のＣＣＡプロシージャが実行される連続ＣＣＡスロットの数は、４つの連続ＣＣＡスロットである。共有無線周波数スペクトル帯域は、４つの連続ＣＣＡスロットのうちの３つ中でのみ利用可能であるので、装置８０５は、共有無線周波数スペクトル帯域にアクセスしないことがあり、少なくともＲＴＳ送信のＷｉ−Ｆｉアクセスポイントの受信、または少なくとも、期間８５０中にＷｉ−Ｆｉアクセスポイント８３５によって送信されるデータのＷｉ−Ｆｉ局の受信に干渉しないことになる。装置８０５が、共有無線周波数スペクトル帯域が上記数の連続ＣＣＡスロットのうちの１つまたは複数中に占有される（すなわち、利用不可能である）と決定したとき、装置８０５は、ＥＣＣＡプロシージャを実行するための次のオケージョンまで共有無線周波数スペクトル帯域にアクセスすることを控えるように構成され得る。
【００７９】
[0103]図９は、本開示の様々な態様による、装置９０５（たとえば、基地局（ＢＳ）またはＵＥ）が共有無線周波数スペクトル帯域へのアクセスを求めて競合するときの、Ｗｉ−Ｆｉアクセスポイント（ＡＰ）９３５とＷｉ−Ｆｉ局（ＳＴＡ）９４５との間の、共有無線周波数スペクトル帯域上での通信の例示的なタイムライン９００を示す。Ｗｉ−Ｆｉアクセスポイント９３５またはＷｉ−Ｆｉ局９４５は、図１、図５、図７、または図８を参照しながら説明されたように、それぞれ、Ｗｉ−Ｆｉアクセスポイント１３５、５３５、７３５、または８３５あるいはＷｉ−Ｆｉ局１４５、５４５、７４５、または８４５のうちの１つまたは複数の態様の一例であり得る。装置９０５は、図１、図２、または図５を参照しながら説明された、基地局１０５、２０５、２０５−ａ、または５０５のうちの１つまたは複数、あるいはＵＥ１１５、２１５、２１５−ａ、２１５−ｂ、または２１５−ｃのうちの１つまたは複数の態様の一例であり得る。装置９０５は、同じくまたは代替的に、図７または図８を参照しながら説明された装置７０５または８０５のうちの１つまたは複数の態様の一例であり得る。
【００８０】
[0104]Ｗｉ−Ｆｉアクセスポイント９３５とＷｉ−Ｆｉ局９４５との間の通信は、たとえば、図６に示されたＷｉ−Ｆｉ送信フォーマットのいずれかを仮定し得、アップリンク送信とダウンリンク送信との間で１回または複数回切り替わり得る。例として、Ｗｉ−Ｆｉアクセスポイント９３５とＷｉ−Ｆｉ局９４５との間の通信は、図６に示された第１のＷｉ−Ｆｉ送信フォーマット６００を仮定することが示されており、期間９１０中にＷｉ−Ｆｉアクセスポイント９３５からＷｉ−Ｆｉ局９４５にデータが送信され、次いで、ＳＩＦＳ９２０に続く期間９３０中にＷｉ−Ｆｉ局９４５からＷｉ−Ｆｉアクセスポイント９３５にＡＣＫが送信される。
【００８１】
[0105]例として、図９は、Ｗｉ−Ｆｉ局９４５が装置９０５に対して隠れノードであると仮定し、したがって、装置９０５は、期間９１０中のデータ送信を検出し、共有無線周波数スペクトル帯域が期間９４０中に占有されると決定し得るが、期間９３０中のＷｉ−Ｆｉ局９４５によるＡＣＫ送信を検出しないことがある。その結果、装置９０５が、ＣＣＡスロット９５０および／または９６０のうちの１つ中にＥＣＣＡプロシージャを正常に完了したとき、装置９０５は、共有無線周波数スペクトル帯域が利用可能であると決定し、Ｗｉ−Ｆｉアクセスポイント９３５によるＡＣＫ送信の受信に干渉するデータを送信することを開始し得る。Ｗｉ−ＦｉアクセスポイントがＡＣＫ送信を受信することまたは適切に復号することに失敗することは、Ｗｉ−Ｆｉアクセスポイント９３５による指数バックオフの開始または継続をトリガし得る。
【００８２】
[0106]Ｗｉ−Ｆｉアクセスポイント９３５とＷｉ−Ｆｉ局９４５との間の送信における知覚されるギャップ中に装置９０５がＥＣＣＡプロシージャを正常に完了することになる見込みを減少させるための１つの方法は、少なくとも１つのＣＣＡが実行される少なくとも１つのＣＣＡスロットのためのＣＣＡエネルギー検出しきい値を変更することである。たとえば、装置９０５は、共有無線周波数スペクトル帯域が、期間９４０中に包摂されるＣＣＡスロット中に利用可能であるかどうかを決定するために、第１のＣＣＡエネルギー検出しきい値を使用し得る。第１のＣＣＡスロット９６０のための第１のＣＣＡエネルギー検出しきい値に少なくとも部分的に基づいて、共有無線周波数スペクトルが利用可能であると決定すると、装置９０５は、第１のＣＣＡスロット９６０中に共有無線周波数スペクトル帯域のエネルギーレベルを検知し、検知されたエネルギーレベルに少なくとも部分的に基づいて、第２のＣＣＡエネルギー検出しきい値（すなわち、動的ＣＣＡエネルギー検出しきい値、ここにおいて、動的ＣＣＡエネルギー検出しきい値は、共有無線周波数スペクトル帯域を使用する送信のエネルギーレベルに少なくとも部分的に基づいて変化し得る）を確立し得る。たとえば、検知されたエネルギーレベルは、期間９３０中のＡＣＫ送信のエネルギーレベルを含み得る。
【００８３】
[0107]装置９０５は、第２のＣＣＡエネルギー検出しきい値に少なくとも部分的に基づいて、ある数のＣＣＡプロシージャを実行し得る。上記数のＣＣＡプロシージャは、ＣＣＡスロットのセット中で（たとえば、第２のＣＣＡスロット９６５、第３のＣＣＡスロット９７０、第４のＣＣＡスロット９７５、第５のＣＣＡスロット９８０、および第６のＣＣＡスロット９８５中で）実行され得る。いくつかの例では、上記数のＣＣＡプロシージャは、ＣＣＡスロットごとに実行されるＣＣＡプロシージャを含み得る。いくつかの例では、上記数のＣＣＡプロシージャは、ＣＣＡスロットのセットにわたって（またはそれを含めて）実行される拡張ＣＣＡプロシージャを含み得る。装置９０５は、共有無線周波数スペクトル帯域が、ＣＣＡスロットのセット中に含まれるＣＣＡスロットのサブセット（たとえば、ＣＣＡスロットのセット中の１つの、複数の、またはすべてのＣＣＡスロットを含むサブセット）のために利用可能であると決定されたとき、共有無線周波数スペクトル帯域へのアクセスを求める競合に勝ち得る。いくつかの例では、１つまたは複数のＣＣＡスロットの第２の数は、図８を参照しながら説明されたように、連続ＣＣＡスロットの数を含み得る。いくつかの例では、ＣＣＡスロットのセットは、単一のＣＣＡスロット（たとえば、第２のＣＣＡスロット９６５）であり得る。第２のＣＣＡエネルギー検出しきい値が、ＣＣＡスロットのセット中で実行される上記数のＣＣＡプロシージャのために使用された後、ＣＣＡエネルギー検出しきい値は、後続のＣＣＡプロシージャまたはＥＣＣＡプロシージャを実行するために第１のＣＣＡエネルギー検出しきい値に回復され得る。
【００８４】
[0108]図１０は、本開示の様々な態様による、共有無線周波数スペクトル帯域へのアクセスを求めて競合する装置１００５（たとえば、基地局（ＢＳ）またはＵＥ）によってＥＣＣＡプロシージャが実行され得るＣＣＡスロット（たとえば、第１のＣＣＡスロット１０１０、第２のＣＣＡスロット１０１５など）の例示的なタイムライン１０００を示す。装置１００５は、図１、図２、または図５を参照しながら説明された、基地局１０５、２０５、２０５−ａ、または５０５のうちの１つまたは複数、あるいはＵＥ１１５、２１５、２１５−ａ、２１５−ｂ、または２１５−ｃのうちの１つまたは複数の態様の一例であり得る。装置１００５は、同じくまたは代替的に、図７、図８、または図９を参照しながら説明された装置７０５、８０５、または９０５のうちの１つまたは複数の態様の一例であり得る。
【００８５】
[0109]Ｗｉ−Ｆｉアクセスポイントと１つまたは複数のＷｉ−Ｆｉ局との間の送信における知覚されるギャップ中に装置１００５がＥＣＣＡプロシージャを正常に完了することになる見込みを減少させるための１つの方法は、拡張ＣＣＡプロシージャがＣＣＡスロット中で実行される最後のＣＣＡスロット１０２０の持続時間を（たとえば、２０マイクロ秒から４０、５０、または６０マイクロ秒に）増加させることである。いくつかの例では、共有無線周波数スペクトル帯域へのアクセスを求める競合に勝つことは、ＥＣＣＡプロシージャを正常に実行すること（これは、図１０では、ｑ＝３２個のＣＣＡスロットのうちのＮ＝１６個中で共有無線周波数スペクトル帯域が利用可能であるという決定を含むことが示されている）と、増加された持続時間の最後のＣＣＡスロット１０２０中でＥＣＣＡプロシージャを正常に実行することとを含み得る。（図示のように）両方の条件が満たされた場合、装置１００５は、最後のＣＣＡスロット１０２０に続く期間１０２５中に、共有無線周波数スペクトル帯域へのアクセスを求める競合に勝ち得る。一方または他方の条件が満たされない場合、装置１００５は、期間１０２５中に共有無線周波数スペクトル帯域にアクセスすることを控えるように構成され得る。いくつかの例では、共有無線周波数スペクトル帯域へのアクセスを求める競合に勝つことは、図８を参照しながら説明されたように、最後のＣＣＡスロット１０２０および１つまたは複数の連続ＣＣＡスロット中でＥＣＣＡプロシージャを正常に実行することを必要とし得る。いくつかの例では、最後のＣＣＡスロット１０２０の持続時間が増加され得、それのＣＣＡエネルギー検出しきい値が、図９を参照しながら説明されたように第２のＣＣＡエネルギー検出しきい値に設定し得る。ＥＣＣＡプロシージャへのそのような（１つまたは複数の）変更は、セルごとにまたはＵＥごとに行われ得、（１つまたは複数のＵＥのために）基地局によって、またはＵＥによって行われ得る。
【００８６】
[0110]図１１は、本開示の様々な態様による、共有無線周波数スペクトル帯域へのアクセスを求めて競合する装置１１０５（たとえば、基地局（ＢＳ）またはＵＥ）によって第１のＥＣＣＡプロシージャと第２のＥＣＣＡプロシージャとが実行され得るＣＣＡスロット（たとえば、第１のＣＣＡスロット１１１０、第２のＣＣＡスロット１１１５など）の例示的なタイムライン（たとえば、第１のタイムライン１１００、および第２のタイムライン１１５０）を示す。装置１１０５は、図１、図２、または図５を参照しながら説明された、基地局１０５、２０５、２０５−ａ、または５０５のうちの１つまたは複数、あるいはＵＥ１１５、２１５、２１５−ａ、２１５−ｂ、または２１５−ｃのうちの１つまたは複数の態様の一例であり得る。装置１１０５は、同じくまたは代替的に、図７、図８、図９、または図１０を参照しながら説明された装置７０５、８０５、９０５、または１００５のうちの１つまたは複数の態様の一例であり得る。
【００８７】
[0111]Ｗｉ−Ｆｉアクセスポイントと１つまたは複数のＷｉ−Ｆｉ局との間の送信における知覚されるギャップ中に装置１１０５がＥＣＣＡプロシージャを正常に完了することになる見込みを減少させるための１つの方法は、装置１１０５が共有無線周波数スペクトル帯域へのアクセスを求める競合に勝ち得る前に、複数のＥＣＣＡプロシージャを正常に実行するように装置１１０５を構成することである。いくつかの例では、複数のＥＣＣＡプロシージャは、第１のＥＣＣＡプロシージャと、それに続く第２のＥＣＣＡプロシージャとを含み得る。いくつかの例では、第１のＥＣＣＡプロシージャは、第１の数のＣＣＡスロットにわたって実行され得、第２のＥＣＣＡプロシージャは、第２の数のＣＣＡスロットにわたって実行され得る。いくつかの例では、第２の数のＣＣＡスロットは、第１の数のＣＣＡスロットよりも少ないことがある。いくつかの例では、第１のＥＣＣＡプロシージャと第２のＥＣＣＡプロシージャとは連続的に実行され得るか、または第１の数のＣＣＡスロットは第２の数のＣＣＡスロットに隣接することがある。
【００８８】
[0112]いくつかの例では、第１のＥＣＣＡプロシージャの成功した実行は、共有無線周波数スペクトル帯域が第１のランダム数のＣＣＡスロット（たとえば、Ｎ１個のＣＣＡスロット）のために利用可能であると決定するように構成され得、第２のＥＣＣＡプロシージャの成功した実行は、共有無線周波数スペクトル帯域が第２のランダム数のＣＣＡスロット（たとえば、Ｎ２個のＣＣＡスロット）のために利用可能であると決定するように構成され得る。第１のランダム数のＣＣＡスロットは、Ｎ１∈［ｑ１min，ｑ１max］であるように、第１の下限（ｑ１min）と第１の上限（ｑ１max）とを有する数の第１の範囲から選択され得、第２のランダム数のＣＣＡスロットは、Ｎ２∈［ｑ２min，ｑ２max］であるように、第２の下限（ｑ２min）と第２の上限（ｑ２max）とを有する数の第２の範囲から選択され得る。一例では、第１のランダム数および第２のランダム数は、Ｎ１∈［６，３２］およびＮ２∈［１，５］であるように選択され得る。Ｎ１およびＮ２が、数の重複する範囲から選択されるとき、いくつかの例では、Ｎ２がＮ１よりも小さいという制限が課され得る。第１のタイムライン１１００は、第１のＥＣＣＡプロシージャは成功しないが、第２のＥＣＣＡプロシージャが成功する一例を示す。第２のタイムライン１１５０は、第１のＥＣＣＡプロシージャが成功せず、第２のＥＣＣＡプロシージャが成功しない一例を示す。第２のＥＣＣＡプロシージャが成功しないとき、ある数の追加のＣＣＡスロット中でＣＣＡプロシージャが実行され得、ＣＣＡプロシージャが、連続するある数のＣＣＡスロット（たとえば、Ｎ２＝５つのスロット）中で成功した場合、共有無線周波数スペクトル帯域へのアクセスが得られ得る。
【００８９】
[0113]いくつかの例では、第２のＥＣＣＡプロシージャは、第２のＣＣＡエネルギー検出しきい値、より長い持続時間の最後のＣＣＡスロットなどとともに、図８、図９、または図１０を参照しながら説明されたように構成され得る。
【００９０】
[0114]図１２は、本開示の様々な態様による、装置１２０５（たとえば、基地局（ＢＳ）またはＵＥ）が共有無線周波数スペクトル帯域へのアクセスを求めて競合するときの、Ｗｉ−Ｆｉアクセスポイント（ＡＰ）１２３５とＷｉ−Ｆｉ局（ＳＴＡ）１２４５との間の、共有無線周波数スペクトル帯域上での通信の例示的なタイムライン１２００を示す。Ｗｉ−Ｆｉアクセスポイント１２３５またはＷｉ−Ｆｉ局１２４５は、図１、図５、図７、図８、または図９を参照しながら説明されたように、それぞれ、Ｗｉ−Ｆｉアクセスポイント１３５、５３５、７３５、８３５、または９３５あるいはＷｉ−Ｆｉ局１４５、５４５、７４５、８４５、または９４５のうちの１つまたは複数の態様の一例であり得る。装置１２０５は、図１、図２、または図５を参照しながら説明された、基地局１０５、２０５、２０５−ａ、または５０５のうちの１つまたは複数、あるいはＵＥ１１５、２１５、２１５−ａ、２１５−ｂ、または２１５−ｃのうちの１つまたは複数の態様の一例であり得る。装置１２０５は、同じくまたは代替的に、図７、図８、図９、図１０、または図１１を参照しながら説明された装置７０５、８０５、９０５、１００５、または１１０５のうちの１つまたは複数の態様の一例であり得る。
【００９１】
[0115]Ｗｉ−Ｆｉアクセスポイント１２３５とＷｉ−Ｆｉ局１２４５との間の通信は、たとえば、図６に示されたＷｉ−Ｆｉ送信フォーマットのいずれかを仮定し得、アップリンク送信とダウンリンク送信との間で１回または複数回切り替わり得る。例として、Ｗｉ−Ｆｉアクセスポイント１２３５とＷｉ−Ｆｉ局１２４５との間の通信は、図６に示された第１のＷｉ−Ｆｉ送信フォーマットを仮定することが示されており、期間１２１０中にＷｉ−Ｆｉアクセスポイント１２３５からＷｉ−Ｆｉ局１２４５にデータが送信され、次いで、ＳＩＦＳ１２２０に続く期間１２３０中にＷｉ−Ｆｉ局１２４５からＷｉ−Ｆｉアクセスポイント１２３５にＡＣＫが送信される。
【００９２】
[0116]例として、図１２は、Ｗｉ−Ｆｉ局１２４５が装置１２０５に対して隠れノードであると仮定し、したがって、装置１２０５は、期間１２１０中のデータ送信を検出し、共有無線周波数スペクトル帯域が期間１２４０中に占有されると決定し得るが、期間１２３０中のＡＣＫ送信を検出しないことがある。その結果、装置１２０５が、期間１２５０中にＥＣＣＡプロシージャを正常に完了した場合、装置１２０５は、共有無線周波数スペクトル帯域が利用可能であると決定し、Ｗｉ−Ｆｉアクセスポイント１２３５によるＡＣＫ送信の受信に干渉するデータを送信することを開始し得る。Ｗｉ−ＦｉアクセスポイントがＡＣＫ送信を受信することまたは適切に復号することに失敗することは、Ｗｉ−Ｆｉアクセスポイント１２３５による指数バックオフの開始または継続をトリガし得る。
【００９３】
[0117]Ｗｉ−Ｆｉアクセスポイント１２３５とＷｉ−Ｆｉ局１２４５との間の送信における知覚されるギャップ中に装置１２０５がＥＣＣＡプロシージャを正常に完了することになる見込みを減少させるための１つの方法は、共有無線周波数スペクトル帯域が利用不可能であると決定すると、延期期間１２５５（たとえば、アービトレーションフレーム間隔（ＡＩＦＳ：arbitration interframe spacing））を導入することである。延期期間１２５５は、装置１２０５が追加の数のＣＣＡプロシージャを実行する前に待つ期間であり得る（その追加の数のＣＣＡプロシージャは、１つまたは複数のＣＣＡプロシージャを含み得るか、またはその追加の数のＣＣＡプロシージャは、追加の数の１つまたは複数のＥＣＣＡプロシージャを含み得る）。共有無線周波数スペクトル帯域が、追加の数のＣＣＡプロシージャの各々のために利用可能であると決定すると、装置１２０５は、共有無線周波数スペクトル帯域へのアクセスを求める競合に勝ち得る。
【００９４】
[0118]いくつかの例では、延期期間１２５５は、Ｗｉ−Ｆｉ  ＡＩＦＳと同様に実装され、ＳＩＦＳの持続時間＋３つのＷｉ−Ｆｉスロット持続時間（たとえば、１６＋３＊９＝４３マイクロ秒）を有し得る。
【００９５】
[0119]Ｗｉ−Ｆｉノードは、Ｗｉ−Ｆｉネットワーク上での（たとえば、共有無線周波数スペクトル帯域上での）衝突を低減するための２つのメカニズムのうちの１つを使用し得る。第１のメカニズムは、パケットごとの指数バックオフであり、第２のメカニズムは、ある時間期間にわたる競合ウィンドウ最小長（ＣＷ＿ｍｉｎ）の適応である。共有無線周波数スペクトル帯域を使用する装置では、再送信に基づくＨＡＲＱ合成および／または高速チャネル品質インジケータ（ＣＱＩ）適応により、指数バックオフは必要でないことがある。しかしながら、ある時間期間にわたる、ＥＣＣＡプロシージャが実行されるＣＣＡスロットの最大数（たとえば、値「ｑ」）の適応は、Ｗｉ−Ｆｉノードとセルラーノードとの間のより良い共存を与え得る。いくつかの例では、１つまたは複数の装置によって使用されるｑの値は、干渉についての識別された可能性に応答して構成され得、干渉についてのその可能性は、たとえば、装置のエネルギー検出範囲内で検出された送信機の数（たとえば、Ｗｉ−Ｆｉ送信機の数）、（たとえば、ＵＥによって）フィードバックが報告される送信（たとえば、サブフレーム）の失敗率、（たとえば、ＵＥによって送信されたＡＣＫ／ＮＡＫをブランキングするバースト的干渉のために）エラーが報告されない送信（たとえば、サブフレーム）についての消去率、またはサポートされる変調およびコーディング方式（ＭＣＳ、たとえば、決定された基準信号受信電力（ＲＳＲＰ）に基づくＭＣＳ）と実際に使用されるＭＣＳ（たとえば、外部ループＨＡＲＱ処理に基づくＭＣＳ）との間の相違のうちの１つまたは複数に少なくとも部分的に基づいて識別され得る。
【００９６】
[0120]いくつかの例では、１つまたは複数の装置によって使用されるｑの値は、時間とともにｑを線形的に増加させることまたはｑを線形的に減少させることによって構成され得る。いくつかの例では、１つまたは複数の装置によって使用されるｑの値は、時間とともにｑを乗法的に増加させることまたはｑを線形的に減少させることによって構成され得る。いくつかの例では、１つまたは複数の装置によって使用されるｑの値は、時間とともにｑを乗法的に増加させることまたはｑを乗法的に減少させることによって構成され得る。
【００９７】
[0121]図１３は、本開示の様々な態様による、共有無線周波数スペクトル帯域へのアクセスを求めて競合する装置１３０５（たとえば、基地局またはＵＥ）によってＥＣＣＡプロシージャが実行され得るＣＣＡスロット（たとえば、第１のＣＣＡスロット１３１０、第２のＣＣＡスロット１３１５、第３のＣＣＡスロット１３２０、第４のＣＣＡスロット１３２５など）の例示的なタイムライン１３００を示す。装置１３０５は、図１、図２、または図５を参照しながら説明された、基地局１０５、２０５、２０５−ａ、または５０５のうちの１つまたは複数、あるいはＵＥ１１５、２１５、２１５−ａ、２１５−ｂ、２１５−ｃ、または５１５のうちの１つまたは複数の態様の一例であり得る。装置１３０５は、同じくまたは代替的に、図７、図８、図９、図１０、図１１、または図１２を参照しながら説明された装置７０５、８０５、９０５、１００５、１１０５、または１２０５のうちの１つまたは複数の態様の一例であり得る。
【００９８】
[0122]装置１３０５によるＥＣＣＡプロシージャの実行の第１の例（すなわち、「装置１３０５、例１」）に示されているように、ＥＣＣＡプロシージャは、ｑ＝１６個のＣＣＡスロットの観測期間にわたって実行され得、装置１３０５は、共有無線周波数スペクトル帯域がＮ＝９個のＣＣＡスロットのために利用可能（たとえば、アイドル）であると決定すると、共有無線周波数スペクトル帯域へのアクセスを求める競合に勝ち得る。図１３に示されているＥＣＣＡプロシージャでは、ＥＣＣＡプロシージャが実行される観測期間は、複数の連続公称時間期間（たとえば、第１の時間期間１３３０、第２の時間期間１３３５などを含む２０マイクロ秒の連続時間期間）に分割され得る。ＥＣＣＡプロシージャは、次いで、複数のＣＣＡスロット（たとえば、ｑ＝１６個のＣＣＡスロット）にわたって実行され得、ここで、ＣＣＡスロットの各々は、アイドルスロット（Ｉ）または占有スロット（Ｏ）であると決定され得る。アイドルＣＣＡスロットは、共有無線周波数スペクトル帯域が利用可能であると決定された、事前構成された時間期間（たとえば、連続公称時間期間のうちの１つ）に対応し得る。占有ＣＣＡソットは、共有無線周波数スペクトル帯域が利用不可能であると決定された隣接期間の全体（たとえば、３つの連続公称時間期間１３４０、１３４５、および１３５０）に対応し得る。
【００９９】
[0123]第１の例（装置１３０５、例１）の説明を続けると、およびさらなる例として、１３個のアイドルＣＣＡスロットと３つの占有ＣＣＡスロットとが、ＥＣＣＡプロシージャの実行中に識別され得る。したがって、装置１３０５は、時間１３５５において共有無線周波数スペクトル帯域へのアクセスを求める競合に勝ち、その後、共有無線周波数スペクトル帯域を予約するかまたは共有無線周波数スペクトル帯域にアクセスし得る。
【０１００】
[0124]装置１３０５によるＥＣＣＡプロシージャの実行の第２の例（すなわち、「装置１３０５、例２」）に示されているように、共有無線周波数スペクトル帯域が、示された数のＣＣＡスロットのために利用可能であると決定した後に、ＥＣＣＡプロシージャを中止することによって時間が節約され得る。たとえば、ｑ＝１６およびＮ＝９であり、第１の例において（すなわち、「装置１３０５、例１」において）使用される同じチャネル利用可能性がある場合、装置１３０５は、時間１３５５よりも前に、時間１３６０において共有無線周波数スペクトル帯域へのアクセスを求める競合に勝ち、ＥＣＣＡプロシージャを中止し得る。したがって、第２の例では、装置１３０５は、それが第１の例において共有無線周波数スペクトル帯域を予約するかまたは共有無線周波数スペクトル帯域にアクセスすることができるときよりも前である、時間１３６０において共有無線周波数スペクトル帯域を予約するかまたは共有無線周波数スペクトル帯域にアクセスし得る。
【０１０１】
[0125]装置１３０５によるＥＣＣＡプロシージャの実行の第３の例（すなわち、「装置１３０５、例３」）に示されているように、共有無線周波数スペクトル帯域がＮ個のＣＣＡスロット利用可能であるという条件を満たすことがもはや可能でないほどに十分なＣＣＡスロット中に共有無線周波数スペクトル帯域が利用不可能であると決定した後に、第１のＥＣＣＡプロシージャを中止することによって、時間が同じく節約され得る。たとえば、ｑ＝１６およびＮ＝１４であり、第１および第２の例において（すなわち、「装置１３０５、例１」および「装置１３０５、例２」において）使用される同じチャネル利用可能性がある場合、装置１３０５は、時間１３５５よりも前に、時間１３６５において、装置１３０５が共有無線周波数スペクトル帯域へのアクセスを求める競合に勝つことができないと決定し、第１のＥＣＣＡプロシージャを中止し得る。第１のＥＣＣＡプロシージャを中止すると、装置１３０５は第２のＥＣＣＡプロシージャを開始し得る。第２のＥＣＣＡプロシージャは、第１のＥＣＣＡプロシージャが終了した直後に、または延期期間の後に、または共有無線周波数スペクトル帯域へのアクセスを求めて競合するための次のオケージョンにおいて開始し得る。いくつかの例では、装置１３０５は、第２のＥＣＣＡプロシージャが、ｑまたはＮのより大きい値のコンテキストにおいて実行されるように、指数バックオフメカニズムを実装し得る。いくつかの例では、ｑの値は、実行される逐次ＥＣＣＡプロシージャごとに２倍にされ得る。いくつかの例では、ｑの値は、線形的または乗法的様式で増分され得る。共有無線周波数スペクトル帯域へのアクセスを求める競合に勝つと、またはある時間期間が経過した後、またはｑの値が最大値（たとえば、ｑ＝１０２４）に達した後、ｑの値は、線形的または乗法的様式で減分され得るか、またはｑの値は、ｑの初期値（たとえば、ｑ＝１６）にリセットされ得る。
【０１０２】
[0126]図１３に示されている第２および第３の例（すなわち、「装置１３０５、例２」および「装置１３０５、例３」）に関して説明された（１つまたは複数の）ＥＣＣＡプロシージャは、共有無線周波数スペクトル帯域を求めて競合する異なる装置が互いと同期し、共有無線周波数スペクトル帯域にアクセスする際に衝突することになる見込みを低減し得る。図１３に示されている第２および第３の例はまた、特に、ｑ値が比較的大きく、Ｎ値が比較的小さいとき、共有無線周波数スペクトル帯域にアクセスするための時間を低減し得る。
【０１０３】
[0127]図１４は、本開示の様々な態様による、ワイヤレス通信において使用するための装置１４０５のブロック図１４００を示す。装置１４０５は、図１、図２、または図５を参照しながら説明された、基地局１０５、２０５、２０５−ａ、または５０５のうちの１つまたは複数の態様、あるいはＵＥ１１５、２１５、２１５−ａ、２１５−ｂ、または２１５−ｃの１つまたは複数の態様の一例であり得る。装置１４０５は、同じくまたは代替的に、図７、図８、図９、図１０、図１１、図１２、または図１３を参照しながら説明された装置７０５、８０５、９０５、１００５、１１０５、１２０５、または１３０５のうちの１つまたは複数の態様の一例であり得る。装置１４０５はまた、プロセッサであるか、またはプロセッサを含み得る。装置１４０５は、受信機コンポーネント１４１０、ワイヤレス通信管理コンポーネント１４２０、または送信機コンポーネント１４３０を含み得る。これらのコンポーネントの各々は互いと通信していることがある。
【０１０４】
[0128]装置１４０５のコンポーネントは、適用可能な機能の一部または全部をハードウェアで実行するように適応された１つまたは複数の特定用途向け集積回路（ＡＳＩＣ）を使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、フィールドプログラマブルゲートアレイ（ＦＰＧＡ）、システムオンチップ（ＳｏＣ）、または他のタイプのセミカスタムＩＣ）が使用され得る。各コンポーネントの機能はまた、全体的にまたは部分的に、１つまたは複数の汎用または特定用途向けプロセッサによって実行されるようにフォーマットされた、メモリ中に組み込まれた命令を用いて実装され得る。
【０１０５】
[0129]いくつかの例では、受信機コンポーネント１４１０は、専用無線周波数スペクトル帯域または共有無線周波数スペクトル帯域上での送信を受信するように動作可能な少なくとも１つの無線周波数（ＲＦ）受信機など、少なくとも１つのＲＦ受信機を含み得る。専用無線周波数スペクトル帯域は、送信装置がアクセスを求めて競合しないことがある、無線周波数スペクトル帯域（たとえば、ＬＴＥ／ＬＴＥ−Ａ通信のために使用可能な認可無線周波数スペクトル帯域など、特定の使用のための特定のユーザに認可された無線周波数スペクトル帯域）を含み得る。共有無線周波数スペクトル帯域は、送信装置がアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。いくつかの例では、専用無線周波数スペクトル帯域または共有無線周波数スペクトル帯域は、たとえば、図１または図２を参照しながら説明されたように、ＬＴＥ／ＬＴＥ−Ａ通信のために使用され得る。受信機コンポーネント１４１０は、図１または図２を参照しながら説明されたワイヤレス通信システム１００または２００の１つまたは複数の通信リンクなど、ワイヤレス通信システムの１つまたは複数の通信リンク上で様々なタイプのデータまたは制御信号（すなわち、送信）を受信するために使用され得る。通信リンクは、専用無線周波数スペクトル帯域または共有無線周波数スペクトル帯域上で確立され得る。
【０１０６】
[0130]いくつかの例では、送信機コンポーネント１４３０は、専用無線周波数スペクトル帯域または共有無線周波数スペクトル帯域上で送信するように動作可能な少なくとも１つのＲＦ送信機など、少なくとも１つのＲＦ送信機を含み得る。送信機コンポーネント１４３０は、図１または図２を参照しながら説明されたワイヤレス通信システム１００または２００の１つまたは複数の通信リンクなど、ワイヤレス通信システムの１つまたは複数の通信リンク上で様々なタイプのデータまたは制御信号（すなわち、送信）を送信するために使用され得る。通信リンクは、専用無線周波数スペクトル帯域または共有無線周波数スペクトル帯域上で確立され得る。
【０１０７】
[0131]いくつかの例では、ワイヤレス通信管理コンポーネント１４２０は、装置１４０５のためのワイヤレス通信の１つまたは複数の態様を管理するために使用され得る。いくつかの例では、ワイヤレス通信管理コンポーネント１４２０は、第１のＲＡＴ通信検知コンポーネント１４３５または第２のＲＡＴパラメータ構成コンポーネント１４４０を含み得る。
【０１０８】
[0132]いくつかの例では、第１のＲＡＴ通信検知コンポーネント１４３５は、共有無線周波数スペクトル帯域を占有する第１のＲＡＴ（たとえば、Ｗｉ−Ｆｉ  ＲＡＴ）通信のインジケーションを検知するために使用され得る。第１のＲＡＴ通信は、装置１４０５または１つまたは複数の他の装置へのまたは１つまたは複数の他の装置からの送信との干渉するの原因であることもないこともある。
【０１０９】
[0133]いくつかの例では、第２のＲＡＴパラメータ構成コンポーネント１４４０は、検知することに応答して、共有無線周波数スペクトル帯域へのアクセスを求めて競合するためにデバイスによって使用される第２のＲＡＴ（たとえば、セルラーＲＡＴ）の少なくとも１つのパラメータを構成するために使用され得る。デバイスは、装置１４０５または別の装置であり得る。たとえば、装置１４０５が基地局であるとき、第２のＲＡＴの少なくとも１つのパラメータが構成されるデバイスは、装置１４０５、単一のＵＥ、または複数のＵＥ（たとえば、装置１４０５がその中で動作するセルのＵＥのすべて）であり得る。装置１４０５がＵＥであるとき、第２のＲＡＴの少なくとも１つのパラメータが構成されるデバイスは装置１４０５であり得る。
【０１１０】
[0134]図１５は、本開示の様々な態様による、ワイヤレス通信において使用するための装置１５０５のブロック図１５００を示す。装置１５０５は、図１、図２、または図５を参照しながら説明された、基地局１０５、２０５、２０５−ａ、または５０５のうちの１つまたは複数の態様、あるいはＵＥ１１５、２１５、２１５−ａ、２１５−ｂ、または２１５−ｃの１つまたは複数の態様の一例であり得る。装置１５０５は、同じくまたは代替的に、図７、図８、図９、図１０、図１１、図１２、図１３、または図１４を参照しながら説明された装置７０５、８０５、９０５、１００５、１１０５、１２０５、１３０５、または１４０５のうちの１つまたは複数の態様の一例であり得る。装置１５０５はまた、プロセッサであるか、またはプロセッサを含み得る。装置１５０５は、受信機コンポーネント１５１０、ワイヤレス通信管理コンポーネント１５２０、または送信機コンポーネント１５３０を含み得る。これらのコンポーネントの各々は互いと通信していることがある。
【０１１１】
[0135]装置１５０５のコンポーネントは、適用可能な機能の一部または全部をハードウェアで実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、ＳｏＣ、または他のタイプのセミカスタムＩＣ）が使用され得る。各コンポーネントの機能はまた、全体的にまたは部分的に、１つまたは複数の汎用または特定用途向けプロセッサによって実行されるようにフォーマットされた、メモリ中に組み込まれた命令を用いて実装され得る。
【０１１２】
[0136]いくつかの例では、受信機コンポーネント１５１０は、専用無線周波数スペクトル帯域または共有無線周波数スペクトル帯域上での送信を受信するように動作可能な少なくとも１つのＲＦ受信機など、少なくとも１つのＲＦ受信機を含み得る。専用無線周波数スペクトル帯域は、送信装置がアクセスを求めて競合しないことがある、無線周波数スペクトル帯域（たとえば、ＬＴＥ／ＬＴＥ−Ａ通信のために使用可能な認可無線周波数スペクトル帯域など、特定の使用のための特定のユーザに認可された無線周波数スペクトル帯域）を含み得る。共有無線周波数スペクトル帯域は、送信装置がアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。いくつかの例では、専用無線周波数スペクトル帯域または共有無線周波数スペクトル帯域は、たとえば、図１または図２を参照しながら説明されたように、ＬＴＥ／ＬＴＥ−Ａ通信のために使用され得る。受信機コンポーネント１５１０は、いくつかの場合には、専用無線周波数スペクトル帯域および共有無線周波数スペクトル帯域のための別個の受信機を含み得る。別個の受信機は、いくつかの例では、専用無線周波数スペクトル帯域上で通信するためのＬＴＥ／ＬＴＥ−Ａ受信機コンポーネント（たとえば、専用ＲＦスペクトル帯域のためのＬＴＥ／ＬＴＥ−Ａ受信機コンポーネント１５１２）、および共有無線周波数スペクトル帯域上で通信するためのＬＴＥ／ＬＴＥ−Ａ受信機コンポーネント（たとえば、共有ＲＦスペクトル帯域のためのＬＴＥ／ＬＴＥ−Ａ受信機コンポーネント１５１４）の形態をとり得る。専用ＲＦスペクトル帯域のためのＬＴＥ／ＬＴＥ−Ａ受信機コンポーネント１５１２または共有ＲＦスペクトル帯域のためのＬＴＥ／ＬＴＥ−Ａ受信機コンポーネント１５１４を含む受信機コンポーネント１５１０は、図１または図２を参照しながら説明されたワイヤレス通信システム１００または２００の１つまたは複数の通信リンクなど、ワイヤレス通信システムの１つまたは複数の通信リンク上で様々なタイプのデータまたは制御信号（すなわち、送信）を受信するために使用され得る。通信リンクは、専用無線周波数スペクトル帯域または共有無線周波数スペクトル帯域上で確立され得る。
【０１１３】
[0137]いくつかの例では、送信機コンポーネント１５３０は、専用無線周波数スペクトル帯域または共有無線周波数スペクトル帯域上で送信するように動作可能な少なくとも１つのＲＦ送信機など、少なくとも１つのＲＦ送信機を含み得る。送信機コンポーネント１５３０は、いくつかの場合には、専用無線周波数スペクトル帯域および共有無線周波数スペクトル帯域のための別個の送信機を含み得る。別個の送信機は、いくつかの例では、専用無線周波数スペクトル帯域上で通信するためのＬＴＥ／ＬＴＥ−Ａ送信機コンポーネント（たとえば、専用ＲＦスペクトル帯域のためのＬＴＥ／ＬＴＥ−Ａ送信機コンポーネント１５３２）、および共有無線周波数スペクトル帯域上で通信するためのＬＴＥ／ＬＴＥ−Ａ送信機コンポーネント（たとえば、共有ＲＦスペクトル帯域のためのＬＴＥ／ＬＴＥ−Ａ送信機コンポーネント１５３４）の形態をとり得る。専用ＲＦスペクトル帯域のためのＬＴＥ／ＬＴＥ−Ａ送信機コンポーネント１５３２または共有ＲＦスペクトル帯域のためのＬＴＥ／ＬＴＥ−Ａ送信機コンポーネント１５３４を含む送信機コンポーネント１５３０は、図１または図２を参照しながら説明されたワイヤレス通信システム１００または２００の１つまたは複数の通信リンクなど、ワイヤレス通信システムの１つまたは複数の通信リンク上で様々なタイプのデータまたは制御信号（すなわち、送信）を送信するために使用され得る。通信リンクは、第１の無線周波数スペクトル帯域または第２の無線周波数スペクトル帯域上で確立され得る。
【０１１４】
[0138]いくつかの例では、ワイヤレス通信管理コンポーネント１５２０は、装置１５０５のためのワイヤレス通信の１つまたは複数の態様を管理するために使用され得る。いくつかの例では、ワイヤレス通信管理コンポーネント１５２０は、第１のＲＡＴ通信検知コンポーネント１５３５または第２のＲＡＴパラメータ構成コンポーネント１５４０を含み得る。
【０１１５】
[0139]いくつかの例では、第１のＲＡＴ通信検知コンポーネント１５３５は、共有無線周波数スペクトル帯域を占有する第１のＲＡＴ（たとえば、Ｗｉ−Ｆｉ  ＲＡＴ）通信のインジケーションを検知するために使用され得る。いくつかの例では、第１のＲＡＴ通信検知コンポーネント１５３５は、送信機検出コンポーネント１５４５、送信失敗識別コンポーネント１５５０、消去率識別コンポーネント１５５５、またはＭＣＳ差異検出コンポーネント１５６０を含み得る。送信機検出コンポーネント１５４５は、デバイスのエネルギー検出範囲内の（たとえば、装置１５０５または１つまたは複数の他の装置の範囲内の）送信機の数（たとえば、Ｗｉ−Ｆｉ送信機の数）を検出するために使用され得る。送信失敗識別コンポーネント１５５０は、（たとえば、装置１５０５によって、または１つまたは複数の他の装置によって）フィードバックが報告される送信（たとえば、サブフレーム）の失敗率を決定するために使用され得る。消去率識別コンポーネント１５５５は、（たとえば、装置１５０５または１つまたは複数の他の装置によって送信されたＡＣＫ／ＮＡＫをブランキングするバースト的干渉のために）エラーが報告されない送信（たとえば、サブフレーム）についての消去率を決定するために使用され得る。ＭＣＳ差異検出コンポーネント１５６０は、１）装置１５０５または１つまたは複数の他の装置のためのサポートされる変調およびコーディング方式（ＭＣＳ、たとえば、決定された基準信号受信電力（ＲＳＲＰ）に基づくＭＣＳ）と、２）装置１５０５または１つまたは複数の他の装置によって実際に使用されるＭＣＳ（たとえば、外部ループＨＡＲＱ処理に基づくＭＣＳ）との間の相違を検出するために使用され得る。いくつかの例では、第１のＲＡＴ通信検知コンポーネント１５３５は、送信機検出コンポーネント１５４５、送信失敗識別コンポーネント１５５０、消去率識別コンポーネント１５５５、またはＭＣＳ差異検出コンポーネント１５６０のうちの１つまたは複数によって行われた検出または決定に少なくとも部分的に基づいて、第１のＲＡＴ通信のインジケーションを検知し得る。
【０１１６】
[0140]いくつかの例では、第２のＲＡＴパラメータ構成コンポーネント１５４０は、検知することに応答して、共有無線周波数スペクトル帯域へのアクセスを求めて競合するためにデバイスによって使用される第２のＲＡＴ（たとえば、セルラーＲＡＴ）の少なくとも１つのパラメータを構成するために使用され得る。デバイスは、装置１５０５または別の装置であり得る。たとえば、装置１５０５が基地局であるとき、第２のＲＡＴの少なくとも１つのパラメータが構成されるデバイスは、装置１５０５、単一のＵＥ、または複数のＵＥ（たとえば、装置１５０５がその中で動作するセルのＵＥのすべて）であり得る。装置１５０５がＵＥであるとき、第２のＲＡＴの少なくとも１つのパラメータが構成されるデバイスは装置１５０５であり得る。
【０１１７】
[0141]いくつかの例では、第２のＲＡＴパラメータ構成コンポーネント１５４０は、ＥＣＣＡ構成コンポーネント１５６５、連続ＣＣＡスロット構成コンポーネント１５７０、ＣＣＡエネルギー検出しきい値構成コンポーネント１５７５、ＣＣＡスロット持続時間構成コンポーネント１５８０、ＥＣＣＡ数構成コンポーネント１５８５、またはＣＣＡ／ＥＣＣＡ延期期間構成コンポーネント１５９０を含み得る。
【０１１８】
[0142]いくつかの例では、ＥＣＣＡ構成コンポーネント１５６５は、デバイスのためのＥＣＣＡプロシージャを構成するために使用され得、ＥＣＣＡ範囲構成コンポーネント１５９５を含み得る。ＥＣＣＡ範囲構成コンポーネント１５９５は、いくつかの例では、数の範囲を構成するために使用され得、数の範囲からランダム数が選択され得る。ランダム数は、デバイスがＥＣＣＡプロシージャを実行するＣＣＡスロットの数を決定し得る。いくつかの例では、数の範囲は、数の範囲の下限を増加させること、または数の範囲の上限を増加させること、またはそれらの組合せのうちの少なくとも１つによって構成され得る。
【０１１９】
[0143]いくつかの例では、ＥＣＣＡ範囲構成コンポーネント１５９５は、同じくまたは代替的に、ＣＣＡスロットの最大数を線形的に増加させること、またはＣＣＡスロットの最大数を線形的に減少させることによって、拡張ＣＣＡプロシージャが実行されるＣＣＡスロットの最大数を構成するために使用され得る。いくつかの例では、ＥＣＣＡ範囲構成コンポーネント１５９５は、ＣＣＡスロットの数を乗法的に増加させること、またはＣＣＡスロットの数を線形的に減少させることによって、ＥＣＣＡプロシージャが実行されるＣＣＡスロットの最大数を構成するために使用され得る。いくつかの例では、ＥＣＣＡ範囲構成コンポーネント１５９５は、ＣＣＡスロットの数を乗法的に増加させること、またはＣＣＡスロットの数を乗法的に減少させることによって、ＥＣＣＡプロシージャが実行されるＣＣＡスロットの最大数を構成するために使用され得る。
【０１２０】
[0144]いくつかの例では、連続ＣＣＡスロット構成コンポーネント１５７０は、デバイスが共有無線周波数スペクトル帯域へのアクセスを求める競合に勝つ前に、共有無線周波数スペクトル帯域が利用可能である連続ＣＣＡスロットの数を識別するために使用され得る。デバイスが共有無線周波数スペクトル帯域へのアクセスを求める競合に勝っていないとき、ＣＣＡスロットの識別された数は、ＥＣＣＡプロシージャが実行されるＣＣＡスロットの最後の数であり得る。代替的に、デバイスが共有無線周波数スペクトル帯域へのアクセスを求める競合に勝っていないとき、ＣＣＡスロットの識別された数は、ＥＣＣＡプロシージャが実行されるＣＣＡスロットの最後の数、またはＥＣＣＡプロシージャが実行される最後のＣＣＡスロットに続く少なくとも１つのＣＣＡスロットと組み合わせた、ＥＣＣＡプロシージャが実行されるＣＣＡスロットの数のうちの少なくとも１つを含み得る。デバイスが、共有無線周波数スペクトル帯域へのアクセスを求める競合に勝っており、共有無線周波数スペクトル帯域に関してアイドル状態にあるとき、指定された数のＣＣＡスロットは、ＣＣＡプロシージャが実行されるべきであるＣＣＡスロットを含み得る。
【０１２１】
[0145]いくつかの例では、ＣＣＡエネルギー検出しきい値構成コンポーネント１５７５は、第１のＣＣＡエネルギー検出しきい値（たとえば、デフォルトＣＣＡエネルギー検出しきい値）または第２のＣＣＡエネルギー検出しきい値（たとえば、動的ＣＣＡエネルギー検出しきい値）を構成するために使用され得る。ＣＣＡエネルギー検出しきい値構成コンポーネント１５７５は、少なくとも１つのＣＣＡプロシージャが実行される少なくとも１つのＣＣＡスロットのための第２のＣＣＡエネルギー検出しきい値を構成し得る。同じくまたは代替的に、ＣＣＡエネルギー検出しきい値構成コンポーネント１５７５は、共有無線周波数スペクトル帯域が占有される期間に続いて共有無線周波数スペクトル帯域のエネルギーレベルを検知するようにデバイスを構成することと、検知されたエネルギーに少なくとも部分的に基づいて第２のＣＣＡエネルギー検出しきい値を構成することとのために使用され得る。ＣＣＡエネルギー検出しきい値構成コンポーネント１５７５はまた、ＣＣＡスロットのセット中で、第２のＣＣＡエネルギー検出しきい値に少なくとも部分的に基づいて、ある数のＣＣＡプロシージャを実行するようにデバイスを構成することと、共有無線周波数スペクトル帯域が、ＣＣＡスロットのセット中に含まれるＣＣＡスロットのサブセット（たとえば、ＣＣＡスロットのセット中の１つの、複数の、またはすべてのＣＣＡスロットを含むサブセット）のために利用可能であると決定されたとき、共有無線周波数スペクトル帯域へのアクセスを求める競合に勝つようにデバイスを構成することとのために使用され得る。いくつかの例では、第２の数のＣＣＡスロットは、いくつかの連続ＣＣＡスロットであり得る。
【０１２２】
[0146]いくつかの例では、ＣＣＡスロット持続時間構成コンポーネント１５８０は、ＥＣＣＡプロシージャが実行される最後のＣＣＡスロットの持続時間を増加させるために使用され得る。いくつかの例では、ＣＣＡスロット持続時間構成コンポーネント１５８０は、ＣＣＡエネルギー検出しきい値構成コンポーネント１５７５に、ＥＣＣＡプロシージャが実行される最後のＣＣＡスロットのための第２のＣＣＡエネルギー検出しきい値をも構成させ得る。
【０１２３】
[0147]いくつかの例では、ＥＣＣＡ数構成コンポーネント１５８５は、共有無線周波数スペクトル帯域へのアクセスを求めて競合するために複数のＥＣＣＡプロシージャを実行するようにデバイスを構成するために使用され得る。いくつかの例では、複数のＥＣＣＡプロシージャは、第１のＥＣＣＡプロシージャと、それに続く第２のＥＣＣＡプロシージャとを含み得る。いくつかの例では、第１のＥＣＣＡプロシージャは、第１の数のＣＣＡスロットにわたって実行されるように構成され得、第２のＥＣＣＡプロシージャは、第２の数のＣＣＡスロットにわたって実行されるように構成され得る。第２の数は第１の数よりも小さいことがある。いくつかの例では、ＥＣＣＡ数構成コンポーネント１５８５は、第２のＥＣＣＡ中またはその後に、デバイスが共有無線周波数スペクトル帯域へのアクセスを求める競合に勝つ前に、共有無線周波数スペクトル帯域が利用可能である連続ＣＣＡスロットの数を識別するようにデバイスを構成することを連続ＣＣＡスロット構成コンポーネント１５７０に行わせ得る。
【０１２４】
[0148]いくつかの例では、ＣＣＡ／ＥＣＣＡ延期期間構成コンポーネント１５９０は、デバイスのための延期期間を構成するために使用され得る。延期期間は、共有無線周波数スペクトル帯域が利用不可能であると決定すると、デバイスが、（いくつかの場合には、ある数のＥＣＣＡプロシージャを含み得る）追加の数のＣＣＡプロシージャを実行する前に延期期間の間待つことを引き起こし得る。
【０１２５】
[0149]図１６は、本開示の様々な態様による、ワイヤレス通信において使用するための装置１６０５のブロック図１６００を示す。装置１６０５は、図１、図２、または図５を参照しながら説明された、基地局１０５、２０５、２０５−ａ、または５０５のうちの１つまたは複数の態様、あるいはＵＥ１１５、２１５、２１５−ａ、２１５−ｂ、または２１５−ｃの１つまたは複数の態様の一例であり得る。装置１６０５は、同じくまたは代替的に、図７、図８、図９、図１０、図１１、図１２、図１３、図１４、または図１５を参照しながら説明された装置７０５、８０５、９０５、１００５、１１０５、１２０５、１３０５、１４０５、または１５０５のうちの１つまたは複数の態様の一例であり得る。装置１６０５はまた、プロセッサであるか、またはプロセッサを含み得る。装置１６０５は、受信機コンポーネント１６１０、ワイヤレス通信管理コンポーネント１６２０、または送信機コンポーネント１６３０を含み得る。これらのコンポーネントの各々は互いと通信していることがある。
【０１２６】
[0150]装置１６０５のコンポーネントは、適用可能な機能の一部または全部をハードウェアで実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、ＳｏＣ、または他のタイプのセミカスタムＩＣ）が使用され得る。各コンポーネントの機能はまた、全体的にまたは部分的に、１つまたは複数の汎用または特定用途向けプロセッサによって実行されるようにフォーマットされた、メモリ中に組み込まれた命令を用いて実装され得る。
【０１２７】
[0151]いくつかの例では、受信機コンポーネント１６１０は、専用無線周波数スペクトル帯域または共有無線周波数スペクトル帯域上での送信を受信するように動作可能な少なくとも１つの無線周波数（ＲＦ）受信機など、少なくとも１つのＲＦ受信機を含み得る。専用無線周波数スペクトル帯域は、送信装置がアクセスを求めて競合しないことがある、無線周波数スペクトル帯域（たとえば、ＬＴＥ／ＬＴＥ−Ａ通信のために使用可能な認可無線周波数スペクトル帯域など、特定の使用のための特定のユーザに認可された無線周波数スペクトル帯域）を含み得る。共有無線周波数スペクトル帯域は、送信装置がアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。いくつかの例では、専用無線周波数スペクトル帯域または共有無線周波数スペクトル帯域は、たとえば、図１または図２を参照しながら説明されたように、ＬＴＥ／ＬＴＥ−Ａ通信のために使用され得る。受信機コンポーネント１６１０は、図１または図２を参照しながら説明されたワイヤレス通信システム１００または２００の１つまたは複数の通信リンクなど、ワイヤレス通信システムの１つまたは複数の通信リンク上で様々なタイプのデータまたは制御信号（すなわち、送信）を受信するために使用され得る。通信リンクは、専用無線周波数スペクトル帯域または共有無線周波数スペクトル帯域上で確立され得る。
【０１２８】
[0152]いくつかの例では、送信機コンポーネント１６３０は、専用無線周波数スペクトル帯域または共有無線周波数スペクトル帯域上で送信するように動作可能な少なくとも１つのＲＦ送信機など、少なくとも１つのＲＦ送信機を含み得る。送信機コンポーネント１６３０は、図１または図２を参照しながら説明されたワイヤレス通信システム１００または２００の１つまたは複数の通信リンクなど、ワイヤレス通信システムの１つまたは複数の通信リンク上で様々なタイプのデータまたは制御信号（すなわち、送信）を送信するために使用され得る。通信リンクは、専用無線周波数スペクトル帯域または共有無線周波数スペクトル帯域上で確立され得る。
【０１２９】
[0153]いくつかの例では、ワイヤレス通信管理コンポーネント１６２０は、装置１６０５のためのワイヤレス通信の１つまたは複数の態様を管理するために使用され得る。いくつかの例では、ワイヤレス通信管理コンポーネント１６２０は、ＥＣＣＡプロシージャ構成コンポーネント１６３５またはＥＣＣＡプロシージャ実行コンポーネント１６４０を含み得る。
【０１３０】
[0154]いくつかの例では、ＥＣＣＡプロシージャ構成コンポーネント１６３５は、ＥＣＣＡプロシージャを構成するために使用され得る。いくつかの例では、ＥＣＣＡプロシージャを構成することは、下限と上限との間に及ぶ数の範囲から数をランダムに選択することを含み得る。その数は、ＥＣＣＡプロシージャの実行中に、ＥＣＣＡプロシージャを実行する装置が共有無線周波数スペクトル帯域へのアクセスを求める競合に勝つことができる前に、共有無線周波数スペクトル帯域が「利用可能」と決定されなければならないＣＣＡスロットの数を決定し得る。
【０１３１】
[0155]いくつかの例では、ＥＣＣＡプロシージャ実行コンポーネント１６４０は、構成されたＥＣＣＡプロシージャを実行するために使用され得る。ＥＣＣＡプロシージャを実行することは、複数のＣＣＡスロットにわたってＥＣＣＡプロシージャを実行することによって、共有無線周波数スペクトル帯域へのアクセスを求めて競合することを含み得る。複数のＣＣＡスロットは、数の範囲の上限に等しい第１の数のＣＣＡスロットを含み得る。ＥＣＣＡプロシージャ実行コンポーネント１６４０は、ＥＣＣＡプロシージャが実行されている間、共有無線周波数スペクトル帯域が、ランダムに選択された数に等しい第２の数のＣＣＡスロットのために利用可能であると決定した後に、共有無線周波数スペクトル帯域へのアクセスを求める競合に勝ったと決定し得る。いくつかの例では、ＥＣＣＡプロシージャ実行コンポーネント１６４０は成功ＥＣＣＡ中止コンポーネント１６４５を含み得る。成功ＥＣＣＡ中止コンポーネント１６４５は、共有無線周波数スペクトル帯域へのアクセスを求める競合に勝ったと決定すると、ＥＣＣＡプロシージャを中止し得る。
【０１３２】
[0156]いくつかの例では、ＥＣＣＡプロシージャが実行されるＣＣＡスロットの各々は、共有無線周波数スペクトル帯域が利用可能である事前構成された時間期間、または共有無線周波数スペクトル帯域が利用不可能である隣接期間の全体を含み得る。他の例では、ＥＣＣＡプロシージャが実行されるＣＣＡスロットの各々は、事前構成された時間期間を含み得る。
【０１３３】
[0157]図１７は、本開示の様々な態様による、ワイヤレス通信において使用するための装置１７０５のブロック図１７００を示す。装置１７０５は、図１、図２、または図５を参照しながら説明された、基地局１０５、２０５、２０５−ａ、または５０５のうちの１つまたは複数の態様、あるいはＵＥ１１５、２１５、２１５−ａ、２１５−ｂ、または２１５−ｃの１つまたは複数の態様の一例であり得る。装置１７０５は、同じくまたは代替的に、図７、図８、図９、図１０、図１１、図１２、図１３、図１４、図１５、または図１６を参照しながら説明された装置７０５、８０５、９０５、１００５、１１０５、１２０５、１３０５、１４０５、１５０５、または１６０５のうちの１つまたは複数の態様の一例であり得る。装置１７０５はまた、プロセッサであるか、またはプロセッサを含み得る。装置１７０５は、受信機コンポーネント１７１０、ワイヤレス通信管理コンポーネント１７２０、または送信機コンポーネント１７３０を含み得る。これらのコンポーネントの各々は互いと通信していることがある。
【０１３４】
[0158]装置１７０５のコンポーネントは、適用可能な機能の一部または全部をハードウェアで実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、ＳｏＣ、または他のタイプのセミカスタムＩＣ）が使用され得る。各コンポーネントの機能はまた、全体的にまたは部分的に、１つまたは複数の汎用または特定用途向けプロセッサによって実行されるようにフォーマットされた、メモリ中に組み込まれた命令を用いて実装され得る。
【０１３５】
[0159]いくつかの例では、受信機コンポーネント１７１０は、専用無線周波数スペクトル帯域または共有無線周波数スペクトル帯域上での送信を受信するように動作可能な少なくとも１つのＲＦ受信機など、少なくとも１つのＲＦ受信機を含み得る。専用無線周波数スペクトル帯域は、送信装置がアクセスを求めて競合しないことがある、無線周波数スペクトル帯域（たとえば、ＬＴＥ／ＬＴＥ−Ａ通信のために使用可能な認可無線周波数スペクトル帯域など、特定の使用のための特定のユーザに認可された無線周波数スペクトル帯域）を含み得る。共有無線周波数スペクトル帯域は、送信装置がアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。いくつかの例では、専用無線周波数スペクトル帯域または共有無線周波数スペクトル帯域は、たとえば、図１または図２を参照しながら説明されたように、ＬＴＥ／ＬＴＥ−Ａ通信のために使用され得る。受信機コンポーネント１７１０は、いくつかの場合には、専用無線周波数スペクトル帯域および共有無線周波数スペクトル帯域のための別個の受信機を含み得る。別個の受信機は、いくつかの例では、専用無線周波数スペクトル帯域上で通信するためのＬＴＥ／ＬＴＥ−Ａ受信機コンポーネント（たとえば、専用ＲＦスペクトル帯域のためのＬＴＥ／ＬＴＥ−Ａ受信機コンポーネント１７１２）、および共有無線周波数スペクトル帯域上で通信するためのＬＴＥ／ＬＴＥ−Ａ受信機コンポーネント（たとえば、共有ＲＦスペクトル帯域のためのＬＴＥ／ＬＴＥ−Ａ受信機コンポーネント１７１４）の形態をとり得る。専用ＲＦスペクトル帯域のためのＬＴＥ／ＬＴＥ−Ａ受信機コンポーネント１７１２または共有ＲＦスペクトル帯域のためのＬＴＥ／ＬＴＥ−Ａ受信機コンポーネント１７１４を含む受信機コンポーネント１７１０は、図１または図２を参照しながら説明されたワイヤレス通信システム１００または２００の１つまたは複数の通信リンクなど、ワイヤレス通信システムの１つまたは複数の通信リンク上で様々なタイプのデータまたは制御信号（すなわち、送信）を受信するために使用され得る。通信リンクは、専用無線周波数スペクトル帯域または共有無線周波数スペクトル帯域上で確立され得る。
【０１３６】
[0160]いくつかの例では、送信機コンポーネント１７３０は、専用無線周波数スペクトル帯域または共有無線周波数スペクトル帯域上で送信するように動作可能な少なくとも１つのＲＦ送信機など、少なくとも１つのＲＦ送信機を含み得る。送信機コンポーネント１７３０は、いくつかの場合には、専用無線周波数スペクトル帯域および共有無線周波数スペクトル帯域のための別個の送信機を含み得る。別個の送信機は、いくつかの例では、専用無線周波数スペクトル帯域上で通信するためのＬＴＥ／ＬＴＥ−Ａ送信機コンポーネント（たとえば、専用ＲＦスペクトル帯域のためのＬＴＥ／ＬＴＥ−Ａ送信機コンポーネント１７３２）、および共有無線周波数スペクトル帯域上で通信するためのＬＴＥ／ＬＴＥ−Ａ送信機コンポーネント（たとえば、共有ＲＦスペクトル帯域のためのＬＴＥ／ＬＴＥ−Ａ送信機コンポーネント１７３４）の形態をとり得る。専用ＲＦスペクトル帯域のためのＬＴＥ／ＬＴＥ−Ａ送信機コンポーネント１７３２または共有ＲＦスペクトル帯域のためのＬＴＥ／ＬＴＥ−Ａ送信機コンポーネント１７３４を含む送信機コンポーネント１７３０は、図１または図２を参照しながら説明されたワイヤレス通信システム１００または２００の１つまたは複数の通信リンクなど、ワイヤレス通信システムの１つまたは複数の通信リンク上で様々なタイプのデータまたは制御信号（すなわち、送信）を送信するために使用され得る。通信リンクは、第１の無線周波数スペクトル帯域または第２の無線周波数スペクトル帯域上で確立され得る。
【０１３７】
[0161]いくつかの例では、ワイヤレス通信管理コンポーネント１７２０は、装置１７０５のためのワイヤレス通信の１つまたは複数の態様を管理するために使用され得る。いくつかの例では、ワイヤレス通信管理コンポーネント１７２０は、ＥＣＣＡプロシージャ構成コンポーネント１７３５またはＥＣＣＡプロシージャ実行コンポーネント１７４０を含み得る。
【０１３８】
[0162]いくつかの例では、ＥＣＣＡプロシージャ構成コンポーネント１７３５は、ＥＣＣＡプロシージャを構成するために使用され得る。いくつかの例では、ＥＣＣＡプロシージャを構成することは、下限と上限との間に及ぶ数の範囲から数をランダムに選択することを含み得る。その数は、ＥＣＣＡプロシージャの実行中に、ＥＣＣＡプロシージャを実行する装置が共有無線周波数スペクトル帯域へのアクセスを求める競合に勝つことができる前に、共有無線周波数スペクトル帯域が「利用可能」と決定されなければならないＣＣＡスロットの数を決定し得る。
【０１３９】
[0163]いくつかの例では、ＥＣＣＡプロシージャ実行コンポーネント１７４０は、構成されたＥＣＣＡプロシージャを実行するために使用され得る。ＥＣＣＡプロシージャを実行することは、複数のＣＣＡスロットにわたってＥＣＣＡプロシージャを実行することによって、共有無線周波数スペクトル帯域へのアクセスを求めて競合することを含み得る。複数のＣＣＡスロットは、数の範囲の上限に等しい第１の数のＣＣＡスロットを含み得る。ＥＣＣＡプロシージャ実行コンポーネント１７４０は、ＥＣＣＡプロシージャが実行されている間、共有無線周波数スペクトル帯域が、ランダムに選択された数に等しい第２の数のＣＣＡスロットのために利用可能であると決定した後に、共有無線周波数スペクトル帯域へのアクセスを求める競合に勝ったと決定し得る。ＥＣＣＡプロシージャ実行コンポーネント１７４０はまた、ＥＣＣＡプロシージャが実行されている間、共有無線周波数スペクトル帯域が、第１の数のＣＣＡスロット−ランダムに選択された数＋１に等しい第３の数のＣＣＡスロットのために利用不可能であると決定した後に、共有無線周波数スペクトル帯域へのアクセスを求める競合が失敗したと決定し得る。いくつかの例では、ＥＣＣＡプロシージャ実行コンポーネント１７４０は、成功ＥＣＣＡ中止コンポーネント１７４５または不成功ＥＣＣＡ中止コンポーネント１７５０を含み得る。成功ＥＣＣＡ中止コンポーネント１７４５は、共有無線周波数スペクトル帯域へのアクセスを求める競合に勝ったと決定すると、ＥＣＣＡプロシージャを中止し得る。不成功ＥＣＣＡ中止コンポーネント１７５０は、共有無線周波数スペクトル帯域へのアクセスを求める競合が失敗したと決定すると、ＥＣＣＡプロシージャを中止し得る。
【０１４０】
[0164]いくつかの例では、ＥＣＣＡプロシージャが実行されるＣＣＡスロットの各々は、共有無線周波数スペクトル帯域が利用可能である事前構成された時間期間、または共有無線周波数スペクトル帯域が利用不可能である隣接期間の全体を含み得る。他の例では、ＥＣＣＡプロシージャが実行されるＣＣＡスロットの各々は、事前構成された時間期間を含み得る。
【０１４１】
[0165]図１８は、本開示の態様による、ワイヤレス通信において使用するための基地局１８０５（たとえば、ｅＮＢの一部または全部を形成する基地局）のブロック図１８００を示す。いくつかの例では、基地局１８０５は、図１、図２、または図５を参照しながら説明された基地局１０５、２０５、２０５−ａ、または５０５の１つまたは複数の態様、あるいは図７、図８、図９、図１０、図１１、図１２、図１３、図１４、図１５、図１６、または図１７を参照しながら説明された装置７０５、８０５、９０５、１００５、１１０５、１２０５、１３０５、１４０５、１５０５、または１６０５のうちの１つまたは複数の態様の一例であり得る。基地局１８０５は、図１、図２、図３、図４、図５、図６、図７、図８、図９、図１０、図１１、図１２、図１３、図１４、図１５、図１６、または図１７を参照しながら説明された基地局の特徴および機能のうちの少なくともいくつかを実装するかまたは可能にするように構成され得る。
【０１４２】
[0166]基地局１８０５は、基地局プロセッサコンポーネント１８１０、基地局メモリコンポーネント１８２０、（（１つまたは複数の）基地局トランシーバコンポーネント１８５０によって表される）少なくとも１つの基地局トランシーバコンポーネント、（（１つまたは複数の）基地局アンテナ１８５５によって表される）少なくとも１つの基地局アンテナ、または基地局ワイヤレス通信管理コンポーネント１８６０を含み得る。基地局１８０５はまた、基地局通信コンポーネント１８３０またはネットワーク通信コンポーネント１８４０のうちの１つまたは複数を含み得る。これらのコンポーネントの各々は、１つまたは複数のバス１８３５を介して、直接または間接的に、互いと通信していることがある。
【０１４３】
[0167]基地局メモリコンポーネント１８２０は、ランダムアクセスメモリ（ＲＡＭ）または読取り専用メモリ（ＲＯＭ）を含み得る。基地局メモリコンポーネント１８２０は、実行されたとき、第１のＲＡＴ（たとえば、Ｗｉ−Ｆｉ  ＲＡＴ）通信のインジケーションを検知すること、検知することに応答して、共有無線周波数スペクトル帯域へのアクセスを求めて競合するためにデバイス（たとえば、基地局１８０５または１つまたは複数のＵＥ）によって使用される第２のＲＡＴ（たとえば、セルラーＲＡＴ）の少なくとも１つのパラメータを構成すること、または共有無線周波数スペクトル帯域へのアクセスを求めて競合することに関係する、本明細書で説明される様々な機能を基地局プロセッサコンポーネント１８１０に実行させるように構成された命令を含んでいるコンピュータ可読、コンピュータ実行可能コード１８２５を記憶し得る。代替的に、コード１８２５は、基地局プロセッサコンポーネント１８１０によって直接的に実行可能ではないが、（たとえば、コンパイルされ、実行されたとき）本明細書で説明される機能のうちのいくつかを基地局１８０５に実行させるように構成され得る。
【０１４４】
[0168]基地局プロセッサコンポーネント１８１０は、インテリジェントハードウェアデバイス、たとえば、中央処理ユニット（ＣＰＵ）、マイクロコントローラ、ＡＳＩＣなどを含み得る。基地局プロセッサコンポーネント１８１０は、（１つまたは複数の）基地局トランシーバコンポーネント１８５０、基地局通信コンポーネント１８３０、またはネットワーク通信コンポーネント１８４０を通して受信された情報を処理し得る。基地局プロセッサコンポーネント１８１０はまた、（１つまたは複数の）アンテナ１８５５を通した送信のために（１つまたは複数の）トランシーバコンポーネント１８５０に送られるべき情報、１つまたは複数の他の基地局１８０５−ａおよび１８０５−ｂへの送信のために基地局通信コンポーネント１８３０に送られるべき情報、または図１を参照しながら説明されたコアネットワーク１３０の１つまたは複数の態様の一例であり得る、コアネットワーク１８４５への送信のためにネットワーク通信コンポーネント１８４０に送られるべき情報を処理し得る。基地局プロセッサコンポーネント１８１０は、単独で、または、基地局ワイヤレス通信管理コンポーネント１８６０とともに、専用無線周波数スペクトル帯域または共有無線周波数スペクトル帯域にわたって通信すること（または専用無線周波数スペクトル帯域または共有無線周波数スペクトル帯域にわたって通信を管理すること）の様々な態様を扱い得る。専用無線周波数スペクトル帯域は、送信装置がアクセスを求めて競合しないことがある、無線周波数スペクトル帯域（たとえば、ＬＴＥ／ＬＴＥ−Ａ通信のために使用可能な認可無線周波数スペクトル帯域など、特定の使用のための特定のユーザに認可された無線周波数スペクトル帯域）を含み得る。共有無線周波数スペクトル帯域は、送信装置がアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。
【０１４５】
[0169]（１つまたは複数の）基地局トランシーバコンポーネント１８５０は、パケットを変調し、変調されたパケットを送信のために（１つまたは複数の）基地局アンテナ１８５５に与え、（１つまたは複数の）基地局アンテナ１８５５から受信されたパケットを復調するように構成されたモデムを含み得る。（１つまたは複数の）基地局トランシーバコンポーネント１８５０は、いくつかの例では、１つまたは複数の基地局送信機コンポーネントおよび１つまたは複数の別個の基地局受信機コンポーネントとして実装され得る。（１つまたは複数の）基地局トランシーバコンポーネント１８５０は、専用無線周波数スペクトル帯域または共有無線周波数スペクトル帯域における通信をサポートし得る。（１つまたは複数の）基地局トランシーバコンポーネント１８５０は、（１つまたは複数の）アンテナ１８５５を介して、図１、図２、または図５を参照しながら説明されたＵＥ１１５、２１５、２１５−ａ、２１５−ｂ、または２１５−ｃのうちの１つまたは複数など、１つまたは複数のＵＥまたは装置と双方向に通信するように構成され得る。基地局１８０５は、たとえば、複数の基地局アンテナ１８５５（たとえば、アンテナアレイ）を含み得る。基地局１８０５は、ネットワーク通信コンポーネント１８４０を通してコアネットワーク１８４５と通信し得る。基地局１８０５はまた、基地局通信コンポーネント１８３０を使用して、基地局１８０５−ａおよび１８０５−ｂなど、他の基地局と通信し得る。
【０１４６】
[0170]基地局ワイヤレス通信管理コンポーネント１８６０は、専用無線周波数スペクトル帯域または共有無線周波数スペクトル帯域上でのワイヤレス通信に関係する図１、図２、図３、図４、図５、図６、図７、図８、図９、図１０、図１１、図１２、図１３、図１４、図１５、図１６、図１７、または図１８を参照しながら説明された特徴または機能の一部または全部を実行または制御するように構成され得る。たとえば、基地局ワイヤレス通信管理コンポーネント１８６０は、専用無線周波数スペクトル帯域または共有無線周波数スペクトル帯域を使用して、補足ダウンリンクモード（たとえば、認可支援アクセスモード）、キャリアアグリゲーションモード、またはスタンドアロンモードをサポートするように構成され得る。基地局ワイヤレス通信管理コンポーネント１８６０は、専用無線周波数スペクトル帯域におけるＬＴＥ／ＬＴＥ−Ａ通信を扱うように構成された、専用ＲＦスペクトル帯域のための基地局ＬＴＥ／ＬＴＥ−Ａコンポーネント１８６５と、共有無線周波数スペクトル帯域におけるＬＴＥ／ＬＴＥ−Ａ通信を扱うように構成された、共有ＲＦスペクトル帯域のための基地局ＬＴＥ／ＬＴＥ−Ａコンポーネント１８７０とを含み得る。基地局ワイヤレス通信管理コンポーネント１８６０、またはそれの部分はプロセッサを含み得、あるいは基地局ワイヤレス通信管理コンポーネント１８６０の機能の一部または全部は、基地局プロセッサコンポーネント１８１０によって実行されるか、または基地局プロセッサコンポーネント１８１０とともに実行され得る。いくつかの例では、基地局ワイヤレス通信管理コンポーネント１８６０は、図１４、図１５、図１６、または図１７を参照しながら説明されたワイヤレス通信管理コンポーネント１４２０、１５２０、１６２０、または１７２０の一例であり得る。
【０１４７】
[0171]図１９は、本開示の様々な態様による、ワイヤレス通信において使用するためのＵＥ１９１５のブロック図１９００を示す。ＵＥ１９１５は、様々な構成を有し得、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネット機器、ゲームコンソール、電子リーダーなど含まれるかまたはそれらの一部であり得る。ＵＥ１９１５は、いくつかの例では、モバイル動作を可能にするために、小型バッテリーなどの内部電源（図示せず）を有し得る。いくつかの例では、ＵＥ１９１５は、図１または図２を参照しながら説明されたＵＥ１１５、２１５、２１５−ａ、２１５−ｂ、または２１５−ｃのうちの１つまたは複数の態様、あるいは図７、図８、図９、図１０、図１１、図１２、図１３、図１４、図１５、図１６、または図１７を参照しながら説明された装置７０５、８０５、９０５、１００５、１１０５、１２０５、１３０５、１４０５、１５０５、１６０５、または１７０５のうちの１つまたは複数の態様の一例であり得る。ＵＥ１９１５は、図１、図２、図３、図４、図５、図６、図７、図８、図９、図１０、図１１、図１２、図１３、図１４、図１５、図１６、または図１７を参照しながら説明されたＵＥまたは装置の特徴および機能のうちの少なくともいくつかを実装するように構成され得る。
【０１４８】
[0172]ＵＥ１９１５は、ＵＥプロセッサコンポーネント１９１０、ＵＥメモリコンポーネント１９２０、（（１つまたは複数の）ＵＥトランシーバコンポーネント１９３０によって表される）少なくとも１つのＵＥトランシーバコンポーネント、（（１つまたは複数の）ＵＥアンテナ１９４０によって表される）少なくとも１つのＵＥアンテナ、またはＵＥワイヤレス通信管理コンポーネント１９６０を含み得る。これらのコンポーネントの各々は、１つまたは複数のバス１９３５を介して、直接または間接的に、互いと通信していることがある。
【０１４９】
[0173]ＵＥメモリコンポーネント１９２０はＲＡＭまたはＲＯＭを含み得る。ＵＥメモリコンポーネント１９２０は、実行されたとき、第１のＲＡＴ（たとえば、Ｗｉ−Ｆｉ  ＲＡＴ）通信のインジケーションを検知すること、検知することに応答して、共有無線周波数スペクトル帯域へのアクセスを求めて競合するためにデバイス（たとえば、ＵＥ１９１５）によって使用される第２のＲＡＴ（たとえば、セルラーＲＡＴ）の少なくとも１つのパラメータを構成すること、または共有無線周波数スペクトル帯域へのアクセスを求めて競合することに関係する、本明細書で説明される様々な機能をＵＥプロセッサコンポーネント１９１０に実行させるように構成された命令を含んでいるコンピュータ可読、コンピュータ実行可能コード１９２５を記憶し得る。
【０１５０】
[0174]ＵＥプロセッサコンポーネント１９１０は、たとえば、ＣＰＵ、マイクロコントローラ、ＡＳＩＣなど、インテリジェントハードウェアデバイスを含み得る。ＵＥプロセッサコンポーネント１９１０は、（１つまたは複数の）ＵＥトランシーバコンポーネント１９３０を通して受信された情報または（１つまたは複数の）ＵＥアンテナ１９４０を通した送信のために（１つまたは複数の）ＵＥトランシーバコンポーネント１９３０に送られるべき情報を処理し得る。ＵＥプロセッサコンポーネント１９１０は、単独で、または、ＵＥワイヤレス通信管理コンポーネント１９６０とともに、専用無線周波数スペクトル帯域または共有無線周波数スペクトル帯域にわたって通信すること（または専用無線周波数スペクトル帯域または共有無線周波数スペクトル帯域にわたる通信を管理すること）の様々な態様を扱い得る。専用無線周波数スペクトル帯域は、送信装置がアクセスを求めて競合しないことがある、無線周波数スペクトル帯域（たとえば、ＬＴＥ／ＬＴＥ−Ａ通信のために使用可能な認可無線周波数スペクトル帯域など、特定の使用のための特定のユーザに認可された無線周波数スペクトル帯域）を含み得る。共有無線周波数スペクトル帯域は、送信装置がアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。
【０１５１】
[0175]（１つまたは複数の）ＵＥトランシーバコンポーネント１９３０は、パケットを変調し、変調されたパケットを送信のために（１つまたは複数の）ＵＥアンテナ１９４０に与え、（１つまたは複数の）ＵＥアンテナ１９４０から受信されたパケットを復調するように構成されたモデムを含み得る。（１つまたは複数の）ＵＥトランシーバコンポーネント１９３０は、いくつかの例では、１つまたは複数のＵＥ送信機コンポーネントおよび１つまたは複数の別個のＵＥ受信機コンポーネントとして実装され得る。（１つまたは複数の）ＵＥトランシーバコンポーネント１９３０は、認可無線周波数スペクトル帯域または無認可無線周波数スペクトル帯域における通信をサポートし得る。（１つまたは複数の）ＵＥトランシーバコンポーネント１９３０は、（１つまたは複数の）ＵＥアンテナ１９４０を介して、図１、図２、図５、または図１８を参照しながら説明された基地局１０５、２０５、２０５−ａ、５０５、または１８０５のうちの１つまたは複数と双方向に通信するように構成され得る。ＵＥ１９１５は単一のＵＥアンテナを含み得るが、ＵＥ１９１５が複数のＵＥアンテナ１９４０を含み得る例があり得る。
【０１５２】
[0176]ＵＥ状態コンポーネント１９５０は、たとえば、ＲＲＣアイドル状態とＲＲＣ接続状態との間のＵＥ１９１５の遷移を管理するために使用され得、１つまたは複数のバス１９３５上で、直接または間接的に、ＵＥ１９１５の他のコンポーネントと通信していることがある。ＵＥ状態コンポーネント１９５０、またはそれの部分はプロセッサを含み得、あるいはＵＥ状態コンポーネント１９５０の機能の一部または全部は、ＵＥプロセッサコンポーネント１９１０によって実行されるか、またはＵＥプロセッサコンポーネント１９１０とともに実行され得る。
【０１５３】
[0177]ＵＥワイヤレス通信管理コンポーネント１９６０は、専用無線周波数スペクトル帯域または共有無線周波数スペクトル帯域上でのワイヤレス通信に関係する図１、図２、図３、図４、図５、図６、図７、図８、図９、図１０、図１１、図１２、図１３、図１４、図１５、図１６、または図１７を参照しながら説明されたＵＥまたは装置の特徴または機能の一部または全部を実行または制御するように構成され得る。たとえば、ＵＥワイヤレス通信管理コンポーネント１９６０は、専用無線周波数スペクトル帯域または共有無線周波数スペクトル帯域を使用して、補足ダウンリンクモード（たとえば、認可支援アクセスモード）、キャリアアグリゲーションモード、またはスタンドアロンモードをサポートするように構成され得る。ＵＥワイヤレス通信管理コンポーネント１９６０は、専用無線周波数スペクトル帯域におけるＬＴＥ／ＬＴＥ−Ａ通信を扱うように構成された、専用ＲＦスペクトル帯域のためのＵＥ  ＬＴＥ／ＬＴＥ−Ａコンポーネント１９６５と、共有無線周波数スペクトル帯域におけるＬＴＥ／ＬＴＥ−Ａ通信を扱うように構成された、共有ＲＦスペクトル帯域のためのＵＥ  ＬＴＥ／ＬＴＥ−Ａコンポーネント１９７０とを含み得る。ＵＥワイヤレス通信管理コンポーネント１９６０、またはそれの部分はプロセッサを含み得、あるいはＵＥワイヤレス通信管理コンポーネント１９６０の機能の一部または全部は、ＵＥプロセッサコンポーネント１９１０によって実行されるか、またはＵＥプロセッサコンポーネント１９１０とともに実行され得る。いくつかの例では、ＵＥワイヤレス通信管理コンポーネント１９６０は、図１４、図１５、図１６、または図１７を参照しながら説明されたワイヤレス通信管理コンポーネント１４２０、１５２０、１６２０、または１７２０の一例であり得る。
【０１５４】
[0178]図２０は、本開示の様々な態様による、ワイヤレス通信のための例示的な方法２０００を示すフローチャートである。明快のために、方法２０００は、図１、図２、図５、または図１８を参照しながら説明された基地局１０５、２０５、２０５−ａ、５０５、または１８０５のうちの１つまたは複数の態様、図１、図２、または図１９を参照しながら説明されたＵＥ１１５、２１５、２１５−ａ、２１５−ｂ、２１５−ｃ、または１９１５のうちの１つまたは複数の態様、あるいは図７、図８、図９、図１０、図１１、図１２、図１３、図１４、図１５、図１６、または図１７を参照しながら説明された装置７０５、８０５、９０５、１００５、１１０５、１２０５、１３０５、１４０５、１５０５、１６０５、または１７０５のうちの１つまたは複数の態様に関して、以下で説明される。いくつかの例では、基地局、ＵＥ、または装置は、以下で説明される機能を実行するように基地局、ＵＥ、または装置の機能要素を制御するためのコードの１つまたは複数のセットを実行し得る。追加または代替として、基地局、ＵＥ、または装置は、専用ハードウェアを使用して、以下で説明される機能のうちの１つまたは複数を実行し得る。
【０１５５】
[0179]ブロック２００５において、方法２０００は、共有無線周波数スペクトル帯域を占有する第１のＲＡＴ（たとえば、Ｗｉ−Ｆｉ  ＲＡＴ）通信のインジケーションを検知することを含み得る。共有無線周波数スペクトル帯域は、送信装置がアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。ブロック２００５における（１つまたは複数の）動作は、図１４、図１５、図１６、図１７、図１８、または図１９を参照しながら説明されたワイヤレス通信管理コンポーネント１４２０、１５２０、１６２０、１７２０、１８６０、または１９６０、あるいは図１４または図１５を参照しながら説明された第１のＲＡＴ通信検知コンポーネント１４３５または１５３５を使用して実行され得る。
【０１５６】
[0180]ブロック２０１０において、方法２０００は、ブロック２００５において実行された検知することに応答して、共有無線周波数スペクトル帯域へのアクセスを求めて競合するためにデバイスによって使用される第２のＲＡＴ（たとえば、セルラーＲＡＴ）の少なくとも１つのパラメータを構成することを含み得る。ブロック２０１０における（１つまたは複数の）動作は、図１４、図１５、図１６、図１７、図１８、または図１９を参照しながら説明されたワイヤレス通信管理コンポーネント１４２０、１５２０、１６２０、１７２０、１８６０、または１９６０、あるいは図１４または図１５を参照しながら説明された第２のＲＡＴパラメータ構成コンポーネント１４４０または１５４０を使用して実行され得る。
【０１５７】
[0181]ブロック２０１５において、およびブロック２０１０において実行される（１つまたは複数の）動作の一部として（たとえば、それの一例として）、またはそれと組み合わせて、方法２０００は、デバイスによって使用される少なくとも１つのＬＢＴパラメータ（たとえば、基地局または１つまたは複数のＵＥによって使用されるＣＣＡプロシージャまたはＥＣＣＡプロシージャのパラメータ）を構成することを随意に含み得る。
【０１５８】
[0182]いくつかの例では、方法２０００は、基地局またはＵＥによって実行され得る。方法２０００が基地局によって実行されるとき、第２のＲＡＴの少なくとも１つのパラメータが構成されるデバイスは、基地局、単一のＵＥ、または複数のＵＥ（たとえば、基地局がその中で動作するセルのＵＥのすべて）であり得る。方法２０００がＵＥによって実行されるとき、第２のＲＡＴの少なくとも１つのパラメータが構成されるデバイスはＵＥであり得る。
【０１５９】
[0183]したがって、方法２０００はワイヤレス通信を提供し得る。方法２０００は一実装形態にすぎないこと、および方法２０００の動作は、他の実装形態が可能であるように、並べ替えられるかまたは場合によっては変更され得ることに留意されたい。
【０１６０】
[0184]図２１は、本開示の様々な態様による、ワイヤレス通信のための例示的な方法２１００を示すフローチャートである。明快のために、方法２１００は、図１、図２、図５、または図１８を参照しながら説明された基地局１０５、２０５、２０５−ａ、５０５、または１８０５のうちの１つまたは複数の態様、図１、図２、または図１９を参照しながら説明されたＵＥ１１５、２１５、２１５−ａ、２１５−ｂ、２１５−ｃ、または１９１５のうちの１つまたは複数の態様、あるいは図７、図８、図９、図１０、図１１、図１２、図１３、図１４、図１５、図１６、または図１７を参照しながら説明された装置７０５、８０５、９０５、１００５、１１０５、１２０５、１３０５、１４０５、１５０５、１６０５、または１７０５のうちの１つまたは複数の態様に関して、以下で説明される。いくつかの例では、基地局、ＵＥ、または装置は、以下で説明される機能を実行するように基地局、ＵＥ、または装置の機能要素を制御するためのコードの１つまたは複数のセットを実行し得る。追加または代替として、基地局、ＵＥ、または装置は、専用ハードウェアを使用して、以下で説明される機能のうちの１つまたは複数を実行し得る。
【０１６１】
[0185]ブロック２１０５において、方法２１００は、デバイスのエネルギー検出範囲内の（たとえば、基地局、ＵＥ、または他の装置の範囲内の）送信機の数（たとえば、Ｗｉ−Ｆｉ送信機の数）を検出することを含み得る。ブロック２１０５における（１つまたは複数の）動作は、図１４、図１５、図１６、図１７、図１８、または図１９を参照しながら説明されたワイヤレス通信管理コンポーネント１４２０、１５２０、１６２０、１７２０、１８６０、または１９６０、図１４または図１５を参照しながら説明された第１のＲＡＴ通信検知コンポーネント１４３５または１５３５、あるいは図１５を参照しながら説明された送信機検出コンポーネント１５４５を使用して実行され得る。
【０１６２】
[0186]ブロック２１１０において、方法２１００は、（たとえば、基地局または他の装置に）フィードバックが報告される送信（たとえば、サブフレーム）の失敗率を決定することを含み得る。ブロック２１０５における（１つまたは複数の）動作は、図１４、図１５、図１６、図１７、図１８、または図１９を参照しながら説明されたワイヤレス通信管理コンポーネント１４２０、１５２０、１６２０、１７２０、１８６０、または１９６０、図１４または図１５を参照しながら説明された第１のＲＡＴ通信検知コンポーネント１４３５または１５３５、あるいは図１５を参照しながら説明された送信失敗識別コンポーネント１５５０を使用して実行され得る。
【０１６３】
[0187]ブロック２１１５において、方法２１００は、（たとえば、ＡＣＫ／ＮＡＫをブランキングするバースト的干渉のために、基地局または他の装置に）エラーが報告されない送信（たとえば、サブフレーム）についての消去率を決定することを含み得る。ブロック２１０５における（１つまたは複数の）動作は、図１４、図１５、図１６、図１７、図１８、または図１９を参照しながら説明されたワイヤレス通信管理コンポーネント１４２０、１５２０、１６２０、１７２０、１８６０、または１９６０、図１４または図１５を参照しながら説明された第１のＲＡＴ通信検知コンポーネント１４３５または１５３５、あるいは図１５を参照しながら説明された消去率識別コンポーネント１５５５を使用して実行され得る。
【０１６４】
[0188]ブロック２１２０において、方法２１００は、１）サポートされる変調およびコーディング方式（たとえば、決定されたＲＳＲＰに基づくＭＣＳ）と、２）実際に使用されるＭＣＳ（たとえば、外部ループＨＡＲＱ処理に基づくＭＣＳ）との間の相違を検出することを含み得る。ブロック２１０５における（１つまたは複数の）動作は、図１４、図１５、図１６、図１７、図１８、または図１９を参照しながら説明されたワイヤレス通信管理コンポーネント１４２０、１５２０、１６２０、１７２０、１８６０、または１９６０、図１４または図１５を参照しながら説明された第１のＲＡＴ通信検知コンポーネント１４３５または１５３５、あるいは図１５を参照しながら説明されたＭＣＳ差異検出コンポーネント１５６０を使用して実行され得る。
【０１６５】
[0189]ブロック２１２５において、方法２１００は、ブロック２１０５、２１１０、２１１５、または２１２０において行われた検出または決定のうちの１つまたは複数に（あるいは１つまたは複数の追加または代替のファクタに）少なくとも部分的に基づいて、共有無線周波数スペクトル帯域を占有する第１のＲＡＴ（たとえば、Ｗｉ−Ｆｉ  ＲＡＴ）通信のインジケーションを検知することを含み得る。共有無線周波数スペクトル帯域は、送信装置がアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。ブロック２１２５における（１つまたは複数の）動作は、図１４、図１５、図１６、図１７、図１８、または図１９を参照しながら説明されたワイヤレス通信管理コンポーネント１４２０、１５２０、１６２０、１７２０、１８６０、または１９６０、あるいは図１４または図１５を参照しながら説明された第１のＲＡＴ通信検知コンポーネント１４３５または１５３５を使用して実行され得る。
【０１６６】
[0190]ブロック２１３０において、方法２１００は、ブロック２１２５において実行された検知することに応答して、共有無線周波数スペクトル帯域へのアクセスを求めて競合するためにデバイスによって使用される第２のＲＡＴ（たとえば、セルラーＲＡＴ）の少なくとも１つのパラメータを構成することを含み得る。ブロック２１３０における（１つまたは複数の）動作は、図１４、図１５、図１６、図１７、図１８、または図１９を参照しながら説明されたワイヤレス通信管理コンポーネント１４２０、１５２０、１６２０、１７２０、１８６０、または１９６０、あるいは図１４または図１５を参照しながら説明された第２のＲＡＴパラメータ構成コンポーネント１４４０または１５４０を使用して実行され得る。
【０１６７】
[0191]ブロック２１３５、２１４０、２１４５、２１５０、２１５５、および２１６０は、ブロック２１３０において実行される（１つまたは複数の）動作の一部（たとえば、それの例）として、またはそれと組み合わせて実行され得る、様々な随意の構成動作を示す。
【０１６８】
[0192]ブロック２１３５において、方法２１００は、デバイス（たとえば、基地局または１つまたは複数のＵＥ）のためにＥＣＣＡプロシージャを構成することを含み得る。いくつかの例では、ブロックにおける（１つまたは複数の）動作は、数の範囲を構成することを含み得、数の範囲からランダム数が選択される。ランダム数は、デバイスがＥＣＣＡプロシージャを実行するＣＣＡスロットの数を決定し得る。いくつかの例では、数の範囲は、数の範囲の下限を増加させること、または数の範囲の上限を増加させること、またはそれらの組合せのうちの少なくとも１つによって構成され得る。いくつかの例では、ブロック２１３５における（１つまたは複数の）動作は、同じくまたは代替的に、ＥＣＣＡプロシージャが実行されるＣＣＡスロットの最大数を構成することを含み得る。いくつかの例では、ＣＣＡスロットの最大数は、たとえば、ＣＣＡスロットの最大数を線形的に増加させること、またはＣＣＡスロットの最大数を線形的に減少させることによって構成され得る。いくつかの例では、ＣＣＡスロットの最大数は、ＣＣＡスロットの数を乗法的に増加させること、またはＣＣＡスロットの数を線形的に減少させることによって構成され得る。いくつかの例では、ＣＣＡスロットの最大数は、ＣＣＡスロットの数を乗法的に増加させること、またはＣＣＡスロットの数を乗法的に減少させることによって構成され得る。ブロック２１３５における（１つまたは複数の）動作は、図１４、図１５、図１６、図１７、図１８、または図１９を参照しながら説明されたワイヤレス通信管理コンポーネント１４２０、１５２０、１６２０、１７２０、１８６０、または１９６０、図１４または図１５を参照しながら説明された第２のＲＡＴパラメータ構成コンポーネント１４４０または１５４０、あるいは図１５を参照しながら説明されたＥＣＣＡ構成コンポーネント１５６５またはＥＣＣＡ範囲構成コンポーネント１５９５を使用して実行され得る。
【０１６９】
[0193]ブロック２１４０において、方法２１００は、デバイスが共有無線周波数スペクトル帯域へのアクセスを求める競合に勝つ前に、共有無線周波数スペクトル帯域が利用可能である連続ＣＣＡスロットの数を識別することを含み得る。デバイスが共有無線周波数スペクトル帯域へのアクセスを求める競合に勝っていないとき、ＣＣＡスロットの識別された数は、ＥＣＣＡプロシージャが実行されるＣＣＡスロットの最後の数であり得る。代替的に、デバイスが共有無線周波数スペクトル帯域へのアクセスを求める競合に勝っていないとき、ＣＣＡスロットの識別された数は、ＥＣＣＡプロシージャが実行されるＣＣＡスロットの最後の数、またはＥＣＣＡプロシージャが実行される最後のＣＣＡスロットに続く少なくとも１つのＣＣＡスロットと組み合わせた、ＥＣＣＡプロシージャが実行されるＣＣＡスロットの数のうちの少なくとも１つを含み得る。デバイスが、共有無線周波数スペクトル帯域へのアクセスを求める競合に勝っており、共有無線周波数スペクトル帯域に関してアイドル状態にあるとき、指定された数のＣＣＡスロットは、ＣＣＡプロシージャが実行されるべきであるＣＣＡスロットを含み得る。ブロック２１４０における（１つまたは複数の）動作は、図１４、図１５、図１６、図１７、図１８、または図１９を参照しながら説明されたワイヤレス通信管理コンポーネント１４２０、１５２０、１６２０、１７２０、１８６０、または１９６０、図１４または図１５を参照しながら説明された第２のＲＡＴパラメータ構成コンポーネント１４４０または１５４０、あるいは図１５を参照しながら説明された連続ＣＣＡスロット構成コンポーネント１５７０を使用して実行され得る。
【０１７０】
[0194]ブロック２１４５において、方法２１００は、少なくとも１つのＣＣＡプロシージャが実行される少なくとも１つのＣＣＡスロットのためのＣＣＡエネルギー検出しきい値を構成することを含み得る。同じくまたは代替的に、ブロック２１４５において実行される（１つまたは複数の）動作は、共有無線周波数スペクトル帯域が占有される期間に続いて共有無線周波数スペクトル帯域のエネルギーレベルを検知するようにデバイスを構成することと、検知されたエネルギーに少なくとも部分的に基づいてＣＣＡエネルギー検出しきい値を構成することとを含み得る。（１つまたは複数の）動作はまた、ＣＣＡスロットのセット中で、ＣＣＡエネルギー検出しきい値に少なくとも部分的に基づいて、ある数のＣＣＡプロシージャを実行するようにデバイスを構成することと、共有無線周波数スペクトル帯域が、ＣＣＡスロットのセット中に含まれるＣＣＡスロットのサブセット（たとえば、ＣＣＡスロットのセット中の１つの、複数の、またはすべてのＣＣＡスロットを含むサブセット）のために利用可能であると決定されたとき、共有無線周波数スペクトル帯域へのアクセスを求める競合に勝つようにデバイスを構成することとを含み得る。いくつかの例では、第２の数のＣＣＡスロットは、いくつかの連続ＣＣＡスロットであり得る。ブロック２１４５における（１つまたは複数の）動作は、図１４、図１５、図１６、図１７、図１８、または図１９を参照しながら説明されたワイヤレス通信管理コンポーネント１４２０、１５２０、１６２０、１７２０、１８６０、または１９６０、図１４または図１５を参照しながら説明された第２のＲＡＴパラメータ構成コンポーネント１４４０または１５４０、あるいは図１５を参照しながら説明されたＣＣＡエネルギー検出しきい値構成コンポーネント１５７５を使用して実行され得る。
【０１７１】
[0195]ブロック２１５０において、方法２１００は、ＥＣＣＡプロシージャが実行される最後のＣＣＡスロットの持続時間を増加させることを含み得る。いくつかの例では、ブロック２１５０における（１つまたは複数の）動作はまた、最後のＣＣＡスロットのためのＣＣＡエネルギー検出しきい値を構成することを含み得る。ブロック２１５０における（１つまたは複数の）動作は、図１４、図１５、図１６、図１７、図１８、または図１９を参照しながら説明されたワイヤレス通信管理コンポーネント１４２０、１５２０、１６２０、１７２０、１８６０、または１９６０、図１４または図１５を参照しながら説明された第２のＲＡＴパラメータ構成コンポーネント１４４０または１５４０、あるいは図１５を参照しながら説明されたＣＣＡスロット持続時間構成コンポーネント１５８０を使用して実行され得る。
【０１７２】
[0196]ブロック２１５５において、方法２１００は、共有無線周波数スペクトル帯域へのアクセスを求めて競合するために複数のＥＣＣＡプロシージャを実行するようにデバイスを構成することを含み得る。いくつかの例では、複数のＥＣＣＡプロシージャは、第１のＥＣＣＡプロシージャと、それに続く第２のＥＣＣＡプロシージャとを含み得る。いくつかの例では、第１のＥＣＣＡプロシージャは、第１の数のＣＣＡスロットにわたって実行されるように構成され得、第２のＥＣＣＡプロシージャは、第２の数のＣＣＡスロットにわたって実行されるように構成され得る。第２の数は第１の数よりも小さいことがある。いくつかの例では、ブロック２１５５における（１つまたは複数の）動作はまた、第２のＥＣＣＡ中またはその後に、デバイスが共有無線周波数スペクトル帯域へのアクセスを求める競合に勝つ前に、共有無線周波数スペクトル帯域が利用可能である連続ＣＣＡスロットの数を識別するようにデバイスを構成することを含み得る。ブロック２１５５における（１つまたは複数の）動作は、図１４、図１５、図１６、図１７、図１８、または図１９を参照しながら説明されたワイヤレス通信管理コンポーネント１４２０、１５２０、１６２０、１７２０、１８６０、または１９６０、図１４または図１５を参照しながら説明された第２のＲＡＴパラメータ構成コンポーネント１４４０または１５４０、あるいは図１５を参照しながら説明されたＥＣＣＡ数構成コンポーネント１５８５を使用して実行され得る。
【０１７３】
[0197]ブロック２１６０において、方法２１００は、デバイスのための延期期間を構成することを含み得る。延期期間は、共有無線周波数スペクトル帯域が利用不可能であると決定すると、デバイスが、（いくつかの場合には、ある数のＥＣＣＡプロシージャを含み得る）追加の数のＣＣＡプロシージャを実行する前に延期期間の間待つことを引き起こし得る。ブロック２１６０における（１つまたは複数の）動作は、図１４、図１５、図１６、図１７、図１８、または図１９を参照しながら説明されたワイヤレス通信管理コンポーネント１４２０、１５２０、１６２０、１７２０、１８６０、または１９６０、図１４または図１５を参照しながら説明された第２のＲＡＴパラメータ構成コンポーネント１４４０または１５４０、あるいは図１５を参照しながら説明されたＣＣＡ／ＥＣＣＡ延期期間構成コンポーネント１５９０を使用して実行され得る。
【０１７４】
[0198]いくつかの例では、方法２１００は、基地局またはＵＥによって実行され得る。方法２１００が基地局によって実行されるとき、第２のＲＡＴの少なくとも１つのパラメータが構成されるデバイスは、基地局、単一のＵＥ、または複数のＵＥ（たとえば、基地局がその中で動作するセルのＵＥのすべて）であり得る。方法２１００がＵＥによって実行されるとき、第２のＲＡＴの少なくとも１つのパラメータが構成されるデバイスはＵＥであり得る。
【０１７５】
[0199]したがって、方法２１００はワイヤレス通信を提供し得る。方法２１００は一実装形態にすぎないこと、および方法２１００の動作は、他の実装形態が可能であるように、並べ替えられるかまたは場合によっては変更され得ることに留意されたい。
【０１７６】
[0200]いくつかの例では、図２０および図２１を参照しながら説明された方法２０００および２１００の態様が組み合わせられ得る。
【０１７７】
[0201]図２２は、本開示の様々な態様による、ワイヤレス通信のための例示的な方法２２００を示すフローチャートである。明快のために、方法２２００は、図１、図２、図５、または図１８を参照しながら説明された基地局１０５、２０５、２０５−ａ、５０５、または１８０５のうちの１つまたは複数の態様、図１、図２、または図１９を参照しながら説明されたＵＥ１１５、２１５、２１５−ａ、２１５−ｂ、２１５−ｃ、または１９１５のうちの１つまたは複数の態様、あるいは図７、図８、図９、図１０、図１１、図１２、図１３、図１４、図１５、図１６、または図１７を参照しながら説明された装置７０５、８０５、９０５、１００５、１１０５、１２０５、１３０５、１４０５、１５０５、１６０５、または１７０５のうちの１つまたは複数の態様に関して、以下で説明される。いくつかの例では、基地局、ＵＥ、または装置は、以下で説明される機能を実行するように基地局、ＵＥ、または装置の機能要素を制御するためのコードの１つまたは複数のセットを実行し得る。追加または代替として、基地局、ＵＥ、または装置は、専用ハードウェアを使用して、以下で説明される機能のうちの１つまたは複数を実行し得る。
【０１７８】
[0202]いくつかの例では、方法２２００は、ＥＣＣＡプロシージャを構成することを含み得る。たとえば、ブロック２２０５において、方法２２００は、下限と上限との間に及ぶ数の範囲から数をランダムに選択することを含み得る。その数は、ＥＣＣＡプロシージャの実行中に、ＥＣＣＡプロシージャを実行する装置が共有無線周波数スペクトル帯域へのアクセスを求める競合に勝つことができる前に、共有無線周波数スペクトル帯域が「利用可能」と決定されなければならないＣＣＡスロットの数を決定し得る。共有無線周波数スペクトル帯域は、送信装置がアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。ブロック２２０５における（１つまたは複数の）動作は、図１４、図１５、図１６、図１７、図１８、または図１９を参照しながら説明されたワイヤレス通信管理コンポーネント１４２０、１５２０、１６２０、１７２０、１８６０、または１９６０、あるいは図１６または図１７を参照しながら説明されたＥＣＣＡプロシージャ構成コンポーネント１６３５または１７３５を使用して実行され得る。
【０１７９】
[0203]ブロック２２１０において、方法２２００は、複数のＣＣＡスロットにわたってＥＣＣＡプロシージャを実行することによって、共有無線周波数スペクトル帯域へのアクセスを求めて競合することを含み得る。複数のＣＣＡスロットは、上限に等しい第１の数のＣＣＡスロットを含み得る。ブロック２２１０における（１つまたは複数の）動作は、図１４、図１５、図１６、図１７、図１８、または図１９を参照しながら説明されたワイヤレス通信管理コンポーネント１４２０、１５２０、１６２０、１７２０、１８６０、または１９６０、あるいは図１６または図１７を参照しながら説明されたＥＣＣＡプロシージャ実行コンポーネント１６４０または１７４０を使用して実行され得る。
【０１８０】
[0204]ブロック２２１５において、方法２２００は、ＥＣＣＡプロシージャを実行しながら、共有無線周波数スペクトル帯域が、ランダムに選択された数に等しい第２の数のＣＣＡスロットのために利用可能であると決定した後に、共有無線周波数スペクトル帯域へのアクセスを求める競合に勝つことを含み得る。ブロック２２１５における（１つまたは複数の）動作は、図１４、図１５、図１６、図１７、図１８、または図１９を参照しながら説明されたワイヤレス通信管理コンポーネント１４２０、１５２０、１６２０、１７２０、１８６０、または１９６０、あるいは図１６または図１７を参照しながら説明されたＥＣＣＡプロシージャ実行コンポーネント１６４０または１７４０を使用して実行され得る。
【０１８１】
[0205]ブロック２２２０において、方法２２００は、共有無線周波数スペクトル帯域へのアクセスを求める競合に勝つと、拡張ＣＣＡプロシージャを中止することを随意に含み得る。ブロック２２１５における（１つまたは複数の）動作は、図１４、図１５、図１６、図１７、図１８、または図１９を参照しながら説明されたワイヤレス通信管理コンポーネント１４２０、１５２０、１６２０、１７２０、１８６０、または１９６０、あるいは図１６または図１７を参照しながら説明されたＥＣＣＡプロシージャ実行コンポーネント１６４０または１７４０あるいは成功ＥＣＣＡ中止コンポーネント１６４５または１７４５を使用して実行され得る。
【０１８２】
[0206]いくつかの例では、ＥＣＣＡプロシージャが実行されるＣＣＡスロットの各々は、共有無線周波数スペクトル帯域が利用可能である事前構成された時間期間、または共有無線周波数スペクトル帯域が利用不可能である隣接期間の全体を含み得る。他の例では、ＥＣＣＡプロシージャが実行されるＣＣＡスロットの各々は、事前構成された時間期間を含み得る。
【０１８３】
[0207]したがって、方法２２００はワイヤレス通信を提供し得る。方法２２００は一実装形態にすぎないこと、および方法２２００の動作は、他の実装形態が可能であるように、並べ替えられるかまたは場合によっては変更され得ることに留意されたい。
【０１８４】
[0208]図２３は、本開示の様々な態様による、ワイヤレス通信のための例示的な方法２３００を示すフローチャートである。明快のために、方法２３００は、図１、図２、図５、または図１８を参照しながら説明された基地局１０５、２０５、２０５−ａ、５０５、または１８０５のうちの１つまたは複数の態様、図１、図２、または図１９を参照しながら説明されたＵＥ１１５、２１５、２１５−ａ、２１５−ｂ、２１５−ｃ、または１９１５のうちの１つまたは複数の態様、あるいは図７、図８、図９、図１０、図１１、図１２、図１３、図１４、図１５、図１６、または図１７を参照しながら説明された装置７０５、８０５、９０５、１００５、１１０５、１２０５、１３０５、１４０５、１５０５、１６０５、または１７０５のうちの１つまたは複数の態様に関して、以下で説明される。いくつかの例では、基地局、ＵＥ、または装置は、以下で説明される機能を実行するように基地局、ＵＥ、または装置の機能要素を制御するためのコードの１つまたは複数のセットを実行し得る。追加または代替として、基地局、ＵＥ、または装置は、専用ハードウェアを使用して、以下で説明される機能のうちの１つまたは複数を実行し得る。
【０１８５】
[0209]いくつかの例では、方法２３００は、ＥＣＣＡプロシージャを構成することを含み得る。たとえば、ブロック２３０５において、方法２３００は、下限と上限との間に及ぶ数の範囲から数をランダムに選択することを含み得る。その数は、ＥＣＣＡプロシージャの実行中に、ＥＣＣＡプロシージャを実行する装置が共有無線周波数スペクトル帯域へのアクセスを求める競合に勝つことができる前に、共有無線周波数スペクトル帯域が「利用可能」と決定されなければならないＣＣＡスロットの数を決定し得る。共有無線周波数スペクトル帯域は、送信装置がアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。ブロック２３０５における（１つまたは複数の）動作は、図１４、図１５、図１６、図１７、図１８、または図１９を参照しながら説明されたワイヤレス通信管理コンポーネント１４２０、１５２０、１６２０、１７２０、１８６０、または１９６０、あるいは図１６または図１７を参照しながら説明されたＥＣＣＡプロシージャ構成コンポーネント１６３５または１７３５を使用して実行され得る。
【０１８６】
[0210]ブロック２３１０において、方法２３００は、複数のＣＣＡスロットのうちの第１のＣＣＡスロットまたは次のＣＣＡスロットにわたってＥＣＣＡプロシージャを実行することによって、共有無線周波数スペクトル帯域へのアクセスを求めて競合することを含み得る。複数のＣＣＡスロットは、上限に等しい第１の数のＣＣＡスロットを含み得る。ブロック２３１０における（１つまたは複数の）動作は、図１４、図１５、図１６、図１７、図１８、または図１９を参照しながら説明されたワイヤレス通信管理コンポーネント１４２０、１５２０、１６２０、１７２０、１８６０、または１９６０、あるいは図１６または図１７を参照しながら説明されたＥＣＣＡプロシージャ実行コンポーネント１６４０または１７４０を使用して実行され得る。
【０１８７】
[0211]ブロック２３１５において、およびＥＣＣＡプロシージャを実行しながら、方法２３００は、共有無線周波数スペクトル帯域が、ランダムに選択された数に等しい第２の数のＣＣＡスロットのために利用可能であるかどうかを決定することを含み得る。共有無線周波数スペクトル帯域が第２の数のＣＣＡスロットのために利用可能であるとき、方法２３００はブロック２３２０において続き得る。共有無線周波数スペクトル帯域が第２の数のＣＣＡスロットのために利用可能でないとき、方法２３００はブロック２３２５において続き得る。ブロック２３１５における（１つまたは複数の）動作は、図１４、図１５、図１６、図１７、図１８、または図１９を参照しながら説明されたワイヤレス通信管理コンポーネント１４２０、１５２０、１６２０、１７２０、１８６０、または１９６０、あるいは図１６または図１７を参照しながら説明されたＥＣＣＡプロシージャ実行コンポーネント１６４０または１７４０を使用して実行され得る。
【０１８８】
[0212]ブロック２３２０において、方法２３００は、ＥＣＣＡプロシージャを中止することと、共有無線周波数スペクトルへのアクセスを求める競合に勝つこととを含み得る。ブロック２３２０における（１つまたは複数の）動作は、図１４、図１５、図１６、図１７、図１８、または図１９を参照しながら説明されたワイヤレス通信管理コンポーネント１４２０、１５２０、１６２０、１７２０、１８６０、または１９６０、あるいは図１６または図１７を参照しながら説明されたＥＣＣＡプロシージャ実行コンポーネント１６４０または１７４０あるいは成功ＥＣＣＡ中止コンポーネント１６４５または１７４５を使用して実行され得る。
【０１８９】
[0213]ブロック２３２５において、およびＥＣＣＡプロシージャを実行しながら、方法２３００は、共有無線周波数スペクトル帯域が、第１の数のＣＣＡスロット−ランダムに選択された数＋１に等しい第３の数のＣＣＡスロットのために利用不可能であるかどうかを決定することを含み得る。共有無線周波数スペクトル帯域が第３の数のＣＣＡスロットのために利用不可能であるとき、方法２３００はブロック２３３０において続き得る。共有無線周波数スペクトル帯域が第３の数のＣＣＡスロットのために利用不可能でないとき、方法２３００はブロック２３３５において続き得る。ブロック２３２５における（１つまたは複数の）動作は、図１４、図１５、図１６、図１７、図１８、または図１９を参照しながら説明されたワイヤレス通信管理コンポーネント１４２０、１５２０、１６２０、１７２０、１８６０、または１９６０、あるいは図１６または図１７を参照しながら説明されたＥＣＣＡプロシージャ実行コンポーネント１６４０または１７４０を使用して実行され得る。
【０１９０】
[0214]ブロック２３３０において、方法２３００は、ＥＣＣＡプロシージャを中止することと、共有無線周波数スペクトルへのアクセスを求める競合に勝つことに失敗することとを含み得る。ブロック２３３０における（１つまたは複数の）動作は、図１４、図１５、図１６、図１７、図１８、または図１９を参照しながら説明されたワイヤレス通信管理コンポーネント１４２０、１５２０、１６２０、１７２０、１８６０、または１９６０、図１６または図１７を参照しながら説明されたＥＣＣＡプロシージャ実行コンポーネント１６４０または１７４０、あるいは図１７を参照しながら説明された不成功ＥＣＣＡ中止コンポーネント１７５０を使用して実行され得る。
【０１９１】
[0215]ブロック２３３５において、方法２３００は、ＥＣＣＡプロシージャが複数のスロットの各々にわたって実行されたかどうかを決定することを含み得る。ＥＣＣＡプロシージャが複数のスロットの各々にわたって実行されたとき、方法２３００はブロック２３３０において続き得る。ＥＣＣＡプロシージャが複数のスロットの各々にわたって実行されていないとき、方法２３００はブロック２３１０において続き得る。ブロック２３３５における（１つまたは複数の）動作は、図１４、図１５、図１６、図１７、図１８、または図１９を参照しながら説明されたワイヤレス通信管理コンポーネント１４２０、１５２０、１６２０、１７２０、１８６０、または１９６０、あるいは図１６または図１７を参照しながら説明されたＥＣＣＡプロシージャ実行コンポーネント１６４０または１７４０を使用して実行され得る。
【０１９２】
[0216]いくつかの例では、ＥＣＣＡプロシージャが実行されるＣＣＡスロットの各々は、共有無線周波数スペクトル帯域が利用可能である事前構成された時間期間、または共有無線周波数スペクトル帯域が利用不可能である隣接期間の全体を含み得る。他の例では、ＥＣＣＡプロシージャが実行されるＣＣＡスロットの各々は、事前構成された時間期間を含み得る。
【０１９３】
[0217]したがって、方法２３００はワイヤレス通信を提供し得る。方法２３００は一実装形態にすぎないこと、および方法２３００の動作は、他の実装形態が可能であるように、並べ替えられるかまたは場合によっては変更され得ることに留意されたい。
【０１９４】
[0218]いくつかの例では、図２２および図２３を参照しながら説明された方法２２００および２３００の態様が組み合わせられ得る。
【０１９５】
[0219]本明細書で説明された技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標）：Wideband CDMA）およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ）、発展型ＵＴＲＡ（Ｅ−ＵＴＲＡ：Evolved UTRA）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明された技法は、共有無線周波数スペクトル帯域上でのセルラー（たとえば、ＬＴＥ）通信を含む、上述のシステムおよび無線技術、ならびに他のシステムおよび無線技術のために使用され得る。ただし、上記の説明は、例としてＬＴＥ／ＬＴＥ−Ａシステムについて説明し、上記の説明の大部分においてＬＴＥ用語が使用されるが、本技法はＬＴＥ／ＬＴＥ−Ａ適用例以外に適用可能である。
【０１９６】
[0220]添付の図面に関して上記に記載された詳細な説明は、例について説明しており、実装され得るまたは特許請求の範囲内に入る例のすべてを表すものではない。「例」および「例示的」という語は、この説明で使用されるとき、「例、事例、または例示の働きをすること」を意味し、「好ましい」または「他の例よりも有利な」を意味しない。詳細な説明は、説明された技法の理解を与えるための具体的な詳細を含む。ただし、これらの技法は、これらの具体的な詳細なしに実施され得る。いくつかの事例では、説明された例の概念を不明瞭にすることを回避するために、よく知られている構造および装置がブロック図の形式で示されている。
【０１９７】
[0221]情報および信号は、様々な異なる技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１９８】
[0222]本明細書の開示に関して説明された様々な例示的なブロックおよびコンポーネントは、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェアコンポーネント、あるいは本明細書で説明された機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成としても実装され得る。
【０１９９】
[0223]本明細書で説明された機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態が、本開示および添付の特許請求の範囲および趣旨内に入る。たとえば、ソフトウェアの性質により、上記で説明された機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が、異なる物理的ロケーションにおいて実装されるように分散されることを含めて、様々な位置に物理的に配置され得る。特許請求の範囲を含めて、本明細書で使用される場合、２つ以上の項目の列挙中で使用されるとき、「または」という語は、列挙された項目のうちのいずれか１つが単独で採用され得ること、または列挙された項目のうちの２つ以上の任意の組合せが採用され得ることを意味する。たとえば、組成がコンポーネントＡ、Ｂ、またはＣを含んでいるものとして表される場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０２００】
[0224]コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、フラッシュメモリ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を含むことができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０２０１】
[0225]本開示についての以上の説明は、当業者が本開示を作成または使用することができるように与えられたものである。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示された原理および新規の特徴に一致する最も広い範囲を与えられるべきである。
【図１】
2020036348.tif 000003
【図２】
2020036348.tif 000004
【図３】
2020036348.tif 000005
【図４Ａ】
2020036348.tif 000006
【図４Ｂ】
2020036348.tif 000007
【図５】
2020036348.tif 000008
【図６】
2020036348.tif 000009
【図７】
2020036348.tif 000010
【図８】
2020036348.tif 000011
【図９】
2020036348.tif 000012
【図１０】
2020036348.tif 000013
【図１１】
2020036348.tif 000014
【図１２】
2020036348.tif 000015
【図１３】
2020036348.tif 000016
【図１４】
2020036348.tif 000017
【図１５】
2020036348.tif 000018
【図１６】
2020036348.tif 000019
【図１７】
2020036348.tif 000020
【図１８】
2020036348.tif 000021
【図１９】
2020036348.tif 000022
【図２０】
2020036348.tif 000023
【図２１】
2020036348.tif 000024
【図２２】
2020036348.tif 000025
【図２３】
2020036348.tif 000026
【手続補正書】
【提出日】令和1年11月29日(2019.11.29)
【手続補正１】
【補正対象書類名】特許請求の範囲
【補正対象項目名】全文
【補正方法】変更
【補正の内容】
【特許請求の範囲】
【請求項１】
第１の無線アクセス技術（ＲＡＴ）に関連する第１のデバイスが、共有無線周波数スペクトルが第２のＲＡＴの第２のデバイスと共有されると決定することと、
前記共有無線周波数スペクトルが共有されるとの前記決定に少なくとも部分的に基づいて、クリアチャネルアセスメント（ＣＣＡ）のためのエネルギー検出しきい値を決定することと、
前記第１のデバイスが前記共有無線周波数スペクトルにアクセスする前に、前記共有無線周波数スペクトルが利用可能なＣＣＡスロットの数を識別することと、
前記決定されたエネルギー検出しきい値および前記ＣＣＡスロットの識別された数を使用して前記ＣＣＡを実行することと
を備える、ワイヤレス通信のための方法。
【請求項２】
前記エネルギー検出しきい値を決定することは、
前記共有無線周波数スペクトルが前記第２のＲＡＴの前記第２のデバイスと共有されると決定することに少なくとも部分的に基づいて、第１のエネルギー検出しきい値になるべき前記エネルギー検出しきい値を決定することを備え、前記第１のエネルギー検出しきい値は、第２のエネルギー検出しきい値より高く、前記第２のエネルギー検出しきい値は、前記共有無線周波数スペクトルが利用可能であることに少なくとも部分的に基づく、
請求項１に記載の方法。
【請求項３】
前記第１のＲＡＴは、セルラーＲＡＴを備え、前記第２のＲＡＴは、Ｗｉ−Ｆｉ（登録商標）  ＲＡＴを備える、
請求項１に記載の方法。
【請求項４】
前記ＣＣＡは、前記第１のＲＡＴおよび前記第２のＲＡＴに関連付けられた送信を検出するために前記決定されたエネルギー検出しきい値を使用して実行される、
請求項１に記載の方法。
【請求項５】
前記ＣＣＡスロットの識別された数は、前記第１のデバイスが前記共有無線周波数スペクトルにアクセスしていないとき、前記ＣＣＡが実行される前記ＣＣＡスロットの最後の数である、
請求項１に記載の方法。
【請求項６】
前記エネルギー検出しきい値を決定することは、  少なくとも１つのＣＣＡスロットのための前記エネルギー検出しきい値を決定すること
請求項１に記載の方法。
【請求項７】
前記共有無線周波数スペクトルが共有される期間に続いて前記共有無線周波数スペクトルの前記エネルギーレベルを決定するように前記第１のデバイスを構成することをさらに備える、
請求項１に記載の方法。
【請求項８】
前記決定されたエネルギー検出しきい値に少なくとも部分的に基づいて、ある数のＣＣＡを実行することをさらに備え、前記数のＣＣＡは、ＣＣＡスロットのセット中で実行される、
請求項６に記載の方法。
【請求項９】
数の範囲を構成することをさらに備え、前記数の範囲からランダム数が選択され、前記ランダム数は、前記第１のデバイスが複数の拡張ＣＣＡのうちの少なくとも１つを実行するＣＣＡスロットの数を決定する、
請求項１に記載の方法。
【請求項１０】
前記数の範囲を構成することは、前記数の範囲の下限を増加させること、または前記数の範囲の上限を増加させること、またはそれらの組合せのうちの少なくとも１つを備える、
請求項９に記載の方法。
【請求項１１】
前記複数の拡張ＣＣＡのうちの少なくとも１つが実行される、前記ＣＣＡスロットの前記ランダム数の最後のＣＣＡスロットの持続期間を増加させることをさらに備える、
請求項１０に記載の方法。
【請求項１２】
前記複数の拡張ＣＣＡは、第１の拡張ＣＣＡと、それに続く第２の拡張ＣＣＡとを備える、
請求項１１に記載の方法。
【請求項１３】
前記第１の拡張ＣＣＡは、第１の数のＣＣＡスロットにわたって実行されるように構成され、前記第２の拡張ＣＣＡは、第２の数のＣＣＡスロットにわたって実行されるように構成された、
請求項１２に記載の方法。
【請求項１４】
前記共有無線周波数スペクトルが共有されると決定すると、前記第１のデバイスが追加の数のＣＣＡを実行する前に待つべき延期期間を構成することと、
前記共有無線周波数スペクトルが、前記追加の数のＣＣＡプロシージャの各々のために利用可能であると決定すると、前記共有無線周波数スペクトルへのアクセスのための競合に勝つように前記第１のデバイスを構成することと
を備える、請求項１に記載の方法。
【請求項１５】
前記共有無線周波数スペクトルが共有されると決定することは、前記第１のデバイスのエネルギー検出範囲内で検出された送信機の数に少なくとも部分的に基づく、
請求項１に記載の方法。
【請求項１６】
前記共有無線周波数スペクトルが共有されると決定することは、フィードバックが報告される送信の失敗率に少なくとも部分的に基づく、
請求項１に記載の方法。
【請求項１７】
前記共有無線周波数スペクトルが共有されると決定することは、エラーが報告されない送信についての消去率に少なくとも部分的に基づく、
請求項１に記載の方法。
【請求項１８】
前記共有無線周波数スペクトルが共有されると決定することは、サポートされる変調およびコーディング方式（ＭＣＳ）と、実際に使用されるＭＣＳとの間の相違に少なくとも部分的に基づく、
請求項１に記載の方法。
【請求項１９】
前記第１のデバイスは、基地局またはユーザ機器（ＵＥ）の一方を備え、前記基地局または前記ＵＥの前記一方は、前記エネルギー検出しきい値を決定し、前記ＣＣＡを実行する、
請求項１に記載の方法。
【請求項２０】
ワイヤレス通信のための装置であって、
プロセッサと、
前記プロセッサに結合されたメモリと、
前記メモリに記憶された命令と
を備え、前記命令は、前記装置に、
第１の無線アクセス技術（ＲＡＴ）に関連する第１のデバイスが、共有無線周波数スペクトルが第２のＲＡＴの第２のデバイスと共有されると決定することと、
前記共有無線周波数スペクトルが共有されるとの前記決定に少なくとも部分的に基づいて、クリアチャネルアセスメント（ＣＣＡ）のためのエネルギー検出しきい値を決定することと、
前記第１のデバイスが前記共有無線周波数スペクトルにアクセスする前に、前記共有無線周波数スペクトルが利用可能なＣＣＡスロットの数を識別することと、
前記決定されたエネルギー検出しきい値および前記ＣＣＡスロットの識別された数を使用して前記ＣＣＡを実行することと
行わせるように前記プロセッサによって実行可能である、装置。
【請求項２１】
前記エネルギー検出しきい値を決定する前記命令は、前記装置に、
前記共有無線周波数スペクトルが前記第２のＲＡＴの前記第２のデバイスと共有されると決定することに少なくとも部分的に基づいて、第１のエネルギー検出しきい値になるべき前記エネルギー検出しきい値を決定することを行わせるように前記プロセッサによって実行可能であり、前記第１のエネルギー検出しきい値は、第２のエネルギー検出しきい値より高く、前記第２のエネルギー検出しきい値は、前記共有無線周波数スペクトルが利用可能であることに少なくとも部分的に基づく、
請求項２０に記載の装置。
【請求項２２】
前記第１のＲＡＴは、セルラーＲＡＴを備え、前記第２のＲＡＴは、Ｗｉ−Ｆｉ  ＲＡＴを備える、
請求項２０に記載の装置。
【請求項２３】
前記ＣＣＡスロットの識別された数は、前記第１のデバイスが前記共有無線周波数スペクトルにアクセスしていないとき、前記ＣＣＡが実行される前記ＣＣＡスロットの最後の数である、
請求項２０に記載の装置。
【請求項２４】
前記エネルギー検出しきい値を決定することは、少なくとも１つのＣＣＡスロットのための前記エネルギー検出しきい値を決定すること
請求項２０に記載の装置。
【請求項２５】
前記命令は、前記装置に、
前記共有無線周波数スペクトルが共有される期間に続いて前記共有無線周波数スペクトルの前記エネルギーレベルを決定するように前記第１のデバイスを構成することと、
前記エネルギー検出しきい値に少なくとも部分的に基づいてある数のＣＣＡを実行すること、前記数のＣＣＡは、前記ＣＣＡスロットのセット中で実行される、と
を行わせるように前記プロセッサによってさらに実行可能である、
請求項２０に記載の装置。
【請求項２６】
前記共有無線周波数スペクトルが共有されると決定することは、前記第１のデバイスのエネルギー検出範囲内で検出された送信機の数、フィードバックが報告される送信の失敗率、エラーが報告されない送信についての消去率、サポートされる変調およびコーディング方式（ＭＣＳ）と、実際に使用されるＭＣＳとの間の相違に少なくとも部分的に基づく、  請求項２０に記載の装置。
【請求項２７】
第１の無線アクセス技術（ＲＡＴ）に関連付けられる第１のデバイスが、共有無線周波数スペクトルが第２のＲＡＴの第２のデバイスと共有されると決定するための手段と、
前記共有無線周波数スペクトルが共有されるとの前記決定に少なくとも部分的に基づいて、クリアチャネルアセスメント（ＣＣＡ）のためのエネルギー検出しきい値を決定するための手段と、
前記第１のデバイスが前記共有無線周波数スペクトルにアクセスする前に、前記共有無線周波数スペクトルが利用可能なＣＣＡスロットの数を識別するための手段と、
前記決定されたエネルギー検出しきい値および前記ＣＣＡスロットの識別された数を使用して前記ＣＣＡを実行するための手段と
を備える、ワイヤレス通信のための装置。
【請求項２８】
ワイヤレス通信のためのコードを記憶する非一時的コンピュータ可読媒体であって、前記コードは、
第１の無線アクセス技術（ＲＡＴ）に関連付けられる第１のデバイスが、共有無線周波数スペクトルが第２のＲＡＴの第２のデバイスと共有されると決定することと、
前記共有無線周波数スペクトルが共有されるとの前記決定に少なくとも部分的に基づいて、クリアチャネルアセスメント（ＣＣＡ）のためのエネルギー検出しきい値を決定することと、
前記第１のデバイスが前記共有無線周波数スペクトルにアクセスする前に、前記共有無線周波数スペクトルが利用可能なＣＣＡスロットの数を識別することと、
前記決定されたエネルギー検出しきい値および前記ＣＣＡスロットの識別された数を使用して前記ＣＣＡを実行することと
を行うようにプロセッサによって実行可能な命令を備える、非一時的コンピュータ可読媒体。
【手続補正２】
【補正対象書類名】明細書
【補正対象項目名】０２０１
【補正方法】変更
【補正の内容】
【０２０１】
[0225]本開示についての以上の説明は、当業者が本開示を作成または使用することができるように与えられたものである。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示された原理および新規の特徴に一致する最も広い範囲を与えられるべきである。
以下に、本願出願の当初の特許請求の範囲に記載された発明を付記する。
［Ｃ１］
共有無線周波数スペクトル帯域を占有する第１の無線アクセス技術（ＲＡＴ）通信のインジケーションを検知することと、
前記検知することに応答して、前記共有無線周波数スペクトル帯域へのアクセスを求めて競合するためにデバイスによって使用される第２のＲＡＴの少なくとも１つのパラメータを構成することと
を備える、ワイヤレス通信のための方法。
［Ｃ２］
前記第１のＲＡＴは、Ｗｉ−Ｆｉ（登録商標）  ＲＡＴを備え、前記第２のＲＡＴは、セルラーＲＡＴを備える、
［Ｃ１］に記載の方法。
［Ｃ３］
前記第２のＲＡＴの前記少なくとも１つのパラメータを構成することは、
数の範囲を構成することを備え、前記数の範囲からランダム数が選択され、前記ランダム数は、前記デバイスが拡張クリアチャネルアセスメント（ＣＣＡ）プロシージャを実行するＣＣＡスロットの数を決定する、
［Ｃ１］に記載の方法。
［Ｃ４］
前記数の範囲を構成することは、前記数の範囲の下限を増加させること、または前記数の範囲の上限を増加させること、またはそれらの組合せのうちの少なくとも１つを備える、
［Ｃ３］に記載の方法。
［Ｃ５］
前記第２のＲＡＴの前記少なくとも１つのパラメータを構成することは、
前記デバイスが前記共有無線周波数スペクトル帯域へのアクセスを求める競合に勝つ前に、前記共有無線周波数スペクトル帯域が利用可能である連続ＣＣＡスロットの数を識別することを備える、
［Ｃ１］に記載の方法。
［Ｃ６］
ＣＣＡスロットの前記識別された数は、前記デバイスが前記共有無線周波数スペクトル帯域へのアクセスを求める競合に勝っていないとき、拡張ＣＣＡプロシージャが実行されるＣＣＡスロットの最後の数である、
［Ｃ５］に記載の方法。
［Ｃ７］
前記第２のＲＡＴの前記少なくとも１つのパラメータを構成することは、
少なくとも１つのＣＣＡプロシージャが実行される少なくとも１つのＣＣＡスロットのためのＣＣＡエネルギー検出しきい値を構成することを備える、
［Ｃ１］に記載の方法。
［Ｃ８］
前記共有無線周波数スペクトル帯域が占有される期間に続いて前記共有無線周波数スペクトル帯域のエネルギーレベルを検知するように前記デバイスを構成することをさらに備える、
［Ｃ１］に記載の方法。
［Ｃ９］
前記第２のＲＡＴの前記少なくとも１つのパラメータを構成することは、
前記検知されたエネルギーに少なくとも部分的に基づいて、ＣＣＡエネルギー検出しきい値を構成することと、
前記ＣＣＡエネルギー検出しきい値に少なくとも部分的に基づいて、ある数のＣＣＡプロシージャを実行するように前記デバイスを構成すること、ここにおいて、前記数のＣＣＡプロシージャがＣＣＡスロットのセット中で実行される、と、
前記共有無線周波数スペクトル帯域が、ＣＣＡスロットの前記セット中に含まれるＣＣＡスロットのサブセットのために利用可能であると決定されたとき、前記共有無線周波数スペクトル帯域へのアクセスを求める競合に勝つように前記デバイスを構成することと
を備える、［Ｃ８］に記載の方法。
［Ｃ１０］
前記第２のＲＡＴの前記少なくとも１つのパラメータを構成することは、
拡張ＣＣＡプロシージャが実行される最後のＣＣＡスロットの持続時間を増加させることを備える、
［Ｃ１］に記載の方法。
［Ｃ１１］
前記第２のＲＡＴの前記少なくとも１つのパラメータを構成することは、
前記共有無線周波数スペクトル帯域へのアクセスを求めて競合するために、複数の拡張ＣＣＡプロシージャを実行するように前記デバイスを構成することを備える、
［Ｃ１］に記載の方法。
［Ｃ１２］
前記複数の拡張ＣＣＡプロシージャは、第１の拡張ＣＣＡプロシージャと、それに続く第２の拡張ＣＣＡプロシージャとを備える、
［Ｃ１１］に記載の方法。
［Ｃ１３］
前記第１の拡張ＣＣＡプロシージャは、第１の数のＣＣＡスロットにわたって実行されるように構成され、前記第２の拡張ＣＣＡプロシージャは、第２の数のＣＣＡスロットにわたって実行されるように構成された、
［Ｃ１２］に記載の方法。
［Ｃ１４］
前記第２のＲＡＴの前記少なくとも１つのパラメータを構成することは、
前記共有無線周波数スペクトル帯域が利用不可能であると決定すると、前記デバイスが追加の数のＣＣＡプロシージャを実行する前に待つべき延期期間を構成することと、
前記共有無線周波数スペクトル帯域が、前記追加の数のＣＣＡプロシージャの各々のために利用可能であると決定すると、前記共有無線周波数スペクトル帯域へのアクセスを求める競合に勝つように前記デバイスを構成することと
を備える、［Ｃ１］に記載の方法。
［Ｃ１５］
第１のＲＡＴ通信の前記インジケーションは、前記デバイスのエネルギー検出範囲内で検出された送信機の数に少なくとも部分的に基づく、
［Ｃ１］に記載の方法。
［Ｃ１６］
第１のＲＡＴ通信の前記インジケーションは、フィードバックが報告される送信の失敗率に少なくとも部分的に基づく、
［Ｃ１］に記載の方法。
［Ｃ１７］
第１のＲＡＴ通信の前記インジケーションは、エラーが報告されない送信についての消去率に少なくとも部分的に基づく、
［Ｃ１］に記載の方法。
［Ｃ１８］
第１のＲＡＴ通信の前記インジケーションは、サポートされる変調およびコーディング方式（ＭＣＳ）と、実際に使用されるＭＣＳとの間の相違に少なくとも部分的に基づく、
［Ｃ１］に記載の方法。
［Ｃ１９］
前記デバイスは、基地局またはユーザ機器（ＵＥ）の一方を備え、前記識別することおよび前記構成することは、前記基地局または前記ＵＥの前記一方によって実行される、
［Ｃ１］に記載の方法。
［Ｃ２０］
共有無線周波数スペクトル帯域を占有する第１の無線アクセス技術（ＲＡＴ）通信のインジケーションを検知するための手段と、
前記検知することに応答して、前記共有無線周波数スペクトル帯域へのアクセスを求めて競合するためにデバイスによって使用される第２のＲＡＴの少なくとも１つのパラメータを構成するための手段と
を備える、ワイヤレス通信のための装置。
［Ｃ２１］
前記第２のＲＡＴの前記少なくとも１つのパラメータを前記構成するための手段は、
数の範囲を構成するための手段を備え、前記数の範囲からランダム数が選択され、前記ランダム数は、前記デバイスが拡張クリアチャネルアセスメント（ＣＣＡ）プロシージャを実行するＣＣＡスロットの数を決定する、
［Ｃ２０］に記載の装置。
［Ｃ２２］
前記第２のＲＡＴの前記少なくとも１つのパラメータを前記構成するための手段は、
前記デバイスが前記共有無線周波数スペクトル帯域へのアクセスを求める競合に勝つ前に、前記共有無線周波数スペクトル帯域が利用可能である連続ＣＣＡスロットの数を識別するための手段を備える、
［Ｃ２０］に記載の装置。
［Ｃ２３］
前記第２のＲＡＴの前記少なくとも１つのパラメータを前記構成するための手段が、
少なくとも１つのＣＣＡプロシージャが実行される少なくとも１つのＣＣＡスロットのためのＣＣＡエネルギー検出しきい値を構成するための手段を備える、
［Ｃ２０］に記載の装置。
［Ｃ２４］
前記第２のＲＡＴの前記少なくとも１つのパラメータを前記構成するための手段は、
拡張ＣＣＡプロシージャが実行される最後のＣＣＡスロットの持続時間を増加させるための手段を備える、
［Ｃ２０］に記載の装置。
［Ｃ２５］
前記第２のＲＡＴの前記少なくとも１つのパラメータを前記構成するための手段は、
前記共有無線周波数スペクトル帯域へのアクセスを求めて競合するために、複数の拡張ＣＣＡプロシージャを実行するように前記デバイスを構成するための手段を備える、
［Ｃ２０］に記載の装置。
［Ｃ２６］
前記複数の拡張ＣＣＡプロシージャは、第１の拡張ＣＣＡプロシージャと、それに続く第２の拡張ＣＣＡプロシージャとを備える、
［Ｃ２５］に記載の装置。
［Ｃ２７］
前記第２のＲＡＴの前記少なくとも１つのパラメータを前記構成するための手段は、
前記共有無線周波数スペクトル帯域が利用不可能であると決定すると、前記デバイスが追加の数のＣＣＡプロシージャを実行する前に待つべき延期期間を構成するための手段と、
前記共有無線周波数スペクトル帯域が、前記追加の数のＣＣＡプロシージャの各々のために利用可能であると決定すると、前記共有無線周波数スペクトル帯域へのアクセスを求める競合に勝つように前記デバイスを構成するための手段と
を備える、［Ｃ２０］に記載の装置。
［Ｃ２８］
下限と上限との間に及ぶ数の範囲から数をランダムに選択することと、
複数のクリアチャネルアセスメント（ＣＣＡ）スロットにわたって拡張ＣＣＡプロシージャを実行することによって、共有無線周波数スペクトル帯域へのアクセスを求めて競合すること、前記複数のＣＣＡスロットは、前記上限に等しい第１の数のＣＣＡスロットを備える、と、
前記拡張ＣＣＡプロシージャを実行しながら、前記共有無線周波数スペクトル帯域が、前記ランダムに選択された数に等しい第２の数のＣＣＡスロットのために利用可能であると決定した後に、前記共有無線周波数スペクトル帯域へのアクセスを求める競合に勝つことと
を備える、ワイヤレス通信のための方法。
［Ｃ２９］
前記拡張ＣＣＡプロシージャを実行しながら、前記共有無線周波数スペクトル帯域が、前記第１の数のＣＣＡスロット−前記ランダムに選択された数＋１に等しい第３の数のＣＣＡスロットのために利用不可能であると決定した後に、前記拡張ＣＣＡプロシージャを中止し、前記共有無線周波数スペクトル帯域へのアクセスを求める競合に勝つことに失敗することをさらに備える、
［Ｃ２８］に記載の方法。
［Ｃ３０］
下限と上限との間に及ぶ数の範囲から数をランダムに選択するための手段と、
複数のクリアチャネルアセスメント（ＣＣＡ）スロットにわたって拡張ＣＣＡプロシージャを実行することによって、共有無線周波数スペクトル帯域へのアクセスを求めて競合するための手段と、前記複数のＣＣＡスロットが、前記上限に等しい第１の数のＣＣＡスロットを備える、
前記拡張ＣＣＡプロシージャを実行しながら、前記共有無線周波数スペクトル帯域が、前記ランダムに選択された数に等しい第２の数のＣＣＡスロットのために利用可能であると決定した後に、前記共有無線周波数スペクトル帯域へのアクセスを求める競合に勝つための手段と
を備える、ワイヤレス通信のための装置。